(57)【要約】  ワイヤレス通信のための技法が説明される。ユーザ機器(UE)におけるワイヤレス通信のための方法は、UEがネットワークとの接続モードにある間に、UEの無線リソース構成を識別するステップと、識別された無線リソース構成に少なくとも部分的に基づいて、UE用のリソースの専用セットまたは複数のUE用のリソースの共通セットを選択するステップと、リソースの選択されたセットを使用してパイロット信号をネットワークへ送信するステップとを含む。ネットワークアクセスデバイスおよびネットワークアクセスデバイスコントローラにおけるワイヤレス通信のための方法も説明される。
2019508937.tif 000002
【特許請求の範囲】
【請求項１】
ユーザ機器(UE)におけるワイヤレス通信のための方法であって、
前記UEがネットワークとの接続モードにある間に、前記UEの無線リソース構成を識別するステップと、
前記識別された無線リソース構成に少なくとも部分的に基づいて、前記UE用のリソースの専用セットまたは複数のUE用のリソースの共通セットを選択するステップと、
リソースの前記選択されたセットを使用してパイロット信号を前記ネットワークへ送信するステップと
を備える方法。
【請求項２】
前記UEの前記識別された無線リソース構成が、無線リソース制御(RRC)構成を備える、請求項1に記載の方法。
【請求項３】
前記UEの前記識別された無線リソース構成が、RRC専用状態またはRRC共通状態を備える、請求項1に記載の方法。
【請求項４】
前記UE用のサービングセルから受信されたキープアライブ信号に少なくとも部分的に基づいて、前記UE用の前記サービングセルを識別するステップをさらに備え、前記キープアライブ信号が、前記パイロット信号に少なくとも部分的に基づく、
請求項1に記載の方法。
【請求項５】
リソースの前記選択されたセットを使用して前記キープアライブ信号を受信するステップ
をさらに備える、請求項4に記載の方法。
【請求項６】
同期信号、もしくはシステム情報、もしくはユニキャストメッセージ、またはそれらの組合せのうちの少なくとも1つの中で、リソースの前記共通セットの割振りを受信するステップ
をさらに備える、請求項1に記載の方法。
【請求項７】
前記UEのタイプに少なくとも部分的に基づいて、リソースの前記共通セットの割振りを識別するステップ
をさらに備える、請求項1に記載の方法。
【請求項８】
ユニキャストメッセージの中で、もしくは前記ユニキャストメッセージのタイミングにおいて、またはそれらの組合せのうちの少なくとも1つで、リソースの前記専用セットの割振りを受信するステップ
をさらに備える、請求項1に記載の方法。
【請求項９】
前記パイロット信号が、前記UEの間欠受信(DRX)構成または前記UEの間欠送信(DTX)構成に少なくとも部分的に基づいて周期的に送信される、請求項1に記載の方法。
【請求項１０】
前記UEが位置するゾーンを識別するステップと、
前記識別されたゾーンに少なくとも部分的に基づいて前記パイロット信号を構成するステップと
をさらに備える、請求項1に記載の方法。
【請求項１１】
リソースの前記専用セットが、リソースの前記共通セットよりも粒度の細かい周期性に関連する、請求項1に記載の方法。
【請求項１２】
ユーザ機器(UE)におけるワイヤレス通信のための装置であって、
前記UEがネットワークとの接続モードにある間に、前記UEの無線リソース構成を識別するための手段と、
前記識別された無線リソース構成に少なくとも部分的に基づいて、前記UE用のリソースの専用セットまたは複数のUE用のリソースの共通セットを選択するための手段と、
リソースの前記選択されたセットを使用してパイロット信号を前記ネットワークへ送信するための手段と
を備える装置。
【請求項１３】
前記UEの前記識別された無線リソース構成が、無線リソース制御(RRC)構成を備える、請求項12に記載の装置。
【請求項１４】
前記UEの前記識別された無線リソース構成が、RRC専用状態またはRRC共通状態を備える、請求項12に記載の装置。
【請求項１５】
前記UE用のサービングセルから受信されたキープアライブ信号に少なくとも部分的に基づいて、前記UE用の前記サービングセルを識別するための手段をさらに備え、前記キープアライブ信号が、前記パイロット信号に少なくとも部分的に基づく、
請求項12に記載の装置。
【請求項１６】
リソースの前記選択されたセットを使用して前記キープアライブ信号を受信するための手段
をさらに備える、請求項15に記載の装置。
【請求項１７】
同期信号、もしくはシステム情報、もしくはユニキャストメッセージ、またはそれらの組合せのうちの少なくとも1つの中で、リソースの前記共通セットの割振りを受信するための手段
をさらに備える、請求項12に記載の装置。
【請求項１８】
前記UEのタイプに少なくとも部分的に基づいて、リソースの前記共通セットの割振りを識別するための手段
をさらに備える、請求項12に記載の装置。
【請求項１９】
ユニキャストメッセージの中で、もしくは前記ユニキャストメッセージのタイミングにおいて、またはそれらの組合せのうちの少なくとも1つで、リソースの前記専用セットの割振りを受信するための手段
をさらに備える、請求項12に記載の装置。
【請求項２０】
前記パイロット信号が、前記UEの間欠受信(DRX)構成または前記UEの間欠送信(DTX)構成に少なくとも部分的に基づいて周期的に送信される、請求項12に記載の装置。
【請求項２１】
前記UEが位置するゾーンを識別するための手段と、
前記識別されたゾーンに少なくとも部分的に基づいて前記パイロット信号を構成するための手段と
をさらに備える、請求項12に記載の装置。
【請求項２２】
リソースの前記専用セットが、リソースの前記共通セットよりも粒度の細かい周期性に関連する、請求項12に記載の装置。
【請求項２３】
ユーザ機器(UE)におけるワイヤレス通信のための装置であって、
プロセッサと、
前記プロセッサと電子通信しているメモリとを備え、
前記プロセッサおよび前記メモリが、
前記UEがネットワークとの接続モードにある間に、前記UEの無線リソース構成を識別し、
前記識別された無線リソース構成に少なくとも部分的に基づいて、前記UE用のリソースの専用セットまたは複数のUE用のリソースの共通セットを選択し、
リソースの前記選択されたセットを使用してパイロット信号を前記ネットワークへ送信するように構成される、
装置。
【請求項２４】
ユーザ機器(UE)におけるワイヤレス通信のためのコンピュータ実行可能コードを記憶する非一時的コンピュータ可読媒体であって、前記コードが、プロセッサによって、
前記UEがネットワークとの接続モードにある間に、前記UEの無線リソース構成を識別し、
前記識別された無線リソース構成に少なくとも部分的に基づいて、前記UE用のリソースの専用セットまたは複数のUE用のリソースの共通セットを選択し、
リソースの前記選択されたセットを使用してパイロット信号を前記ネットワークへ送信するように実行可能である、
非一時的コンピュータ可読媒体。
【請求項２５】
ネットワークアクセスデバイスにおけるワイヤレス通信のための方法であって、
ユーザ機器(UE)の第1のセットの中の少なくとも1つのUE用のリソースの少なくとも1つの専用セットを識別するステップであって、前記ネットワークアクセスデバイスが、UEの前記第1のセットの中の各UE用のネットワークアクセスデバイスの監視セットのメンバーである、ステップと、
リソースの前記少なくとも1つの専用セット上でUEの前記第1のセットから受信されたパイロット信号の第1のセット、およびリソースの共通セットを使用してUEの第2のセットから受信されたパイロット信号の第2のセットを、測定するステップと、
パイロット信号の前記第1のセットおよびパイロット信号の前記第2のセットの測定値に少なくとも部分的に基づいて、前記ネットワークアクセスデバイスがそのためのサービングセルとして動作するUEの第3のセットを識別するステップと
を備える方法。
【請求項２６】
UEの前記第3のセットが、UEの前記第1のセットの中の少なくとも1つのUE、もしくはUEの前記第2のセットの中の少なくとも1つのUE、またはそれらの組合せを備える、請求項25に記載の方法。
【請求項２７】
専用キープアライブ信号をUEの前記第1のセットとUEの前記第3のセットの両方のメンバーである各UEへ送信するステップ、もしくは共通キープアライブ信号をUEの前記第2のセットとUEの前記第3のセットの両方のメンバーである各UEへ送信するステップ、またはそれらの組合せ
をさらに備える、請求項26に記載の方法。
【請求項２８】
リソースの前記共通セット上でUEから受信されたパイロット信号が少なくとも1つのしきい値を満たすかどうかを決定するステップと、
前記パイロット信号が前記少なくとも1つのしきい値を満たすと決定すると、リソースの前記共通セットを使用してキープアライブ信号を前記UEへ送信するステップと
をさらに備える、請求項25に記載の方法。
【請求項２９】
UEの前記第1のセットとUEの前記第3のセットの両方のメンバーであるUEのための再構成メッセージを別のネットワークアクセスデバイスから受信するステップであって、前記再構成メッセージが、前記ネットワークアクセスデバイスから異なるネットワークアクセスデバイスへの前記UEのハンドオーバの後に前記UEによって使用されるべきリソースの再構成された専用セットを識別する、ステップと、
前記再構成メッセージを前記UEに転送するステップと
をさらに備える、請求項25に記載の方法。
【請求項３０】
前記ネットワークアクセスデバイスにハンドオーバされつつあるUEのための再構成メッセージを別のネットワークアクセスデバイスから受信するステップであって、前記再構成メッセージが、前記ネットワークアクセスデバイスへの前記UEのハンドオーバの後に前記UEによって使用されるべきリソースの再構成された専用セットを識別する、ステップと、
前記再構成メッセージを前記UEに転送するステップと、
UEの前記第1のセットおよびUEの前記第3のセットに前記UEを追加するステップと
をさらに備える、請求項25に記載の方法。
【請求項３１】
前記ネットワークアクセスデバイスにハンドオーバされているUEから再構成完了メッセージを受信するステップと、
前記再構成完了メッセージを別のネットワークアクセスデバイスに転送するステップと
をさらに備える、請求項25に記載の方法。
【請求項３２】
パイロット信号の前記第1のセットの前記測定値のうちの少なくとも1つ、またはパイロット信号の前記第2のセットの前記測定値のうちの少なくとも1つを、別のネットワークアクセスデバイスへ送信するステップと、
UEの前記第3のセットに対する更新を前記他のネットワークアクセスデバイスから受信するステップと
をさらに備える、請求項25に記載の方法。
【請求項３３】
周期的測定値報告基準またはイベント駆動型測定値報告基準に少なくとも部分的に基づいて、パイロット信号の前記第1のセットの前記測定値のうちの前記少なくとも1つ、またはパイロット信号の前記第2のセットの前記測定値のうちの前記少なくとも1つを選択するステップ
をさらに備える、請求項32に記載の方法。
【請求項３４】
パイロット信号の前記第1のセットまたはパイロット信号の前記第2のセットの追加の測定値を少なくとも1つの他のネットワークアクセスデバイスから受信するステップをさらに備え、UEの前記第3のセットを識別する前記ステップが、前記追加の測定値に少なくとも部分的に基づく、
請求項25に記載の方法。
【請求項３５】
UEの前記第1のセットに対する更新を別のネットワークアクセスデバイスから受信するステップ
をさらに備える、請求項25に記載の方法。
【請求項３６】
前記ネットワークアクセスデバイスが分散ユニットを備える、請求項25に記載の方法。
【請求項３７】
ネットワークアクセスデバイスにおけるワイヤレス通信のための装置であって、
ユーザ機器(UE)の第1のセットの中の少なくとも1つのUE用のリソースの少なくとも1つの専用セットを識別するための手段であって、前記ネットワークアクセスデバイスが、UEの前記第1のセットの中の各UE用のネットワークアクセスデバイスの監視セットのメンバーである、手段と、
リソースの前記少なくとも1つの専用セット上でUEの前記第1のセットから受信されたパイロット信号の第1のセット、およびリソースの共通セットを使用してUEの第2のセットから受信されたパイロット信号の第2のセットを、測定するための手段と、
パイロット信号の前記第1のセットおよびパイロット信号の前記第2のセットの測定値に少なくとも部分的に基づいて、前記ネットワークアクセスデバイスがそのためのサービングセルとして動作するUEの第3のセットを識別するための手段と
を備える装置。
【請求項３８】
UEの前記第3のセットが、UEの前記第1のセットの中の少なくとも1つのUE、もしくはUEの前記第2のセットの中の少なくとも1つのUE、またはそれらの組合せを備える、請求項37に記載の装置。
【請求項３９】
専用キープアライブ信号をUEの前記第1のセットとUEの前記第3のセットの両方のメンバーである各UEへ送信すること、もしくは共通キープアライブ信号をUEの前記第2のセットとUEの前記第3のセットの両方のメンバーである各UEへ送信すること、またはそれらの組合せを行うための手段
をさらに備える、請求項38に記載の装置。
【請求項４０】
リソースの前記共通セット上でUEから受信されたパイロット信号が少なくとも1つのしきい値を満たすかどうかを決定するための手段と、
前記パイロット信号が前記少なくとも1つのしきい値を満たすと決定すると、リソースの前記共通セットを使用してキープアライブ信号を前記UEへ送信するための手段と
をさらに備える、請求項37に記載の装置。
【請求項４１】
UEの前記第1のセットとUEの前記第3のセットの両方のメンバーであるUEのための再構成メッセージを別のネットワークアクセスデバイスから受信するための手段であって、前記再構成メッセージが、前記ネットワークアクセスデバイスから異なるネットワークアクセスデバイスへの前記UEのハンドオーバの後に前記UEによって使用されるべきリソースの再構成された専用セットを識別する、手段と、
前記再構成メッセージを前記UEに転送するための手段と
をさらに備える、請求項37に記載の装置。
【請求項４２】
前記ネットワークアクセスデバイスにハンドオーバされつつあるUEのための再構成メッセージを別のネットワークアクセスデバイスから受信するための手段であって、前記再構成メッセージが、前記ネットワークアクセスデバイスへの前記UEのハンドオーバの後に前記UEによって使用されるべきリソースの再構成された専用セットを識別する、手段と、
前記再構成メッセージを前記UEに転送するための手段と、
UEの前記第1のセットおよびUEの前記第3のセットに前記UEを追加するための手段と
をさらに備える、請求項37に記載の装置。
【請求項４３】
前記ネットワークアクセスデバイスにハンドオーバされているUEから再構成完了メッセージを受信するための手段と、
前記再構成完了メッセージを別のネットワークアクセスデバイスに転送するための手段と
をさらに備える、請求項37に記載の装置。
【請求項４４】
パイロット信号の前記第1のセットの前記測定値のうちの少なくとも1つ、またはパイロット信号の前記第2のセットの前記測定値のうちの少なくとも1つを、別のネットワークアクセスデバイスへ送信するための手段と、
UEの前記第3のセットに対する更新を前記他のネットワークアクセスデバイスから受信するための手段と
をさらに備える、請求項37に記載の装置。
【請求項４５】
周期的測定値報告基準またはイベント駆動型測定値報告基準に少なくとも部分的に基づいて、パイロット信号の前記第1のセットの前記測定値のうちの前記少なくとも1つ、またはパイロット信号の前記第2のセットの前記測定値のうちの前記少なくとも1つを選択するための手段
をさらに備える、請求項44に記載の装置。
【請求項４６】
パイロット信号の前記第1のセットまたはパイロット信号の前記第2のセットの追加の測定値を少なくとも1つの他のネットワークアクセスデバイスから受信するための手段をさらに備え、前記プロセッサおよびメモリが、前記追加の測定値に少なくとも部分的に基づいてUEの前記第3のセットを識別するように構成される、
請求項37に記載の装置。
【請求項４７】
UEの前記第1のセットに対する更新を別のネットワークアクセスデバイスから受信するための手段
をさらに備える、請求項37に記載の装置。
【請求項４８】
前記ネットワークアクセスデバイスが分散ユニットを備える、請求項37に記載の装置。
【請求項４９】
ネットワークアクセスデバイスにおけるワイヤレス通信のための装置であって、
プロセッサと、
前記プロセッサと電子通信しているメモリとを備え、
前記プロセッサおよび前記メモリが、
ユーザ機器(UE)の第1のセットの中の少なくとも1つのUE用のリソースの少なくとも1つの専用セットを識別することであって、前記ネットワークアクセスデバイスが、UEの前記第1のセットの中の各UE用のネットワークアクセスデバイスの監視セットのメンバーであることと、
リソースの前記少なくとも1つの専用セット上でUEの前記第1のセットから受信されたパイロット信号の第1のセット、およびリソースの共通セットを使用してUEの第2のセットから受信されたパイロット信号の第2のセットを、測定することと、
パイロット信号の前記第1のセットおよびパイロット信号の前記第2のセットの測定値に少なくとも部分的に基づいて、前記ネットワークアクセスデバイスがそのためのサービングセルとして動作するUEの第3のセットを識別することとを行うように構成される、
装置。
【請求項５０】
ネットワークアクセスデバイスにおけるワイヤレス通信のためのコンピュータ実行可能コードを記憶する非一時的コンピュータ可読媒体であって、前記コードが、プロセッサによって、
ユーザ機器(UE)の第1のセットの中の少なくとも1つのUE用のリソースの少なくとも1つの専用セットを識別することであって、前記ネットワークアクセスデバイスが、UEの前記第1のセットの中の各UE用のネットワークアクセスデバイスの監視セットのメンバーであることと、
リソースの前記少なくとも1つの専用セット上でUEの前記第1のセットから受信されたパイロット信号の第1のセット、およびリソースの共通セットを使用してUEの第2のセットから受信されたパイロット信号の第2のセットを、測定することと、
パイロット信号の前記第1のセットおよびパイロット信号の前記第2のセットの測定値に少なくとも部分的に基づいて、前記ネットワークアクセスデバイスがそのためのサービングセルとして動作するUEの第3のセットを識別することとを行うように実行可能である、
非一時的コンピュータ可読媒体。
【請求項５１】
ワイヤレス通信のための方法であって、
ネットワークに接続されている間に第1の無線リソース構成で動作中のユーザ機器(UE)の第1のセットによって送信されたパイロット信号の第1のセットの測定値、および前記ネットワークに接続されている間に第2の無線リソース構成で動作中のUEの第2のセットによって送信されたパイロット信号の第2のセットの測定値を、複数のセルのうちの各セルから受信するステップと、
UEの前記第1のセットの中の各UEおよびUEの前記第2のセットの中の各UEに対して、前記測定値に少なくとも部分的に基づいて前記それぞれのUE用のサービングセルを識別するステップと、
UEの前記第1のセットの中の各UEに対して、前記それぞれのUEによって送信されるパイロット信号を求めて監視すべきセルの監視セットを識別するステップと、
前記それぞれのセルがそのためのサービングセルであるUEの第1のセット、および前記それぞれのセルがそのためのセルの監視セットのメンバーであるUEの第2のセットを、各セルに示すステップと
を備える方法。
【請求項５２】
前記第1の無線リソース構成が、リソースの専用セットを使用してパイロット信号を送信することに関連し、前記第2の無線リソース構成が、リソースの共通セットを使用してパイロット信号を送信することに関連する、請求項51に記載の方法。
【請求項５３】
前記第1の無線リソース構成、もしくは前記第2の無線リソース構成、またはその両方が、無線リソース制御(RRC)構成を備える、請求項51に記載の方法。
【請求項５４】
UEの前記第1のセットの中のUE用のサービングセルの変更を識別するステップと、
前記サービングセルの前記変更を識別すると、前記UEのためのサービングセル変更プロシージャを開始するステップと
をさらに備える、請求項51に記載の方法。
【請求項５５】
前記サービングセル変更プロシージャを開始するステップが、
前記UEのための再構成メッセージを前記UE用のソースサービングセルを通じて前記UEへ送信するステップを備え、前記再構成メッセージが、ターゲットサービングセルへの前記UEのハンドオーバの後に前記UEによって使用されるべきリソースの専用セットを識別する、
請求項54に記載の方法。
【請求項５６】
前記サービングセル変更プロシージャを開始するステップが、
前記UEのための再構成メッセージを前記UE用のターゲットサービングセルを通じて前記UEへ送信するステップを備え、前記再構成メッセージが、前記ターゲットサービングセルへの前記UEのハンドオーバの後に前記UEによって使用されるべきリソースの専用セットを識別する、
請求項54に記載の方法。
【請求項５７】
UEによって送信されるパイロット信号を求めて監視すべきセルの監視セットを識別するステップが、前記UEによって送信された少なくとも1つのパイロット信号の測定値、もしくは前記UE用の前記識別されたサービングセルのロケーション、またはそれらの組合せに少なくとも部分的に基づく、請求項51に記載の方法。
【請求項５８】
ワイヤレス通信のための装置であって、
ネットワークに接続されている間に第1の無線リソース構成で動作中のユーザ機器(UE)の第1のセットによって送信されたパイロット信号の第1のセットの測定値、および前記ネットワークに接続されている間に第2の無線リソース構成で動作中のUEの第2のセットによって送信されたパイロット信号の第2のセットの測定値を、複数のセルのうちの各セルから受信するための手段と、
UEの前記第1のセットの中の各UEおよびUEの前記第2のセットの中の各UEに対して、前記測定値に少なくとも部分的に基づいて前記それぞれのUE用のサービングセルを識別するための手段と、
UEの前記第1のセットの中の各UEに対して、前記それぞれのUEによって送信されるパイロット信号を求めて監視すべきセルの監視セットを識別するための手段と、
前記それぞれのセルがそのためのサービングセルであるUEの第1のセット、および前記それぞれのセルがそのためのセルの監視セットのメンバーであるUEの第2のセットを、各セルに示すための手段と
を備える装置。
【請求項５９】
前記第1の無線リソース構成が、リソースの専用セットを使用してパイロット信号を送信することに関連し、前記第2の無線リソース構成が、リソースの共通セットを使用してパイロット信号を送信することに関連する、請求項58に記載の装置。
【請求項６０】
前記第1の無線リソース構成、もしくは前記第2の無線リソース構成、またはその両方が、無線リソース制御(RRC)構成を備える、請求項58に記載の装置。
【請求項６１】
UEの前記第1のセットの中のUE用のサービングセルの変更を識別するための手段と、
前記サービングセルの前記変更を識別すると、前記UEのためのサービングセル変更プロシージャを開始するための手段と
をさらに備える、請求項58に記載の装置。
【請求項６２】
前記サービングセル変更プロシージャを開始するための前記手段が、
前記UEのための再構成メッセージを前記UE用のソースサービングセルを通じて前記UEへ送信するための手段を備え、前記再構成メッセージが、ターゲットサービングセルへの前記UEのハンドオーバの後に前記UEによって使用されるべきリソースの専用セットを識別する、
請求項61に記載の装置。
【請求項６３】
前記サービングセル変更プロシージャを開始するための前記手段が、
前記UEのための再構成メッセージを前記UE用のターゲットサービングセルを通じて前記UEへ送信するための手段を備え、前記再構成メッセージが、前記ターゲットサービングセルへの前記UEのハンドオーバの後に前記UEによって使用されるべきリソースの専用セットを識別する、
請求項61に記載の装置。
【請求項６４】
UEによって送信されるパイロット信号を求めて監視すべきセルの前記監視セットを識別することが、前記UEによって送信された少なくとも1つのパイロット信号の測定値、もしくは前記UE用の前記識別されたサービングセルのロケーション、またはそれらの組合せに少なくとも部分的に基づく、請求項58に記載の装置。
【請求項６５】
ワイヤレス通信のための装置であって、
プロセッサと、
前記プロセッサと電子通信しているメモリとを備え、
前記プロセッサおよび前記メモリが、
ネットワークに接続されている間に第1の無線リソース構成で動作中のユーザ機器(UE)の第1のセットによって送信されたパイロット信号の第1のセットの測定値、および前記ネットワークに接続されている間に第2の無線リソース構成で動作中のUEの第2のセットによって送信されたパイロット信号の第2のセットの測定値を、複数のセルのうちの各セルから受信し、
UEの前記第1のセットの中の各UEおよびUEの前記第2のセットの中の各UEに対して、前記測定値に少なくとも部分的に基づいて前記それぞれのUE用のサービングセルを識別し、
UEの前記第1のセットの中の各UEに対して、前記それぞれのUEによって送信されるパイロット信号を求めて監視すべきセルの監視セットを識別し、
前記それぞれのセルがそのためのサービングセルであるUEの第1のセット、および前記それぞれのセルがそのためのセルの監視セットのメンバーであるUEの第2のセットを、各セルに示すように構成される、
装置。
【請求項６６】
ワイヤレス通信のためのコンピュータ実行可能コードを記憶する非一時的コンピュータ可読媒体であって、前記コードが、プロセッサによって、
ネットワークに接続されている間に第1の無線リソース構成で動作中のユーザ機器(UE)の第1のセットによって送信されたパイロット信号の第1のセットの測定値、および前記ネットワークに接続されている間に第2の無線リソース構成で動作中のUEの第2のセットによって送信されたパイロット信号の第2のセットの測定値を、複数のセルのうちの各セルから受信し、
UEの前記第1のセットの中の各UEおよびUEの前記第2のセットの中の各UEに対して、前記測定値に少なくとも部分的に基づいて前記それぞれのUE用のサービングセルを識別し、
UEの前記第1のセットの中の各UEに対して、前記それぞれのUEによって送信されるパイロット信号を求めて監視すべきセルの監視セットを識別し、
前記それぞれのセルがそのためのサービングセルであるUEの第1のセット、および前記それぞれのセルがそのためのセルの監視セットのメンバーであるUEの第2のセットを、各セルに示すように実行可能である、
非一時的コンピュータ可読媒体。
【発明の詳細な説明】
【技術分野】
【０００１】
相互参照
本特許出願は、その各々が本出願の譲受人に譲渡された、2016年6月24日に出願された「Techniques for Providing Uplink-Based Mobility」と題するKubotaらよる米国特許出願第15/192,513号、および2016年1月20日に出願された「Techniques for Providing User Equipment-Centric Mobility」と題するKubotaらによる米国仮特許出願第62/280,920号の優先権を主張する。
【０００２】
本開示は、たとえば、ワイヤレス通信システムに関し、より詳細には、アップリンクベースモビリティを提供するための技法に関する。
【背景技術】
【０００３】
ワイヤレス通信システムは、音声、ビデオ、パケットデータ、メッセージング、放送などの様々なタイプの通信コンテンツを提供するために広く展開される。これらのシステムは、利用可能なシステムリソース(たとえば、時間、周波数、および電力)を共有することによって、複数のユーザとの通信をサポートすることが可能な、多元接続システムであり得る。そのような多元接続システムの例は、符号分割多元接続(CDMA)システム、時分割多元接続(TDMA)システム、周波数分割多元接続(FDMA)システム、および直交周波数分割多元接続(OFDMA)システムを含む。
【０００４】
いくつかの例では、ワイヤレス多元接続通信システムは、場合によってはUEと呼ばれる複数の通信デバイスのための通信を各々が同時にサポートする、いくつかの基地局を含み得る。ロングタームエボリューション(LTE)ネットワークまたはLTE-Advanced(LTE-A)ネットワークでは、1つまたは複数の基地局のセットがeノードB(eNB:eNodeB)を規定し得る。他の例(たとえば、次世代ネットワークまたは5Gネットワーク)では、ワイヤレス多元接続通信システムは、いくつかの中央ユニット(たとえば、中央ノード(CN:central node)、アクセスノードコントローラ(ANC:access node controller)など)と通信しているいくつかの分散ユニット(たとえば、エッジユニット(EU:edge unit)、エッジノード(EN:edge node)、ラジオヘッド(RH:radio head)、スマートラジオヘッド(SRH:smart radio head)、送信および受信ポイント(TRP:transmission and reception point)など)を含んでよく、ここで、中央ユニットと通信している1つまたは複数の分散ユニットのセットが、アクセスノード(たとえば、ニューラジオ基地局(NR BS:new radio base station)、ニューラジオノードB(NR NB:new radio node-B)、ネットワークノードなど)を規定し得る。基地局またはDUは、(たとえば、基地局または分散ユニットからUEへの送信用の)ダウンリンクチャネル上および(たとえば、UEから基地局または分散ユニットへの送信用の)アップリンクチャネル上でUEのセットと通信し得る。
【０００５】
いくつかの次世代ネットワークまたは5Gネットワークは、アップリンクベースの媒体アクセス制御(MAC:medium access control)レイヤをサポートし得る。これらのネットワークでは、UEは、ネットワークアクセスデバイス(たとえば、分散ユニット)が受信および測定するためのパイロット信号(たとえば、基準信号)を送信し得る。1つまたは複数のネットワークアクセスデバイスによるパイロット信号の測定に基づいて、ネットワークは、UE用のサービングセル(または、サービング分散ユニット)を識別し得る。UEがネットワーク内で移動するとき、ネットワークは、UEにとって透過的に(たとえば、モビリティ決定をUEに通知せずに、またはモビリティ決定においてUEに関与せずに)、UEに対する少なくともいくつかのモビリティ決定(たとえば、あるサービングセルから別のサービングセルへのUEのハンドオーバを開始するための決定)を行い得る。
【発明の概要】
【課題を解決するための手段】
【０００６】
本開示は、たとえば、いくつかの例ではユーザ機器(UE:user equipment)中心モビリティと呼ばれることがある、アップリンクベースモビリティを提供するための技法に関する。説明する技法によれば、ネットワークは、パイロット信号をネットワークへ送信するために任意のUEが使用し得るリソース(たとえば、無線周波数スペクトル帯域の1つまたは複数のコンポーネントキャリアまたはチャネル、無線周波数スペクトル帯域の1つまたは複数のサブキャリア、サブフレームの1つまたは複数のリソースブロック、1つまたは複数の継続時間、リソース利用可能性の間での周期的時間の増大など)の共通セットを提供し得る。ネットワークはまた、1つまたは複数のUEの各々にリソースの専用セットを割り振り得る。最初にネットワークにアクセスすると、UEは、リソースの共通セットを使用してパイロット信号をネットワークへ送信し得る。ネットワークにアクセスした後、UEは、リソースの共通セットを使用してパイロット信号をネットワークへ送信し続けてよく(たとえば、UEが比較的アクティブでない場合、UEとネットワークとの間のトラフィックが比較的小さい場合など)、またはリソースの専用セットがUEに割り振られているとき、UEは、リソースの共通セットではなくリソースの専用セットを使用してパイロット信号をネットワークへ送信してよい。場合によっては、リソースの専用セットは、アクティブなUE(たとえば、ネットワークとの間で送信/受信すべき、より高レベルのトラフィックを有するUE)に割り振られてよく、UEは、リソースの専用セットが利用可能であるとき、リソースの専用セットを使用するように構成され得る。他の場合には、UEは、リソースの専用セットをいつ使用すべきか、または使用すべきかどうかを決定し得る。いくつかの例では、UEが、パイロット信号を送信するために、リソースの専用セットを使用してパイロットを送信することに関連する無線リソース構成において動作しているのか、それともパイロット信号を送信するために、リソースの共通セットを使用してパイロットを送信することに関連する無線リソース構成において動作しているのかに応じて、UEモビリティを処理するためのプロシージャは変わってよい。
【０００７】
UEにおけるワイヤレス通信のための方法が説明される。方法は、UEがネットワークとの接続モードにある間に、UEの無線リソース構成を識別するステップと、識別された無線リソース構成に少なくとも部分的に基づいて、UE用のリソースの専用セットまたは複数のUE用のリソースの共通セットを選択するステップと、リソースの選択されたセットを使用してパイロット信号をネットワークへ送信するステップとを含み得る。
【０００８】
UEにおけるワイヤレス通信のための装置が説明される。装置は、プロセッサと、プロセッサと電子通信しているメモリとを含み得る。プロセッサおよびメモリは、UEがネットワークとの接続モードにある間に、UEの無線リソース構成を識別し、識別された無線リソース構成に少なくとも部分的に基づいて、UE用のリソースの専用セットまたは複数のUE用のリソースの共通セットを選択し、リソースの選択されたセットを使用してパイロット信号をネットワークへ送信するように構成され得る。
【０００９】
UEにおけるワイヤレス通信のための装置が説明される。装置は、UEがネットワークとの接続モードにある間に、UEの無線リソース構成を識別するための手段と、識別された無線リソース構成に少なくとも部分的に基づいて、UE用のリソースの専用セットまたは複数のUE用のリソースの共通セットを選択するための手段と、リソースの選択されたセットを使用してパイロット信号をネットワークへ送信するための手段とを含み得る。
【００１０】
UEにおけるワイヤレス通信のためのコンピュータ実行可能コードを記憶する非一時的コンピュータ可読媒体が説明される。コードは、プロセッサによって、UEがネットワークとの接続モードにある間に、UEの無線リソース構成を識別し、識別された無線リソース構成に少なくとも部分的に基づいて、UE用のリソースの専用セットまたは複数のUE用のリソースの共通セットを選択し、リソースの選択されたセットを使用してパイロット信号をネットワークへ送信するように実行可能であり得る。
【００１１】
方法、装置、または非一時的コンピュータ可読媒体のいくつかの例では、UEの識別された無線リソース構成は、無線リソース制御(RRC:radio resource control)構成を含み得る。
【００１２】
方法、装置、または非一時的コンピュータ可読媒体のいくつかの例では、UEの識別された無線リソース構成は、RRC専用状態またはRRC共通状態を備える。
【００１３】
方法、装置、または非一時的コンピュータ可読媒体のいくつかの例は、UE用のサービングセルから受信されたキープアライブ信号に少なくとも部分的に基づいて、UE用のサービングセルを識別するための動作、機能、手段、または命令を含み得、キープアライブ信号は、パイロット信号に少なくとも部分的に基づく。
【００１４】
方法、装置、または非一時的コンピュータ可読媒体のいくつかの例は、リソースの選択されたセットを使用してキープアライブ信号を受信するための動作、機能、手段、または命令を含み得る。
【００１５】
方法、装置、または非一時的コンピュータ可読媒体のいくつかの例は、同期信号、もしくはシステム情報、もしくはユニキャストメッセージ、またはそれらの組合せのうちの少なくとも1つの中で、リソースの共通セットの割振りを受信するための動作、機能、手段、または命令を含み得る。
【００１６】
方法、装置、または非一時的コンピュータ可読媒体のいくつかの例は、UEのタイプに少なくとも部分的に基づいて、リソースの共通セットの割振りを識別するための動作、機能、手段、または命令を含み得る。
【００１７】
方法、装置、または非一時的コンピュータ可読媒体のいくつかの例は、ユニキャストメッセージの中で、もしくはユニキャストメッセージのタイミングにおいて、またはそれらの組合せのうちの少なくとも1つで、リソースの専用セットの割振りを受信するための動作、機能、手段、または命令を含み得る。
【００１８】
方法、装置、または非一時的コンピュータ可読媒体のいくつかの例では、パイロット信号は、UEの間欠受信(DRX)構成またはUEの間欠送信(DTX)構成に少なくとも部分的に基づいて周期的に送信され得る。
【００１９】
方法、装置、または非一時的コンピュータ可読媒体のいくつかの例は、UEが位置するゾーンを識別し、識別されたゾーンに少なくとも部分的に基づいてパイロット信号を構成するための動作、機能、手段、または命令を含み得る。
【００２０】
方法、装置、または非一時的コンピュータ可読媒体のいくつかの例では、リソースの専用セットは、リソースの共通セットよりも粒度の細かい周期性に関連し得る。
【００２１】
ネットワークアクセスデバイスにおけるワイヤレス通信のための方法が説明される。方法は、UEの第1のセットの中の少なくとも1つのUE用のリソースの少なくとも1つの専用セットを識別するステップであって、ネットワークアクセスデバイスが、UEの第1のセットの中の各UE用のネットワークアクセスデバイスの監視セットのメンバーである、ステップと、リソースの少なくとも1つの専用セット上でUEの第1のセットから受信されたパイロット信号の第1のセット、およびリソースの共通セットを使用してUEの第2のセットから受信されたパイロット信号の第2のセットを、測定するステップと、パイロット信号の第1のセットおよびパイロット信号の第2のセットの測定値に少なくとも部分的に基づいて、ネットワークアクセスデバイスがそのためのサービングセルとして動作するUEの第3のセットを識別するステップとを含み得る。
【００２２】
ネットワークアクセスデバイスにおけるワイヤレス通信のための装置が説明される。装置は、プロセッサと、プロセッサと電子通信しているメモリとを含み得る。プロセッサおよびメモリは、UEの第1のセットの中の少なくとも1つのUE用のリソースの少なくとも1つの専用セットを識別することであって、ネットワークアクセスデバイスが、UEの第1のセットの中の各UE用のネットワークアクセスデバイスの監視セットのメンバーであることと、リソースの少なくとも1つの専用セット上でUEの第1のセットから受信されたパイロット信号の第1のセット、およびリソースの共通セットを使用してUEの第2のセットから受信されたパイロット信号の第2のセットを、測定することと、パイロット信号の第1のセットおよびパイロット信号の第2のセットの測定値に少なくとも部分的に基づいて、ネットワークアクセスデバイスがそのためのサービングセルとして動作するUEの第3のセットを識別することとを行うように構成され得る。
【００２３】
ネットワークアクセスデバイスにおけるワイヤレス通信のための別の装置が説明される。装置は、UEの第1のセットの中の少なくとも1つのUE用のリソースの少なくとも1つの専用セットを識別するための手段であって、ネットワークアクセスデバイスが、UEの第1のセットの中の各UE用のネットワークアクセスデバイスの監視セットのメンバーである、手段と、リソースの少なくとも1つの専用セット上でUEの第1のセットから受信されたパイロット信号の第1のセット、およびリソースの共通セットを使用してUEの第2のセットから受信されたパイロット信号の第2のセットを、測定するための手段と、パイロット信号の第1のセットおよびパイロット信号の第2のセットの測定値に少なくとも部分的に基づいて、ネットワークアクセスデバイスがそのためのサービングセルとして動作するUEの第3のセットを識別するための手段とを含み得る。
【００２４】
ネットワークアクセスデバイスにおけるワイヤレス通信のためのコンピュータ実行可能コードを記憶する非一時的コンピュータ可読媒体が説明される。コードは、プロセッサによって、UEの第1のセットの中の少なくとも1つのUE用のリソースの少なくとも1つの専用セットを識別することであって、ネットワークアクセスデバイスが、UEの第1のセットの中の各UE用のネットワークアクセスデバイスの監視セットのメンバーであることと、リソースの少なくとも1つの専用セット上でUEの第1のセットから受信されたパイロット信号の第1のセット、およびリソースの共通セットを使用してUEの第2のセットから受信されたパイロット信号の第2のセットを、測定することと、パイロット信号の第1のセットおよびパイロット信号の第2のセットの測定値に少なくとも部分的に基づいて、ネットワークアクセスデバイスがそのためのサービングセルとして動作するUEの第3のセットを識別することとを行うように実行可能であり得る。
【００２５】
方法、装置、または非一時的コンピュータ可読媒体のいくつかの例では、UEの第3のセットは、UEの第1のセットの中の少なくとも1つのUE、もしくはUEの第2のセットの中の少なくとも1つのUE、またはそれらの組合せを含み得る。
【００２６】
方法、装置、または非一時的コンピュータ可読媒体のいくつかの例は、専用キープアライブ信号をUEの第1のセットとUEの第3のセットの両方のメンバーである各UEへ送信すること、もしくは共通キープアライブ信号をUEの第2のセットとUEの第3のセットの両方のメンバーである各UEへ送信すること、またはそれらの組合せを行うための動作、機能、手段、または命令を含み得る。
【００２７】
方法、装置、または非一時的コンピュータ可読媒体のいくつかの例は、リソースの共通セット上でUEから受信されたパイロット信号が少なくとも1つのしきい値を満たすかどうかを決定し、パイロット信号が少なくとも1つのしきい値を満たすと決定すると、リソースの共通セットを使用してキープアライブ信号をUEへ送信するための動作、機能、手段、または命令を含み得る。
【００２８】
方法、装置、または非一時的コンピュータ可読媒体のいくつかの例は、UEの第1のセットとUEの第3のセットの両方のメンバーであるUEのための再構成メッセージを別のネットワークアクセスデバイスから受信することであって、再構成メッセージが、ネットワークアクセスデバイスから異なるネットワークアクセスデバイスへのUEのハンドオーバの後にUEによって使用されるべきリソースの再構成された専用セットを識別することと、再構成メッセージをUEに転送することとを行うための動作、機能、手段、または命令を含み得る。
【００２９】
方法、装置、または非一時的コンピュータ可読媒体のいくつかの例は、ネットワークアクセスデバイスにハンドオーバされつつあるUEのための再構成メッセージを別のネットワークアクセスデバイスから受信することであって、再構成メッセージが、ネットワークアクセスデバイスへのUEのハンドオーバの後にUEによって使用されるべきリソースの再構成された専用セットを識別することと、再構成メッセージをUEに転送することと、UEの第1のセットおよびUEの第3のセットにUEを追加することとを行うための動作、機能、手段、または命令を含み得る。
【００３０】
方法、装置、または非一時的コンピュータ可読媒体のいくつかの例は、ネットワークアクセスデバイスにハンドオーバされているUEから再構成完了メッセージを受信し、再構成完了メッセージを別のネットワークアクセスデバイスに転送するための動作、機能、手段、または命令を含み得る。
【００３１】
方法、装置、または非一時的コンピュータ可読媒体のいくつかの例は、パイロット信号の第1のセットの測定値のうちの少なくとも1つ、またはパイロット信号の第2のセットの測定値のうちの少なくとも1つを、別のネットワークアクセスデバイスへ送信し、UEの第3のセットに対する更新を他のネットワークアクセスデバイスから受信するための動作、機能、手段、または命令を含み得る。
【００３２】
方法、装置、または非一時的コンピュータ可読媒体のいくつかの例は、周期的測定値報告基準またはイベント駆動型測定値報告基準に少なくとも部分的に基づいて、パイロット信号の第1のセットの測定値のうちの少なくとも1つ、またはパイロット信号の第2のセットの測定値のうちの少なくとも1つを選択するための動作、機能、手段、または命令を含み得る。
【００３３】
方法、装置、または非一時的コンピュータ可読媒体のいくつかの例は、パイロット信号の第1のセットまたはパイロット信号の第2のセットの追加の測定値を少なくとも1つの他のネットワークアクセスデバイスから受信するための動作、機能、手段、または命令を含み得、UEの第3のセットを識別することは、追加の測定値に少なくとも部分的に基づく。
【００３４】
方法、装置、または非一時的コンピュータ可読媒体のいくつかの例は、UEの第1のセットに対する更新を別のネットワークアクセスデバイスから受信するための動作、機能、手段、または命令を含み得る。
【００３５】
方法、装置、または非一時的コンピュータ可読媒体のいくつかの例では、ネットワークアクセスデバイスは分散ユニットを含む。
【００３６】
ワイヤレス通信のための方法が説明される。方法は、ネットワークに接続されている間に第1の無線リソース構成で動作中のUEの第1のセットによって送信されたパイロット信号の第1のセットの測定値、およびネットワークに接続されている間に第2の無線リソース構成で動作中のUEの第2のセットによって送信されたパイロット信号の第2のセットの測定値を、複数のセルのうちの各セルから受信するステップと、UEの第1のセットの中の各UEおよびUEの第2のセットの中の各UEに対して、測定値に少なくとも部分的に基づいてそれぞれのUE用のサービングセルを識別するステップと、UEの第1のセットの中の各UEに対して、それぞれのUEによって送信されるパイロット信号を求めて監視すべきセルの監視セットを識別するステップと、それぞれのセルがそのためのサービングセルであるUEの第1のセット、およびそれぞれのセルがそのためのセルの監視セットのメンバーであるUEの第2のセットを、各セルに示すステップとを含み得る。
【００３７】
ワイヤレス通信のための装置が説明される。装置は、プロセッサと、プロセッサと電子通信しているメモリとを含み得る。プロセッサおよびメモリは、ネットワークに接続されている間に第1の無線リソース構成で動作中のUEの第1のセットによって送信されたパイロット信号の第1のセットの測定値、およびネットワークに接続されている間に第2の無線リソース構成で動作中のUEの第2のセットによって送信されたパイロット信号の第2のセットの測定値を、複数のセルのうちの各セルから受信し、UEの第1のセットの中の各UEおよびUEの第2のセットの中の各UEに対して、測定値に少なくとも部分的に基づいてそれぞれのUE用のサービングセルを識別し、UEの第1のセットの中の各UEに対して、それぞれのUEによって送信されるパイロット信号を求めて監視すべきセルの監視セットを識別し、それぞれのセルがそのためのサービングセルであるUEの第1のセット、およびそれぞれのセルがそのためのセルの監視セットのメンバーであるUEの第2のセットを、各セルに示すように構成され得る。
【００３８】
ワイヤレス通信のための別の装置が説明される。装置は、ネットワークに接続されている間に第1の無線リソース構成で動作中のUEの第1のセットによって送信されたパイロット信号の第1のセットの測定値、およびネットワークに接続されている間に第2の無線リソース構成で動作中のUEの第2のセットによって送信されたパイロット信号の第2のセットの測定値を、複数のセルのうちの各セルから受信するための手段と、UEの第1のセットの中の各UEおよびUEの第2のセットの中の各UEに対して、測定値に少なくとも部分的に基づいてそれぞれのUE用のサービングセルを識別するための手段と、UEの第1のセットの中の各UEに対して、それぞれのUEによって送信されるパイロット信号を求めて監視すべきセルの監視セットを識別するための手段と、それぞれのセルがそのためのサービングセルであるUEの第1のセット、およびそれぞれのセルがそのためのセルの監視セットのメンバーであるUEの第2のセットを、各セルに示すための手段とを含み得る。
【００３９】
ワイヤレス通信のためのコンピュータ実行可能コードを記憶する非一時的コンピュータ可読媒体が説明される。コードは、プロセッサによって、ネットワークに接続されている間に第1の無線リソース構成で動作中のUEの第1のセットによって送信されたパイロット信号の第1のセットの測定値、およびネットワークに接続されている間に第2の無線リソース構成で動作中のUEの第2のセットによって送信されたパイロット信号の第2のセットの測定値を、複数のセルのうちの各セルから受信し、UEの第1のセットの中の各UEおよびUEの第2のセットの中の各UEに対して、測定値に少なくとも部分的に基づいてそれぞれのUE用のサービングセルを識別し、UEの第1のセットの中の各UEに対して、それぞれのUEによって送信されるパイロット信号を求めて監視すべきセルの監視セットを識別し、それぞれのセルがそのためのサービングセルであるUEの第1のセット、およびそれぞれのセルがそのためのセルの監視セットのメンバーであるUEの第2のセットを、各セルに示すように実行可能であり得る。
【００４０】
方法、装置、または非一時的コンピュータ可読媒体のいくつかの例では、第1の無線リソース構成は、リソースの専用セットを使用してパイロット信号を送信することに関連し得、第2の無線リソース構成は、リソースの共通セットを使用してパイロット信号を送信することに関連し得る。
【００４１】
方法、装置、または非一時的コンピュータ可読媒体のいくつかの例では、第1の無線リソース構成、もしくは第2の無線リソース構成、またはその両方は、RRC構成を備える。
【００４２】
方法、装置、または非一時的コンピュータ可読媒体のいくつかの例は、UEの第1のセットの中のUE用のサービングセルの変更を識別し、サービングセルの変更を識別すると、UEのためのサービングセル変更プロシージャを開始するための動作、機能、手段、または命令を含み得る。
【００４３】
方法、装置、または非一時的コンピュータ可読媒体のいくつかの例では、サービングセル変更プロシージャを開始することは、UEのための再構成メッセージをUE用のソースサービングセルを通じてUEへ送信するための動作、機能、手段、または命令を含み得、再構成メッセージは、ターゲットサービングセルへのUEのハンドオーバの後にUEによって使用されるべきリソースの専用セットを識別する。
【００４４】
方法、装置、または非一時的コンピュータ可読媒体のいくつかの例では、サービングセル変更プロシージャを開始することは、UEのための再構成メッセージをUE用のターゲットサービングセルを通じてUEへ送信するための動作、機能、手段、または命令を含み得、再構成メッセージは、ターゲットサービングセルへのUEのハンドオーバの後にUEによって使用されるべきリソースの専用セットを識別する。
【００４５】
方法、装置、または非一時的コンピュータ可読媒体のいくつかの例では、UEによって送信されるパイロット信号を求めて監視すべきセルの監視セットを識別することは、UEによって送信された少なくとも1つのパイロット信号の測定値、もしくはUE用の識別されたサービングセルのロケーション、またはそれらの組合せに少なくとも部分的に基づき得る。
【００４６】
上記のことは、以下の発明を実施するための形態がより良く理解され得るように、本開示による例の技法および技術的利点をかなり広く概説している。追加の技法および利点が以下で説明される。開示する概念および具体例は、本開示の同じ目的を実行するための他の構造を修正または設計するための基礎として容易に利用され得る。そのような均等な構成は、添付の特許請求の範囲から逸脱しない。本明細書で開示する概念の特徴、それらの編成と動作方法の両方が、関連する利点とともに、添付の図に関して検討されると以下の説明からより良く理解されよう。図の各々は、例示および説明のために提供され、特許請求の範囲の限定の定義として提供されるものではない。
【００４７】
本発明に関連する方法、装置、および非一時的コンピュータ可読媒体の性質および利点のさらなる理解が、以下の図面を参照することによって実現され得る。添付の図面において、類似の構成要素または機能は、同じ参照符号を有することがある。さらに、同じタイプの様々な構成要素は、参照符号の後に、ダッシュと、類似の構成要素を区別する第2の符号とを続けることによって、区別されることがある。第1の参照符号のみが本明細書において使用される場合、説明は、第2の参照符号にかかわらず、同じ第1の参照符号を有する類似の構成要素のうちのいずれにも適用可能である。
【図面の簡単な説明】
【００４８】
【図１】本開示の様々な態様による、アップリンクベースモビリティをサポートするワイヤレス通信システムの一例を示す図である。
【図２】本開示の様々な態様による、アップリンクベースモビリティをサポートするネットワークにおいて実行され得る動作のタイムラインの一例を示す図である。
【図３】本開示の様々な態様による、アップリンクベースモビリティをサポートするワイヤレス通信システムの一例を示す図である。
【図４】本開示の様々な態様による、アップリンクベースモビリティをサポートするワイヤレス通信システムの一例を示す図である。
【図５】本開示の様々な態様による、アップリンクベースモビリティをサポートする通信プロトコルスタックを実装するための例を示す図である。
【図６】本開示の様々な態様による、アップリンクベースモビリティをサポートする通信フローの例を示す図である。
【図７】本開示の様々な態様による、アップリンクベースモビリティをサポートする通信フローの例を示す図である。
【図８】本開示の様々な態様による、アップリンクベースモビリティをサポートする通信フローの例を示す図である。
【図９】本開示の様々な態様による、アップリンクベースモビリティをサポートする通信フローの例を示す図である。
【図１０】本開示の様々な態様による、アップリンクベースモビリティをサポートする装置のブロック図である。
【図１１】本開示の様々な態様による、アップリンクベースモビリティをサポートするUEワイヤレス通信マネージャのブロック図である。
【図１２】本開示の様々な態様による、アップリンクベースモビリティをサポートする装置のブロック図である。
【図１３】本開示の様々な態様による、アップリンクベースモビリティをサポートする送信/受信通信マネージャのブロック図である。
【図１４】本開示の様々な態様による、アップリンクベースモビリティをサポートする装置のブロック図である。
【図１５】本開示の様々な態様による、アップリンクベースモビリティをサポートするアクセスノード通信マネージャのブロック図である。
【図１６】本開示の様々な態様による、アップリンクベースモビリティをサポートするUEのブロック図である。
【図１７】本開示の様々な態様による、アップリンクベースモビリティをサポートするネットワークアクセスデバイスのブロック図である。
【図１８】本開示の様々な態様による、アップリンクベースモビリティをサポートするネットワークアクセスデバイスのブロック図である。
【図１９】本開示の様々な態様による、アップリンクベースモビリティをサポートする多入力多出力(MIMO)通信システムのブロック図である。
【図２０】本開示の様々な態様による、UEにおいてアップリンクベースモビリティをサポートする方法の例を示すフローチャートである。
【図２１】本開示の様々な態様による、UEにおいてアップリンクベースモビリティをサポートする方法の例を示すフローチャートである。
【図２２】本開示の様々な態様による、ネットワークアクセスデバイスにおいてアップリンクベースモビリティをサポートする方法の例を示すフローチャートである。
【図２３】本開示の様々な態様による、ネットワークアクセスデバイスにおいてアップリンクベースモビリティをサポートする方法の例を示すフローチャートである。
【図２４】本開示の様々な態様による、ネットワークアクセスデバイスにおいてアップリンクベースモビリティをサポートする方法の例を示すフローチャートである。
【図２５】本開示の様々な態様による、ネットワークアクセスデバイスにおいてアップリンクベースモビリティをサポートする方法の例を示すフローチャートである。
【図２６】本開示の様々な態様による、ネットワークアクセスデバイスにおいてアップリンクベースモビリティをサポートする方法の例を示すフローチャートである。
【発明を実施するための形態】
【００４９】
アップリンクベースモビリティが提供される技法が説明される。技法は、リソースの専用セットを使用してパイロットを送信することに関連する構成(たとえば、無線リソース制御(RRC)専用状態など)、またはリソースの共通セットを使用してパイロットを送信することに関連する構成(たとえば、RRC共通状態など)を含む、様々な無線リソース構成においてUEが動作することを可能にし得る。RRC専用状態において動作するとき、UEは、パイロット信号をネットワークへ送信するために、リソースの専用セットを選択し得る。RRC共通状態において動作するとき、UEは、パイロット信号をネットワークへ送信するために、リソースの共通セットを選択し得る。いずれの場合も、UEによって送信されるパイロット信号は、アクセスノード(AN:access node)もしくは分散ユニット(DU:distributed unit)、またはそれらの部分などの、1つまたは複数のネットワークアクセスデバイスによって受信され得る。各受信ネットワークアクセスデバイスは、リソースの共通セット上で送信されるパイロット信号を受信および測定するとともに、ネットワークアクセスデバイスがそのためのネットワークアクセスデバイスの監視セットのメンバーであるUEに割り振られたリソースの専用セット上で送信されるパイロット信号も、受信および測定するように構成され得る。受信ネットワークアクセスデバイスのうちの1つもしくは複数、または受信ネットワークアクセスデバイスがパイロット信号の測定値を送信する先の中央ユニット(CU:central unit)は、UE用のサービングセルを識別するために、またはUEのうちの1つもしくは複数のためのサービングセルの変更を開始するために、測定値を使用し得る。
【００５０】
以下の説明は例を提供し、特許請求の範囲に記載される範囲、適用可能性、または例を限定するものではない。本開示の範囲から逸脱することなく、説明する要素の機能および構成に変更が加えられてよい。様々な例は、様々な手順または構成要素を適宜に省略してよく、置換してよく、または追加してよい。たとえば、説明する方法は、説明する順序とは異なる順序で実行されてよく、様々なステップが追加されてよく、省略されてよく、または組み合わせられてよい。また、いくつかの例に関して説明する特徴が、いくつかの他の例では組み合わせられてよい。
【００５１】
図1は、本開示の様々な態様による、アップリンクベースモビリティをサポートするワイヤレス通信システム100の一例を示す。ワイヤレス通信システム100は、ネットワークアクセスデバイス105を含み得、ネットワークアクセスデバイス105は、AN105-a、CU105-b、および/またはDU105-cを含み得る。AN105-aの各々は、ニューラジオ基地局(NR BS)、ニューラジオノードB(NR NB)、ネットワークノード(NN:network node)などの一例であってよい。CU105-bの各々は、中央ノード(CN)、アクセスノードコントローラ(ANC)などの一例であってよい。DU105-cの各々は、エッジノード(EN)、エッジユニット(EU)、ラジオヘッド(RH)、スマートラジオヘッド(SRH)、送信および受信ポイント(TRP)などの一例であってよい。ワイヤレス通信システム100はまた、UE115およびコアネットワーク130を含み得る。コアネットワーク130は、ユーザ認証、アクセス許可、トラッキング、インターネットプロトコル(IP)接続性、および他のアクセス機能、ルーティング機能、またはモビリティ機能を提供し得る。ネットワークアクセスデバイス105(たとえば、AN105-a、CU105-bなど)のうちの少なくともいくつかは、バックホールリンク132(たとえば、S1、S2など)を通じてコアネットワーク130とインターフェースし得、UE115との通信のための無線構成およびスケジューリングを実行し得る。
【００５２】
様々な例では、CU105-bは、有線通信リンクまたはワイヤレス通信リンクであってよいバックホールリンク134(たとえば、X1、X2など)を介して、直接的にまたは間接的に(たとえば、コアネットワーク130を通じて)のいずれかで互いに通信し得る。各CU105-bはまた、DU105-cなどのいくつかの分散ネットワークアクセスデバイスを通じて、いくつかのUE115と通信し得る。DU105-cは、たとえば、無線周波数(RF)構成要素(たとえば、少なくとも1つのトランシーバ)およびモデムを含み得る。ワイヤレス通信システム100のいくつかの構成では、CU105-bの機能性は、DU105-cによって提供されてよく、またはAN105-aのDU105-cにわたって分散されてよい。ワイヤレス通信システム100のいくつかの構成では、DU105-cは基地局と置き換えられてよく、CU105-bは基地局コントローラ(すなわち、コアネットワーク130へのリンク)によって置き換えられてよい。
【００５３】
CU105-bは、各DU105-cが1つまたは複数のアンテナを有して、1つまたは複数のDU105-cを経由してUE115とワイヤレス通信し得る。DU105-cの各々は、それぞれの地理的カバレージエリア110-bに通信カバレージを提供し得、CU105-bに関連付けられた1つまたは複数のリモートトランシーバを提供し得る。いくつかの例では、AN105-aは、地理的カバレージエリア110-aなどの地理的カバレージエリアに関連し得、地理的カバレージエリア110-aは、適用可能な場合、AN105-aのDU105-cに関連する地理的カバレージエリア110-bの集合から形成され得る。DU105-cは、LTE/LTE-A基地局の機能のうちの多くを実行し得る。いくつかの例では、CU105-bは、CU105-bの一部分が各DU105-cの中に設けられて、分散された形態で実装され得る。AN105-aのための地理的カバレージエリア110-aまたはDU105-cのための地理的カバレージエリア110-bは、カバレージエリアの一部分のみを構成するセクタに分割され得る(図示せず)。いくつかの例では、ネットワークアクセスデバイス105は、基地トランシーバ局、無線基地局、アクセスポイント、無線トランシーバ、ノードB、eノードB(eNB)、ホームノードB、ホームeノードB、NR BS、NR NBなどの、代替ネットワークアクセスデバイスと置き換えられてよい。ワイヤレス通信システム100は、異なるタイプ(たとえば、マクロセルネットワークアクセスデバイスおよび/またはスモールセルネットワークアクセスデバイス)のDU105-c(または、基地局もしくは他のネットワークアクセスデバイス)を含み得る。AN105-aの地理的カバレージエリア110-a、またはDU105-cもしくは他のネットワークアクセスデバイスの地理的カバレージエリア110-bは、重複してよい。いくつかの例では、異なるネットワークアクセスデバイス105は、異なる無線アクセス技術に関連してよい。
【００５４】
様々な例では、ワイヤレス通信システム100は、5Gネットワーク、LTE/LTE-Aネットワーク、またはそれらの組合せを含み得る。ワイヤレス通信システム100は、場合によっては、異なるタイプのANが様々な地理的領域にカバレージを提供する異種ネットワークであってよい。たとえば、各AN105-aまたは各DU105-cは、マクロセル用、スモールセル用、および/または他のタイプのセル用の通信カバレージを提供し得る。「セル」という用語は、コンテキストに応じて、ネットワークアクセスデバイス105(たとえば、AN105-a、CU105-bなどの集中ネットワークアクセスデバイス、DU105-cなどの分散ネットワークアクセスデバイスなど)、ネットワークアクセスデバイス105に関連するキャリアもしくはコンポーネントキャリア、またはキャリアもしくはネットワークアクセスデバイスのカバレージエリア(たとえば、セクタなど)を表すために使用され得る。
【００５５】
マクロセルは、比較的大きい地理的エリア(たとえば、半径数キロメートル)をカバーし得、ネットワークプロバイダのサービスに加入しているUE115による無制限アクセスを可能にし得る。スモールセルは、マクロセルと比較して低電力のDUまたは基地局を含み得、マクロセルと同じまたは異なる周波数帯域の中で動作し得る。スモールセルは、様々な例によれば、ピコセル、フェムトセル、およびマイクロセルを含み得る。ピコセルは、比較的小さい地理的エリアをカバーし得、ネットワークプロバイダのサービスに加入しているUE115による無制限アクセスを可能にし得る。フェムトセルも、比較的小さい地理的エリア(たとえば、自宅)をカバーし得、フェムトセルとの関連付けを有するUE115(たとえば、限定加入者グループ(CSG:closed subscriber group)の中のUE、自宅の中のユーザ用のUEなど)による制限付きアクセスを提供し得る。マクロセル用のANは、マクロAN(たとえば、マクロeNBなど)と呼ばれることがある。スモールセル用のANは、スモールセルAN、ピコAN、フェムトAN、またはホームAN(たとえば、スモールセルeNB、ピコeNB、フェムトeNB、ホームeNBなど)と呼ばれることがある。ANは、1つまたは複数(たとえば、2つ、3つ、4つなど)のセル(たとえば、コンポーネントキャリア)をサポートし得る。
【００５６】
ワイヤレス通信システム100は、同期動作または非同期動作をサポートし得る。同期動作の場合、AN105-aおよび/またはDU105-cは、類似のフレームタイミングを有してよく、異なるAN105-aおよび/またはDU105-cからの送信は、時間的にほぼ位置合わせされ得る。非同期動作の場合、AN105-aおよび/またはDU105-cは、異なるフレームタイミングを有してよく、異なるAN105-aおよび/またはDU105-cからの送信は、時間的に位置合わせされないことがある。本明細書で説明する技法は、同期動作または非同期動作のいずれかのために使用され得る。
【００５７】
開示する様々な例のうちのいくつかに適応し得る通信ネットワークは、階層化プロトコルスタックに従って動作するパケットベースネットワークであってよい。ユーザプレーンでは、ベアラまたはパケットデータコンバージェンスプロトコル(PDCP:Packet Data Convergence Protocol)レイヤにおける通信は、IPベースであってよい。無線リンク制御(RLC:Radio Link Control)レイヤは、場合によっては、論理チャネルを介して通信するために、パケットのセグメント化および再アセンブリを実行し得る。媒体アクセス制御(MAC)レイヤは、優先度処理、およびトランスポートチャネルへの論理チャネルの多重化を実行し得る。MACレイヤはまた、MACレイヤにおける再送信を行ってリンク効率を改善するために、ハイブリッドARQ(HARQ)を使用し得る。制御プレーンでは、無線リソース制御(RRC)プロトコルレイヤが、ユーザプレーンデータのための無線ベアラをサポートする、UE115とDU105-c、CU105-b、AN105-a、またはコアネットワーク130との間でのRRC接続の確立、構成、および保守を行い得る。物理(PHY)レイヤにおいて、トランスポートチャネルは、物理チャネルにマッピングされ得る。
【００５８】
UE115は、ワイヤレス通信システム100全体にわたって分散されてよく、各UE115は、固定またはモバイルであってよい。UE115はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、もしくは何らかの他の好適な用語を含んでよく、またはそのように当業者によって呼ばれることがある。UE115は、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、ワイヤレスローカルループ(WLL)局、インターネットオブエブリシング(IoE:Internet of Everything)デバイス、またはワイヤレス通信インターフェースを有する他の電子デバイスであってよい。UEは、マクロAN、スモールセルAN、中継基地局などを含む、様々なタイプのAN105-a、DU105-c、基地局、アクセスポイント、または他のネットワークアクセスデバイスと通信できる場合がある。UEはまた、(たとえば、ピアツーピア(P2P:peer-to-peer)プロトコルを使用して)他のUEと直接通信できる場合がある。
【００５９】
ワイヤレス通信システム100に示す通信リンク125は、UE115からDU105-cもしくはAN105-aへのアップリンク(UL)チャネル、および/またはDU105-cもしくはAN105-aからUE115へのダウンリンク(DL)チャネルを含み得る。ダウンリンクチャネルは、順方向リンクチャネルと呼ばれることもあり、アップリンクチャネルは、逆方向リンクチャネルと呼ばれることもある。
【００６０】
UE115のうちの1つまたは複数は、UEワイヤレス通信マネージャ1020を含み得る。いくつかの例では、UEワイヤレス通信マネージャ1020は、UE115が、ワイヤレス通信システム100によって規定されるネットワークとの接続モードにある間に、UE115の無線リソース構成を識別するために使用され得る。いくつかの例では、UE115の無線リソース構成を識別することは、リソースの専用セット(たとえば、RRC専用状態など)またはリソースの共通セット(たとえば、RRC共通状態など)を使用してパイロットを送信することに関連する無線リソース構成でUEが動作しているかどうかを識別することを含み得る。UEワイヤレス通信マネージャ1020はまた、識別された無線リソース構成に少なくとも部分的に基づいて、UE115用のリソースの専用セットまたはリソースの共通セットを選択するために、かつリソースの選択されたセットを使用してパイロット信号をネットワークへ(たとえば、DU105-c、AN105-aなどへ)送信するために使用され得る。いくつかの例では、UEワイヤレス通信マネージャ1020は、図10、図11、図16、または図19を参照しながら説明するUEワイヤレス通信マネージャ1020の一例であってよい。
【００６１】
ネットワークアクセスデバイス105(たとえば、1つまたは複数のAN105-a、1つまたは複数のDU105-cなど)のうちの1つまたは複数は、送信/受信通信マネージャ1220を含み得る。いくつかの例では、送信/受信通信マネージャ1220は、UEの第1のセットの中の少なくとも1つのUE用のリソースの少なくとも1つの専用セットを識別するために使用され得る。送信/受信通信マネージャ1220を含むネットワークアクセスデバイス105は、UEの第1のセットの中の各UE用のネットワークアクセスデバイス105の監視セットのメンバーであり得る。送信/受信通信マネージャ1220はまた、リソースの専用セットを使用してUEの第1のセットから受信されたパイロット信号の第1のセット、およびリソースの共通セットを使用してUEの第2のセットから受信されたパイロット信号の第2のセットを測定するために使用され得る。送信/受信通信マネージャ1220は、その後、パイロット信号の第1のセットおよびパイロット信号の第2のセットの測定値に少なくとも部分的に基づいて、ネットワークアクセスデバイス105がそのためのサービングセルとして動作するUEの第3のセットを識別し得る。いくつかの例では、送信/受信通信マネージャ1220は、図12、図13、図17、または図19を参照しながら説明する送信/受信通信マネージャ1220の態様の一例であってよい。
【００６２】
ネットワークアクセスデバイス105(たとえば、1つまたは複数のAN105-a、1つまたは複数のCU105-bなど)のうちの1つまたは複数は、アクセスノード通信マネージャ1420を含み得る。いくつかの例では、アクセスノード通信マネージャ1420は、ネットワーク(たとえば、ワイヤレス通信システム100によって規定されるネットワーク)に接続されている間に第1の無線リソース構成で動作中のユーザUEの第1のセットによって送信されたパイロット信号の第1のセットの測定値、およびネットワークに接続されている間に第2の無線リソース構成で動作中のUEの第2のセットによって送信されたパイロット信号の第2のセットの測定値を、複数のセルのうちの各セルから受信するために使用され得る。第1の無線リソース構成は、リソースの専用セットを使用してUEがパイロット信号を送信することに関連してよく(たとえば、RRC専用状態)、第2の無線リソース構成は、リソースの共通セットを使用してUEがパイロット信号を送信することに関連してよい(たとえば、RRC共通状態)。アクセスノード通信マネージャ1420はまた、UEの第1のセットの中の各UEおよびUEの第2のセットの中の各UEに対して、測定値に少なくとも部分的に基づいてそれぞれのUE用のサービングセルを識別するために使用され得る。アクセスノード通信マネージャ1420はまた、UEの第1のセットの中の各UEに対して、それぞれのUEによって送信されるパイロット信号を求めて監視すべきセルの監視セットを識別するために使用され得る。いくつかの例では、アクセスノード通信マネージャ1420は、それぞれのセルがそのためのサービングセルであるUEの第1のセット、およびそれぞれのセルがそのためのセルの監視セットのメンバーであるUEの第2のセットを、各セルに示し得る。いくつかの例では、アクセスノード通信マネージャ1420は、図14、図15、図18、または図19を参照しながら説明するアクセスノード通信マネージャ1420の一例であってよい。
【００６３】
各通信リンク125は、1つまたは複数のキャリアを含んでよく、ここで、各キャリアは、1つまたは複数の無線アクセス技術に従って変調された複数のサブキャリアまたはトーン(たとえば、異なる周波数の波形信号)から構成される信号であり得る。各被変調信号は、異なるサブキャリア上で送られてよく、制御情報(たとえば、基準信号、制御チャネルなど)、オーバーヘッド情報、ユーザデータなどを搬送し得る。通信リンク125は、(たとえば、ペアにされたスペクトルリソースを使用する)周波数分割複信(FDD)技法、または(たとえば、ペアにされていないスペクトルリソースを使用する)時分割複信(TDD)技法を使用して、双方向通信を送信し得る。FDD用のフレーム構造(たとえば、フレーム構造タイプ1)およびTDD用のフレーム構造(たとえば、フレーム構造タイプ2)が規定され得る。
【００６４】
ワイヤレス通信システム100のいくつかの例では、AN105-a、DU105-c、および/またはUE115は、アンテナダイバーシティ方式を採用してAN105-a、DU105-c、およびUE115の間の通信品質および信頼性を改善するために、複数のアンテナを含み得る。追加または代替として、AN105-a、DU105-c、および/またはUE115は、同じまたは異なるコード化データを搬送する複数の空間レイヤを送信するためにマルチパス環境を利用し得る、多入力多出力(MIMO)技法を採用し得る。いくつかの例では、指向性送信のための、複数のDU105-cによる送信のビームフォーミング、および/または指向性受信のための、複数のDU105-cにおいて受信される信号のプリコーディングに関連する技法などの、指向性送信技法および/または指向性受信技法をサポートするように、2つ以上のDU105-cが協働して構成され得る。
【００６５】
ワイヤレス通信システム100は、複数のセル上またはキャリア上での動作、すなわち、キャリアアグリゲーション(CA:carrier aggregation)またはマルチキャリア動作と呼ばれることがある機能をサポートし得る。キャリアは、コンポーネントキャリア(CC:component carrier)、レイヤ、チャネルなどと呼ばれることもある。「キャリア」、「コンポーネントキャリア」、「セル」、および「チャネル」という用語は、本明細書で互換的に使用され得る。UE115は、キャリアアグリゲーションのために、複数のダウンリンクCCおよび1つまたは複数のアップリンクCCを用いて構成され得る。キャリアアグリゲーションは、FDDコンポーネントキャリアとTDDコンポーネントキャリアの両方を用いて使用され得る。
【００６６】
図2は、本開示の様々な態様による、アップリンクベースモビリティをサポートするネットワークにおいて実行され得る動作のタイムライン200の一例を示す。動作は、ネットワークアクセスデバイス105-d(たとえば、AN105-a、CU105-b、DU105-cなど)、およびネットワークアクセスデバイス105によってサービスされるUE115-aによって実行され得る。いくつかの例では、サービングネットワークアクセスデバイス105-dは、分散ネットワークアクセスデバイスであってよく、図1を参照しながら説明したDU105-cのうちの1つまたは複数の態様の一例であってよい。UE115-aは、図1を参照しながら説明したUE115のうちの1つまたは複数の態様の一例であってよい。
【００６７】
タイムライン200に示すように、サービングネットワークアクセスデバイス105-dは、同期信号205をブロードキャストし得る。同期信号205は、ネットワーク内の複数のセルに共通(たとえば、セル固有でない、UE固有でないなど)であってよく、単一周波数ネットワーク(SFN:single frequency network)方式で複数のセルから(たとえば、複数のDUから)ブロードキャストされてよい。同期信号205は、セル識別子を含む必要がない。いくつかの例では、同期信号205は周期信号であってよい。様々な例では、同期信号205は、持続時間が比較的短くてよく、または比較的頻度が低く送信されてよい。たとえば、同期信号205は、持続時間が1シンボルであってよく、10秒ごとに1回送信されてよい。他の例では、同期信号205は、無線フレーム当り1回のようにもっと頻繁に送信されてよい。いくつかの例では、同期信号205は、4〜6ビットの情報などの、いくつかのビットの情報を搬送し得る。いくつかの例では、同期信号205は、システム情報要求(たとえば、システム情報ブロック(SIB:system information block)要求)構成情報を含み得る。システム情報要求構成情報は、いくつかの例では、SIB要求帯域幅の表示、SIB要求タイミング(たとえば、スロット/シンボルタイミング)の表示、またはネットワークアクセス禁止情報(たとえば、特定のタイプのUEがSIB要求を送信しないことがある時間の表示)のうちの少なくとも1つを含み得る。いくつかの例では、同期信号205は、もっと動的であってよく、たとえば、ガードを有する同期チャネル上でブロードキャストされてよい。
【００６８】
UE115-aは、同期信号205を受信し得、同期信号205に基づいてネットワークのタイミングを捕捉し得る。ネットワークのタイミングの捕捉に応答して、UE115-aは、パイロット信号(または、UEチャープ)210を送信し得る。パイロット信号210は、ネットワーク内の複数のセル(たとえば、複数のDU)によって並行して受信可能であり得る。いくつかの例では、セルの「ゾーン」内のセルは同期されてよく、その結果、UE115-aは複数のパイロット信号を送信する必要がなく、ゾーン内のセルはすべて同じパイロット信号を受信し得る。いくつかの例では、パイロット信号210は、空間シグネチャ(たとえば、サウンディング基準信号(SRS:sounding reference signal))を含み得る。DUは、場合によっては、SRSを受信するための大きいアップリンク空間多重化容量を有することがある。いくつかの例では、パイロット信号210は、同期信号とともに受信されるシステム情報要求構成情報によって示されるSIB要求機会(すなわち、共通リソースのセット)において送信され得る。いくつかの例では、パイロット信号210は、事前決定されたランダムシーケンス、またはUE115-aによって生成されるランダムシーケンスを用いて送信されてよく、そのランダムシーケンスは、初期捕捉中にUE115-aを一時的に識別するためにネットワーク(たとえば、DU)によって使用可能であり得る。
【００６９】
パイロット信号210のインスタンスの送信に続いて、UE115-aは、ネットワークからの送信(たとえば、UE115-aのためのオンデマンドシステム情報、UE115-aのためのアップリンク割振り、UE115-aのための電力制御メッセージ、またはUE115-aのためのタイミングアドバンスメッセージの、DUからの送信)を求めてリッスンし得る。いくつかの例では、UE115-aは、リスニングウィンドウ215の間、送信を求めてリッスンし得る。UE115-aがリスニングウィンドウ215の間に送信を受信しないとき、UE115-aは、次のリスニングウィンドウ215までUE115-aの受信機を低電力状態またはオフ状態に遷移させてよく、そのことは電力を温存し得る。
【００７０】
1つまたは複数のネットワークアクセスデバイス105(たとえば、AN105-a、DU105-cなど)は、ネットワークへの初期アクセスのために、パイロット信号210を受信し得、パイロット信号210を測定し得る。UE115-a用のサービングセルは、受信ネットワークアクセスデバイス105のうちの1つもしくは複数によって、または受信ネットワークアクセスデバイス105と通信しているCU105-bによって、パイロット信号210の測定値に少なくとも部分的に基づいて選択され得る。たとえば、いくつかの受信DU105-cの各々は、パイロット信号(PS)210の信号強度または電力(PPS)を測定し得、UE115-a用のサービングDU(または、サービングセル)は、
【００７１】
【数１】
2019508937.tif 000003
【００７２】
などの関数に基づいて選択されてよく、ただし、
【００７３】
【数２】
2019508937.tif 000004
【００７４】
はサービングセルiの測定電力であり、ここで、UE115-aのために選択されるサービングセルは、パイロット信号210を最大電力で受信するサービングセルである。したがって、サービングセル選択は、ネットワーク側において(少なくとも一次的に)処理され、UE115-aによって実行される測定またはUE115-aによって管理されるプロセスの数が低減され得る。
【００７５】
データ到達220によって示される、ネットワークがUE115-aへ送信すべき情報を有するとき、UE用のサービングネットワークアクセスデバイス105-dは、ユニキャストページング信号225をUE115-aへ送信し得る。いくつかの例では、ユニキャストページング信号225は、UE115-aのためのオンデマンドシステム情報(たとえば、オンデマンドSIBまたはオンデマンドMIB)、UE115-aのためのアップリンク割振り、UE115-aのための電力制御メッセージ、またはUE115-aのためのタイミングアドバンスメッセージとともに送信され得る。いくつかの例では、ネットワークアクセスデバイス105-dは、マルチキャストページング信号を使用して複数のUEとの通信を開始し得る。ページング信号(たとえば、ユニキャストページング信号225)の受信に続いて、UE115-aは、いくつかの例では、その現在のリスニングウィンドウ215の持続時間を増大させてよく、いくつかの例では、無線リソース制御(RRC)接続要求230をそのサービングネットワークアクセスデバイス105-dへ送信してよい。場合によっては、サービングネットワークアクセスデバイス105-dは、接続要求230の受信に続いて、追加の接続セットアップ情報235をUE115-aへ送信してよく、または追加の競合解決プロシージャを実行してよい。
【００７６】
UE115-aがネットワークへ送信すべき情報を有するとき、UE115-aは、パイロット信号210の1つまたは複数のインスタンスを用いてスケジューリング要求(SR:scheduling request)を送信し得る。パイロット信号210またはスケジューリング要求の受信に応答して、サービングネットワークアクセスデバイス105-dは、オンデマンドシステム情報(たとえば、オンデマンドシステム情報ブロック(SIB)またはオンデマンドマスタ情報ブロック(MIB))をUEへ送信し得る。サービングネットワークアクセスデバイス105-dはまた、UE115-aのためのアップリンク割振り(たとえば、アップリンク許可)を送信してよく、またはUE115-aのための電力制御メッセージもしくはタイミングアドバンスメッセージを送信してよい。いくつかの例では、システム情報、アップリンク割振り、電力制御メッセージ、またはタイミングアドバンスメッセージは、同じダウンリンク送信の中でUE115-aへ送信され得る。いくつかの例では、アップリンク割振りは空間多重化されてよい。
【００７７】
ネットワークアクセスデバイス105からいくつかのUE115へオンデマンドでシステム情報が送信されるとき(たとえば、DUとUEのうちの1つまたは複数との間でのアップリンク送信またはダウンリンク送信にとって必要とされるとき)、ネットワークアクセスデバイス105-dは、システム情報の周期的なブロードキャストを低減または除去してよく、そのことは電力を温存し得る。UE側において、UE115は、システム情報ブロードキャストを求めてリッスンせず、代わりにオンデマンドシステム情報送信のみを求めてリッスンすることによって、電力を温存し得る。
【００７８】
図2に示すタイムライン200のいくつかの例では、異なるコンスタレーション(たとえば、ネットワークのセル、ノード、もしくは基地局の異なるグループ、または異なるネットワークに属するセル、ノード、もしくはDUの異なるグループ)に対して異なる同期信号が送信され得る。
【００７９】
図2において実行される動作のタイムライン200では、UE115-aは、そのサービングセルまたは隣接セルから受信された信号を測定し測定値をネットワークに報告する必要がない。代わりに、ネットワークが、UE115-aによって送信されるパイロット信号を測定し、UE115-aに対するモビリティ決定を行う。このフレームワークは、UE115-aからネットワークへのUEモビリティ決定に関係する処理負担のうちの少なくともいくつかをオフロードし、UE115-aにおいてリソースと電力の両方を温存する助けとなり得る。このフレームワークはまた、UE115-aが測定すべき基準信号の連続送信を省略することによって、ネットワークが電力を節約する助けとなり得る。
【００８０】
初期アクセス中、UE115は、リソースの共通セットを使用してパイロット信号を送信し得る。初期アクセスの後、UE115は、場合によっては、リソースの専用セットが割り振られてよい。ネットワークとのRRC接続状態に入った後、UE115は、リソースの共通セットまたはリソースの専用セットを使用してパイロット信号を送信することに関連する無線リソース構成で動作し得る。いくつかの例では、UE115は、UE115にリソースの専用セットが割り振られているときにRRC専用状態を選択してよく、UE115にリソースの専用セットが割り振られていないときにRRC共通状態を選択してよい。
【００８１】
RRC共通状態において動作するとき、UE115は、リソースの共通セット上でパイロット信号を送信し得る。RRC専用状態において動作するとき、UE115は、リソースの専用セット上でパイロット信号を送信し得る。リソースの共通セット上で送信されるパイロット信号は、パイロット信号を受信するセル(たとえば、AN105-a、DU105-cなど)のすべてによって測定され得、測定値を含む測定値報告が、UE115に対するモビリティ決定を行うために、CU105-bへ送信され得、または他のセルと共有され得る。リソースの専用セット上で送信されるパイロット信号は、UE115用のセルの監視セットの中に含まれるセルのセットによって測定され得る。たとえば、CU105-bは、最初に、UE115用のサービングDU105-cのネイバーを含むように、(たとえば、測定値、または動作および保守(O&M)情報に基づいて)DU105-cの監視セットを決定し得る。いくつかの例では、ネットワーク(たとえば、AN105-a、CU105-bなど)は、UE用のセルの監視セットのセルを、UEによって送信された少なくとも1つのパイロット信号の測定値、もしくはUE115用のサービングセルのロケーション、またはそれらの組合せに少なくとも部分的に基づいて識別し得る。ネットワークは、UE115からの特定のアップリンク基準信号を監視すべき監視セルのセットを構成し得、受信されたアップリンク基準信号の測定結果を(たとえば、CU105-bに)報告し得る。ネットワークはまた、UEモビリティ時に(たとえば、DU105-cの隣接セットの中に含まれるDU105-cの変更時に)セルの監視セットを更新し得る。
【００８２】
UE115がRRC共通状態において動作するとき、UE識別情報(たとえば、システムアーキテクチャエボリューション(SAE)一時的モバイル加入者識別情報(S-TMSI))のみがUE115用のネットワークによって保持されてよく、リソースの共通セットが、データ転送およびパイロット/キープアライブ信号送信のために使用され得る。いくつかの例では、RRC共通状態において動作中のUE115との間で小さいデータ送信が行われてよく、UE115は、もっと大きいデータ送信のためにRRC専用状態に遷移してよい。RRC共通状態に関連する間欠受信(DRX)サイクルまたは間欠送信(DTX)サイクルは、いくつかの例では、長さが数分または数時間であってよい。UE115がRRC専用状態において動作するとき、専用リソースのセットおよび無線ネットワーク一時的識別子(RNTI)が、UE115に割り振られ得る。専用リソースは、ただ1つのDU105-c(たとえば、サービングDU105-c)によって割り振られてよく、類似のリソースは、他のDU105-cによって他のUE115に割り振られてよい。RRC専用状態に関連するDRXサイクルまたはDTXサイクルは、いくつかの例では、比較的短くてよい(または、サービス要件によって要求される最大持続時間までであってよい)。UE115が、リソースの共通セットを使用するパイロット信号の送信に関連する無線リソース構成で動作するのか、またはリソースの専用セットを使用するパイロット信号の送信に関連する無線リソース構成で動作するのかにかかわらず、ネットワークは、UE115のためのUEコンテキストを保持してよく、UE115がRRC接続モードにあるものと見なしてよい。
【００８３】
UE115用の監視セットのネットワークアクセスデバイス105は、いくつかの例では、周期的測定値報告基準および/またはイベント駆動型測定値報告基準に基づいて、UE115のパイロット信号に対する測定値報告を送信し得る。周期的測定値報告基準は、たとえば、すべてのパイロット信号に対して、すべてのn番目のパイロット信号に対して、または周期的な時間間隔で、測定値報告がCU105-bへ送信されるべきことを示し得る。イベント駆動型測定値報告基準は、たとえば、もはやパイロット信号の信号強度または信号品質がしきい値信号強度またはしきい値信号品質を満たさないという決定などの、1つまたは複数のイベントの発生時に測定値報告が送信されるべきことを示し得る。
【００８４】
いくつかの例では、UE115用のサービングネットワークアクセスデバイス105は、キープアライブ信号240をUE115へ送信し得る。キープアライブ信号240は、UE115からのパイロット信号210の受信に応答して送信され得る。パイロット信号210が、リソースの共通セットを使用してサービングネットワークアクセスデバイス105によって受信されるとき、リソースの共通セットを使用してキープアライブ信号240がUE115へ送信されてよい。パイロット信号210が、リソースの専用セットを使用してサービングネットワークアクセスデバイス105によって受信されるとき、リソースの専用セットを使用してキープアライブ信号240がUE115へ送信されてよい。いくつかの例では、キープアライブ信号240は、電力制御情報またはタイミングアドバンス情報を搬送し得る。
【００８５】
図3は、本開示の様々な態様による、アップリンクベースモビリティをサポートするワイヤレス通信システム300の一例を示す。ワイヤレス通信システム300は、(たとえば、第1のゾーン305-a(ゾーン1)、第2のゾーン305-b(ゾーン2)、および第3のゾーン305-c(ゾーン3)を含む)いくつかのゾーンを含み得る。UE115-bを含むいくつかのUEは、ゾーン内またはゾーン間で移動することがある。
【００８６】
図2を参照しながら説明したように、ゾーンは複数のセルを含み得、ゾーン内のセルは同期され得る(たとえば、セルは同じタイミングを共有し得る)。ワイヤレス通信システム300は、非重複ゾーン(たとえば、第1のゾーン305-aおよび第2のゾーン305-b)と重複ゾーン(たとえば、第1のゾーン305-aおよび第3のゾーン305-c)の両方の例を含み得る。いくつかの例では、第1のゾーン305-aおよび第2のゾーン305-bは各々、1つまたは複数のマクロセル、マイクロセル、またはピコセルを含み得、第3のゾーン305-cは、1つまたは複数のフェムトセルを含み得る。
【００８７】
例として、UE115-bが、第1のゾーン305-aに位置するように示される。UE115-bがRRC共通状態などの、リソースの共通セットを使用してパイロット信号を送信することに関連する無線リソース構成で動作している場合、UE115-bは、図2を参照しながら説明したように、リソースの共通セットを使用してパイロット信号を送信し得る。第1のゾーン305-a内のセル(たとえば、AN105-a、DU105-cなど)は、UE115-bからのパイロット信号を求めてリソースの共通セットを監視し得る。UE115-bがRRC専用状態などの、リソースの専用セットを使用してパイロット信号を送信することに関連する無線リソース構成で動作している場合、UE115-bは、図2を参照しながら説明したように、リソースの専用セットを使用してパイロット信号を送信し得る。第1のゾーン305-a内のUE115-bに対して確立されたセルの監視セットのセル(たとえば、第1のセル310-a、第2のセル310-b、および第3のセル310-c)は、UE115-bのパイロット信号を求めてリソースの専用セットを監視し得る。
【００８８】
図4は、本開示の様々な態様による、アップリンクベースモビリティをサポートするワイヤレス通信システム400の一例を示す。ワイヤレス通信システム400は、たとえば、第1のアクセスノード105-a-1および第2のアクセスノード105-a-2を含む、いくつかのアクセスネットワークを含み得る。いくつかの例では、アクセスノード405のうちの1つまたは複数は、図3を参照しながら説明したゾーン305のうちの1つなどのゾーンを規定し得る。アクセスノード405の各々は、図1を参照しながら説明したコアネットワーク130の態様の一例であってよいコアネットワーク130-aとインターフェースし得る。いくつかの例では、コアネットワーク130-aは、モビリティ管理エンティティ(MME:mobility management entity)410またはサービングゲートウェイ(SGW:serving gateway)(たとえば、次世代ネットワーク用または5Gネットワーク用のMMEまたはSGW)を含み得る。
【００８９】
アクセスノード405の各々は、CU105-bおよびいくつかのDU105-cを含み得る。たとえば、第1のアクセスノード105-a-1は、CU105-b-1、第1のDU105-c-1、第2のDU105-c-2、および第3のDU105-c-3を含み得る。例として、UE115-cが第1のDU105-c-1と通信するように示される。他のUE(図示せず)は、第1のDU105-c-1または他のDUと通信し得る。UE115-cは、ワイヤレス通信システム400内で移動するとき、あるサービングDU(たとえば、第1のDU105-c-1)から別のサービングDUにハンドオーバされ得る。CU105-b-1、第1のDU105-c-1、第2のDU105-c-2、第3のDU105-c-3、およびUE115-cは、図1〜図3を参照しながら説明したCU105-b、DU105-c、またはUE115の態様の例であってよい。アクセスノード405間(たとえば、CU105-b間)の通信は、いくつかの例では、X2インターフェースを介して伝えられ得る。
【００９０】
ワイヤレス通信システム400内の各CU105-b(CU105-b-1を含む)は、アクセスネットワーク内のDUのすべてに対して、(たとえば、S1-MMEインターフェースおよびS1-U(ユーザ)インターフェースを介した)コアネットワーク130-aへの接続を終了させ得る。たとえば、CU105-b-1は、第1のDU105-c-1、第2のDU105-c-2、および第3のDU105-c-3に対して、コアネットワーク130-aへの接続を終了させ得る。CU105-b-1はまた、複数のDU間のアクションまたは複数のDUを含むアクションを調和させ得る。たとえば、CU105-b-1は、あるDU105-cから別のDU105-cへのUE115のアクセスネットワーク内ハンドオーバを調和させ得る。CU105-b-1はまた、第1のアクセスノード105-a-1のためのRRCレイヤ通信およびユーザ(U)プレーンPDCPレイヤ通信を調和させ得る。
【００９１】
ワイヤレス通信システム400内の各DU105-cは、DU105-cがそのためのサービングノードとして動作するUE115のセットとDU105-cがそれに関連付けられるCU105-bとの間のトラフィックをサービスし得る。たとえば、第1のDU105-c-1は、UE115-cを含むUE115のセットとCU105-b-1との間のトラフィックをサービスし得る。第1のDU105-c-1はまた、リソースの共通セットを介して(たとえば、RRC共通状態において動作中のUEから)受信されるパイロット信号、およびリソースの専用セットを介して(たとえば、RRC専用状態において動作中のUEから)受信されるパイロット信号を求めて監視し得る。パイロット信号は、UEモビリティ決定(たとえば、UE115-cに対するモビリティ決定)を行うために、第1のDU105-c-1、別のDU、またはCU105-b-1によって測定および使用され得る。第1のDU105-c-1はまた、PDCPレイヤの下で、PHYレイヤ処理(たとえば、パイロット信号の受信および測定、ならびにCU105-b-1への測定値報告の送信)および制御/ユーザ(C/U)プレーン処理を実行し得る。
【００９２】
いくつかの例では、アクセスノード405の機能は、図4に示すようにCU105-bとDU105-cとの間で分割されてよい。他の例では、CU105-bによって実行される機能は、1つまたは複数のDU105-cに移動されてよく、DU105-cは、互いにかつコアネットワーク130-aと通信し得る。
【００９３】
図5は、本開示の様々な態様による、アップリンクベースモビリティをサポートする通信プロトコルスタックを実装するための例を示す図500を示す。たとえば、図500は、RRCレイヤ510、PDCPレイヤ515、RLCレイヤ520、MACレイヤ525、およびPHYレイヤ530を含む、通信プロトコルスタックを示す。様々な例では、プロトコルスタックのレイヤは、ソフトウェアの個別のモジュール、プロセッサもしくはASICの部分、通信リンクによって接続された非コロケートデバイスの部分、またはそれらの様々な組合せとして実装され得る。コロケート実装形態および非コロケート実装形態は、たとえば、ネットワークアクセスデバイス105またはUE115のためのプロトコルスタックの中で使用されてよい。
【００９４】
第1のオプション505-aは、プロトコルスタックの実装が集中ネットワークアクセスデバイス105(たとえば、CU105-b-2)と分散ネットワークアクセスデバイス105(たとえば、DU105-c-4)との間で分割される、プロトコルスタックの分割実装形態を示す。第1のオプション505-aでは、RRCレイヤ510およびPDCPレイヤ515は、CU105-b-2によって実装されてよく、RLCレイヤ520、MACレイヤ525、およびPHYレイヤ530は、DU105-c-4によって実装されてよい。様々な例では、CU105-b-2およびDU105-c-4は、コロケートされてよく、またはコロケートされなくてもよい。第1のオプション505-aは、マクロセル配置、マイクロセル配置、またはピコセル配置において有用であり得る。
【００９５】
第2のオプション505-bは、プロトコルスタックが単一のネットワークアクセスデバイス105(たとえば、AN105-a-3)の中で実装される、プロトコルスタックの統合実装形態を示す。第2のオプション505-bでは、RRCレイヤ510、PDCPレイヤ515、RLCレイヤ520、MACレイヤ525、およびPHYレイヤ530は各々、AN105-a-3によって実装され得る。第2のオプション505-bは、フェムトセル配置において有用であり得る。
【００９６】
ネットワークアクセスデバイスがプロトコルスタックの一部を実装するのかまたはプロトコルスタックの全部を実装するのかにかかわらず、UE115-dは、全プロトコルスタック(たとえば、RRCレイヤ510、PDCPレイヤ515、RLCレイヤ520、MACレイヤ525、およびPHYレイヤ530)を実装してよい。
【００９７】
図6および図7は、UE115がRRC共通状態において動作するときの、UE、DU、およびCUの挙動の例を提供する。
【００９８】
図6は、本開示の様々な態様による、アップリンクベースモビリティをサポートする通信フロー600の一例を示す。図示のように、通信フロー600は、UE115-e、第1のDU105-c-5、第2のDU105-c-6、およびCU105-b-3の間の通信を含む。UE115-eは、図1〜図5を参照しながら説明したUE115の態様の一例であってよく、第1のDU105-c-5および第2のDU105-c-6は、図1〜図5を参照しながら説明したDU105-cの態様の例であってよく、CU105-b-3は、図1〜図5を参照しながら説明したCU105-b(たとえば、集中ネットワークアクセスデバイス105)の態様の一例であってよい。第1のDU105-c-5および第2のDU105-c-6の各々は、共通ゾーンまたは重複ゾーンの中で動作し得、CU105-b-3に関連付けられ得る。UE115-eが、リソースの共通セットを使用してパイロット信号を送信することに関連する無線リソース構成(たとえば、RRC共通状態)で動作して、かつ第1のDU105-c-5が、UE115-e用のサービングDUとして動作して、通信フロー600が開始し得る。
【００９９】
UE115-eが、リソースの共通セットを使用してパイロット信号を送信することに関連する無線リソース構成で動作しているので、第1のDU105-c-5および第2のDU105-c-6(および、すべての他のDU、またはUE115-eが動作するゾーン内もしくはゾーンの重複内のすべての他のDU)の各々は、UE115-eによって送信されるパイロット信号を求めて監視し得る。605において、UE115-eは、第1のDU105-c-5のカバレージエリア内にあるが第2のDU105-c-6のカバレージエリア内にはない間、リソースの共通セットを使用してパイロット信号を送信し得る。いくつかの例では、パイロット信号は、RRC_COMMONパイロット信号構成に従って構成され得る。いくつかの例では、UE115-eは、同期信号の中で、システム情報(たとえば、SIBなど)の中で、ユニキャストメッセージ(たとえば、MAC制御要素によるオンデマンドシステム情報、RRCメッセージ、PHYメッセージ、物理ダウンリンク制御チャネル(PDCCH)コマンドなど)の中で、またはそれらの組合せで、リソースの共通セットの割振り(たとえば、RRC_COMMONパイロット信号構成を含む)を受信し得る。いくつかの例では、UE115-eは、UE115-eのタイプに少なくとも部分的に基づいて、リソースの共通セットの割振りを識別し得る(たとえば、リソースの異なる共通セットが、異なるタイプのUEに対して割り振られ得る)。いくつかの例では、パイロット信号はUE115-eを識別し得る(たとえば、パイロット信号はUE115-eの識別子を含み得る)。
【０１００】
605においてUE115-eによって送信されたパイロット信号は、第1のDU105-c-5によって受信および測定され得る。いくつかの例では、第1のDU105-c-5は、パイロット信号の信号強度または信号品質(たとえば、信号対雑音比(SNR)、信号対干渉雑音比(SINR)など)を測定し得る。第1のDU105-c-5は、610において、パイロット信号の1つまたは複数の測定値を含む測定値報告(たとえば、パイロット信号の信号強度または信号品質を含む測定値報告)をCU105-b-3に転送し得る。
【０１０１】
CU105-b-3は、610において第1のDU105-c-5から受信された測定値報告に基づいて、第1のDU105-c-5がUE115-e用のサービングDUのままであるべきと決定し得る。
【０１０２】
615において、第1のDU105-c-5は、リソースの共通セット上で(たとえば、605においてパイロット信号がその上で送信されたリソースの共通セットと同じ周波数帯域、同じコンポーネントキャリア、サブキャリアの同じセット、リソースブロックの同じセット、および/または同じチャネルにおいて)、キープアライブ信号をUE115-eへ送信し得る。いくつかの例では、キープアライブ信号を送信することは、605において送信されたパイロット信号に少なくとも部分的に基づき得る(たとえば、キープアライブ信号は、第1のDU105-c-5がパイロット信号を受信したことに応答してUE115-eへ送信され得る)。いくつかの例では、615において送信されるキープアライブ信号は、610において測定値報告が送信される前に送信されてよい。
【０１０３】
620において、UE115-eは、第1のDU105-c-5のカバレージエリアの中にとどまりながら、第2のDU105-c-6のカバレージエリアの中に移動し得る。
【０１０４】
625において、UE115-eは、リソースの共通セット上で(たとえば、605においてパイロット信号がその上で送信されたリソースの共通セットと同じ周波数帯域、同じコンポーネントキャリア、サブキャリアの同じセット、リソースブロックの同じセット、および/または同じチャネルにおいて)、別のパイロット信号を送信し得る。625においてUE115-eによって送信されるパイロット信号は、第1のDU105-c-5と第2のDU105-c-6の両方によって受信および測定され得る。第1のDU105-c-5は、630において測定値報告をCU105-b-3に転送し得、第2のDU105-c-6は、635において測定値報告をCU105-b-3に転送し得る。
【０１０５】
CU105-b-3は、625および630において第1のDU105-c-5および第2のDU105-c-6から受信された測定値報告に基づいて、第1のDU105-c-5がUE115-e用のサービングDUのままであるべきと決定し得る。他の例では、CU105-b-3は、第1のDU105-c-5から第2のDU105-c-6への(または、別のDUへの)UE115-eのハンドオーバを開始すべきと決定し得る。
【０１０６】
640において、第1のDU105-c-5は、リソースの共通セットを使用して(たとえば、605においてパイロット信号がその上で送信されたリソースの共通セットと同じ周波数帯域、同じコンポーネントキャリア、サブキャリアの同じセット、リソースブロックの同じセット、および/または同じチャネルにおいて)、別のキープアライブ信号をUE115-eへ送信し得る。いくつかの例では、キープアライブ信号を送信することは、625において送信されたパイロット信号に少なくとも部分的に基づき得る。いくつかの例では、640において送信されるキープアライブ信号は、630または635において測定値報告が送信される前に送信されてよい。第2のDU105-c-6は、第2のDU105-c-6がUE115-e用のサービングDUでないので、キープアライブ信号をUE115-eへ送信しなくてよい。
【０１０７】
図7は、本開示の様々な態様による、アップリンクベースモビリティをサポートする通信フロー700の一例を示す。図示のように、通信フロー700は、UE115-f、第1のDU105-c-7、第2のDU105-c-8、およびCU105-b-4の間の通信を含む。UE115-fは、図1〜図6を参照しながら説明したUE115の態様の一例であってよく、第1のDU105-c-7および第2のDU105-c-8は、図1〜図6を参照しながら説明したDU105-cの態様の例であってよく、CU105-b-4は、図1〜図6を参照しながら説明したCU105-bの態様の一例であってよい。第1のDU105-c-7および第2のDU105-c-8の各々は、共通ゾーンまたは重複ゾーンの中で動作し得、CU105-b-4に関連付けられ得る。UE115-fが、リソースの共通セットを使用してパイロット信号を送信することに関連する無線リソース構成(たとえば、RRC共通状態)で動作して、かつ第1のDU105-c-7が、UE115-f用のサービングDUとして動作して、通信フロー700が開始し得る。
【０１０８】
UE115-fが、リソースの共通セットを使用してパイロット信号を送信することに関連する構成で動作しているので、第1のDU105-c-7および第2のDU105-c-8(および、すべての他のDU、またはUE115-fが動作するゾーン内のすべての他のDU)の各々は、UE115-fによって送信されるパイロット信号を求めて監視し得る。705において、UE115-fは、第1のDU105-c-7および第2のDU105-c-8のカバレージエリア内にある間、リソースの共通セットを使用してパイロット信号を送信し得る。いくつかの例では、パイロット信号は、RRC_COMMONパイロット信号構成に従って構成され得る。いくつかの例では、UE115-fは、同期信号の中で、システム情報(たとえば、SIB)の中で、ユニキャストメッセージ(たとえば、MAC制御要素によるオンデマンドシステム情報、RRCメッセージ、PHYメッセージ、PDCCHコマンドなど)の中で、またはそれらの組合せで、リソースの共通セットの割振り(たとえば、RRC_COMMONパイロット信号構成を含む)を受信し得る。いくつかの例では、UE115-fは、UE115-fのタイプに少なくとも部分的に基づいて、リソースの共通セットの割振りを識別し得る(たとえば、リソースの異なる共通セットが、異なるタイプのUEに対して割り振られ得る)。いくつかの例では、パイロット信号はUE115-fを識別し得る(たとえば、パイロット信号はUE115-fの識別子を含み得る)。
【０１０９】
705においてUE115-fによって送信されたパイロット信号は、第1のDU105-c-7と第2のDU105-c-8の両方によって受信および測定され得る。いくつかの例では、第1のDU105-c-7および第2のDU105-c-8の各々は、パイロット信号の信号強度または信号品質を測定し得る。第1のDU105-c-7は、710において、パイロット信号の1つまたは複数の測定値を含む測定値報告(たとえば、パイロット信号の信号強度または信号品質を含む測定値報告)をCU105-b-4に転送し得る。第2のDU105-c-8は、715において、パイロット信号の1つまたは複数の測定値を含む測定値報告(たとえば、パイロット信号の信号強度または信号品質を含む測定値報告)をCU105-b-4に転送し得る。
【０１１０】
CU105-b-4は、720において、第1のDU105-c-7および第2のDU105-c-8から受信された測定値報告に基づいて、第2のDU105-c-8がUE115-fにとって好適なサービングDUであることになると決定し得、サービングセル変更プロシージャ(たとえば、第1のDU105-c-7から第2のDU105-c-8へのUE115-fのハンドオーバ)を開始し得る。
【０１１１】
725において、CU105-b-4は、第2のDU105-c-8がUE115-f用のサービングDU(または、セル)として動作するための要求を第2のDU105-c-8へ送信し得、そのUE115-fはRRC共通状態において動作している。730において、第2のDU105-c-8は、725において送信された要求の受信に確認応答し得る。
【０１１２】
735において、第2のDU105-c-8は、共通リソース上で(たとえば、705においてパイロット信号がその上で送信されたリソースの共通セットと同じ周波数帯域、同じコンポーネントキャリア、サブキャリアの同じセット、リソースブロックの同じセット、および/または同じチャネルにおいて)、キープアライブ信号をUE115-fへ送信し得る。いくつかの例では、キープアライブ信号を送信することは、705において送信されたパイロット信号に少なくとも部分的に基づき得る(たとえば、キープアライブ信号は、第1のDU105-c-7がパイロット信号を受信および測定し測定値報告をCU105-b-4へ送信したことに応答して、かつCU105-b-4が第2のDU105-c-8をUE115-f用のサービングDUとして識別したことに応答して、UE115-fへ送信され得る)。いくつかの例では、第1のDU105-c-7によるパイロット信号の測定値が、パイロット信号の強度がしきい値よりも低い(たとえば、弱すぎる)ことを示すので、第1のDU105-c-7は、705におけるパイロット信号の受信の後、キープアライブ信号をUE115-fへ送信することを控えてよい。
【０１１３】
740において、CU105-b-4は、第1のDU105-c-7がUE115-fに対して割り振られている任意のサービングDUリソースを解放するための要求を第1のDU105-c-7へ送信し得る。745において、第1のDU105-c-7は、740において送信された要求の受信に確認応答し得る。
【０１１４】
通信フロー700において、第1のDU105-c-7から第2のDU105-c-8へのUE115-fのハンドオーバは、UE115-fにとって透過的であり得る。すなわち、ネットワーク側750(たとえば、CU105-b-4、第1のDU105-c-7、および第2のDU105-c-8)は、UE115-fに関与することなくハンドオーバを開始および完了し得、第1のDU105-c-7ではなく第2のDU105-c-8からキープアライブ信号をUE115-fへ送信することによって、ハンドオーバの完了をシグナリングし得る。第2のDU105-c-8(または、第1のDU105-c-7)によって送信されるキープアライブ信号は、UE115-fに対して第2のDU105-c-8(または、第1のDU105-c-7)を識別してもまたはしなくてもよい。
【０１１５】
通信フロー700の代替例では、第2のDU105-c-8は、725において要求を受信する前に(すなわち、要求を受信してUE115-f用のサービングDU(または、セル)として動作する前に)、キープアライブ信号をUE115-fへ送信してよい。より一般的には、DU105-c(たとえば、第1のDU105-c-7および/または第2のDU105-c-8を含む)は、DU105-cがUE115-f用の現在のサービングDUであるかどうかにかかわらず、キープアライブ信号をUE115-fへ送信してよい。これらの例では、CU105-b-4は、イベント駆動方式でキープアライブ信号をUE115へ送信するようにDU105-cを構成し得る。たとえば、DU105-cは、1)リソースの共通セットを使用してUE115からパイロット信号を受信し、かつ2)パイロット信号が1つまたは複数のしきい値を満たすと決定すると、キープアライブ信号をUE115へ送信するように構成され得る。しきい値は、受信信号受信電力(RSRP:received signal received power)しきい値、受信信号受信品質(RSRQ:received signal received quality)しきい値などを含み得る。パイロット信号のRSRPまたはRSRQがそれぞれのRSRPしきい値またはRSRQしきい値を満たす(たとえば、上回る)とDU105-cが決定すると、DU105-cは、リソースの共通セットを使用してキープアライブ信号をUE115へ送信し得る。
【０１１６】
サービングDU105-cのみを、キープアライブ信号を送信するように構成することは、UE115が1つのDU105-cからしかキープアライブ信号を受信しないことを保証する。しかしながら、そのような構成は、シグナリングオーバーヘッドを招き、キープアライブ信号送信を遅延させることがあり(そのことは、もっと長い時間期間にわたってUE115をアウェイクにとどまらせることがあり、したがって、UE電力消費を増やすことがある)、またはもっと厳格なバックホール要件(たとえば、レイテンシがもっと小さいバックホール)を必要とすることがある。キープアライブ信号をUE115へ送信するようにすべてのDU105-cを構成することは、いくつかの基準が満たされると、サービングDU105-cからしかキープアライブ信号を送信しないことに関連する問題を軽減することができる。
【０１１７】
図8および図9は、UE115がリソースの専用セットを使用してパイロット信号を送信することに関連する無線リソース構成において動作するときの、UE、DU、およびCUの挙動の例を提供する。
【０１１８】
図8は、本開示の様々な態様による、アップリンクベースモビリティをサポートする通信フロー800の一例を示す。図示のように、通信フロー800は、UE115-g、第1のDU105-c-9、第2のDU105-c-10、およびCU105-b-5の間の通信を含む。UE115-gは、図1〜図7を参照しながら説明したUE115の態様の一例であってよく、第1のDU105-c-9および第2のDU105-c-10は、図1〜図7を参照しながら説明したDU105-cの態様の例であってよく、CU105-b-5は、図1〜図7を参照しながら説明したCU105-bの態様の一例であってよい。第1のDU105-c-9および第2のDU105-c-10の各々は、共通ゾーンまたは重複ゾーンの中で動作し得、CU105-b-5に関連付けられ得る。UE115-gが、リソースの専用セットを使用してパイロットシンボルを送信することに関連する無線リソース構成(たとえば、RRC専用状態)で動作して、かつ第1のDU105-c-9が、UE115-g用のサービングDU(または、サービングセル)として動作して、通信フロー800が開始し得る。
【０１１９】
UE115-gが、リソースの専用セットを使用してパイロット信号を送信することに関連する無線リソース構成で動作しているので、監視セット(たとえば、セル、ネットワークアクセスデバイス105、DU105-cなどの監視セット)のメンバーとしてネットワーク側850(たとえば、CU105-b-5)が識別しているDUだけが、UE115-gによって送信されるパイロット信号を求めて監視し得、監視セットのメンバーであるDU105-cは、UE115-gによって送信されるパイロット信号を求めてリソースの専用セットを監視し得る。第1のDU105-c-9がUE115-g用のDUの監視セットのメンバーであり、第2のDU105-c-10が監視セットのメンバーでなくて、通信フロー800が開始し得る。いくつかの例では、UE115-g用のDUの監視セットのDUは、UE115-gによって送信された少なくとも1つのパイロット信号の測定値、もしくはUE115-g用の識別されたサービングDU(または、セル)のロケーション、またはそれらの組合せに少なくとも部分的に基づいて識別され得る。
【０１２０】
805において、UE115-gは、第1のDU105-c-9および第2のDU105-c-10のカバレージエリア内にある間、リソースの専用セットを使用してパイロット信号を送信し得る。いくつかの例では、パイロット信号は、RRC_DEDICATEDパイロット信号構成に従って構成され得る。いくつかの例では、UE115-gは、ユニキャストメッセージ(たとえば、MAC制御要素によるオンデマンドシステム情報、RRCメッセージ、PHYメッセージ、PDCCHコマンドなど)の中で、もしくはユニキャストメッセージのタイミングにおいて、またはそれらの組合せで、リソースの専用セットの割振り(たとえば、RRC_DEDICATEDパイロット信号構成を含む)を受信し得る。いくつかの例では、パイロット信号は、(たとえば、パイロット信号がUE115-gの識別子を含むので明示的に、またはパイロット信号がUE115-gに専用のリソースのセット上で送信されるので暗黙的に)UE115-gを識別し得る。
【０１２１】
805においてUE115-gによって送信されたパイロット信号は、第1のDU105-c-9によって受信および測定され得る。いくつかの例では、第1のDU105-c-9は、パイロット信号の信号強度または信号品質を測定し得る。いくつかの例では、第1のDU105-c-9は、追加として、パイロット信号の信号強度または信号品質がしきい値信号強度またはしきい値信号品質を満たすかどうかを決定し得る。第1のDU105-c-9は、810において、パイロット信号の1つまたは複数の測定値を含む測定値報告(たとえば、信号強度、信号品質、信号強度がしきい値信号強度を満たすかどうかという表示、または信号品質がしきい値信号品質を満たすかどうかという表示を含む測定値報告)を、CU105-b-3に転送し得る。805においてUE115-gによって送信されたパイロット信号はまた、第2のDU105-c-10によって受信され得るが、第2のDU105-c-10がUE115-g用の監視セットのメンバーでないので、第2のDU105-c-10はパイロット信号を無視してよい。
【０１２２】
CU105-b-5は、810において第1のDU105-c-9から受信された測定値報告に基づいて、UE115-gが移動していること、および/または異なるサービングDUによってもっと良好にサービスされ得ることを決定し得る。815において、かつUE115-gによって送信されたパイロット信号に関するその決定(または、第1のDU105-c-9よって行われた、パイロット信号の査定)に基づいて、CU105-b-5は、UE115-g用のDUの監視セットを更新し得る。たとえば、CU105-b-5は、UE115-g用のDUの監視セットに第2のDU105-c-10を追加してよい。第2のDU105-c-10は、第1のDU105-c-9のネイバーであってよい。
【０１２３】
820において、CU105-b-5は、第2のDU105-c-10がUE115-g用のDUの監視セットのメンバーであるという表示を、第2のDU105-c-10へ送信し得る。表示は、たとえば、測定構成(たとえば、UE115-gがその上でパイロット信号を送信し得るリソースの専用セットの表示)を含み得る。825において、第2のDU105-c-10は、820において送信された表示の受信に確認応答し得る。
【０１２４】
830において、第1のDU105-c-9は、専用リソース上で(たとえば、805においてパイロット信号がその上で送信されたリソースの専用セットと同じ周波数帯域、同じコンポーネントキャリア、サブキャリアの同じセット、リソースブロックの同じセット、および/または同じチャネルにおいて)、キープアライブ信号をUE115-gへ送信し得る。いくつかの例では、キープアライブ信号を送信することは、805において送信されたパイロット信号に少なくとも部分的に基づき得る(たとえば、キープアライブ信号は、第1のDU105-c-9がパイロット信号を受信したことに応答してUE115-gへ送信され得る)。いくつかの例では、830において送信されるキープアライブ信号は、810において測定値報告が送信される前に送信されてよい。
【０１２５】
835において、UE115-gは、リソースの専用セット上で(たとえば、805においてパイロット信号がその上で送信されたリソースの専用セットと同じ周波数帯域、同じコンポーネントキャリア、サブキャリアの同じセット、リソースブロックの同じセット、および/または同じチャネルにおいて)、別のパイロット信号を送信し得る。835においてUE115-gによって送信されたパイロット信号は、第1のDU105-c-9と第2のDU105-c-10の両方によって受信および測定され得る。第1のDU105-c-9は、840において測定値報告をCU105-b-5に転送し得、第2のDU105-c-10は、845において測定値報告をCU105-b-5に転送し得る。
【０１２６】
CU105-b-5は、840および845において第1のDU105-c-9および第2のDU105-c-10から受信された測定値報告に基づいて、第1のDU105-c-9がUE115-g用のサービングDUのままであるべきと決定し得る。他の例では、CU105-b-5は、第1のDU105-c-9から第2のDU105-c-10への(または、別のDU105-cへの)UE115-gのハンドオーバを開始すべきと決定し得る。
【０１２７】
通信フロー800のいくつかの例では、UE115-g用のDUの監視セットのメンバーであるDUは、いくつかの条件下では、CU105-b-5だけに測定値報告を送信し得る。たとえば、DUは、周期的測定値報告基準および/またはイベント駆動型測定値報告基準に少なくとも部分的に基づいて測定値報告を送信し得る。周期的測定値報告基準は、たとえば、すべてのパイロット信号に対して、すべてのn番目のパイロット信号に対して、または周期的な時間間隔で、測定値報告がCU105-b-5へ送信されるべきことを示し得る。イベント駆動型測定値報告基準は、たとえば、もはやパイロット信号の信号強度または信号品質がしきい値信号強度またはしきい値信号品質を満たさないという決定などの、1つまたは複数のイベントの発生時に測定値報告が送信されるべきことを示し得る。いくつかの例では、周期的測定値報告基準またはイベント駆動型測定値報告基準は、820において送信される表示などの表示の中に含まれてよい。
【０１２８】
通信フロー800は、UE115-g用のDUの監視セットへの無線の追加を示す。DUはまた、UE115-g用のDUの監視セットから除去されてよい。DUの監視セットからのDUの除去はまた、UE115-gによって送信された1つまたは複数のパイロット信号の測定値、DUのロケーションなどに基づき得る。いくつかの例では、UE115-g用のDUの監視セットに対する更新は、UE115-g用のサービングDUの変更と組み合わせて開始され得る。
【０１２９】
図9は、本開示の様々な態様による、アップリンクベースモビリティをサポートする通信フロー900の一例を示す。図示のように、通信フロー900は、UE115-h、第1のDU105-c-11、第2のDU105-c-12、およびCU105-b-6の間の通信を含む。UE115-hは、図1〜図8を参照しながら説明したUE115の態様の一例であってよく、第1のDU105-c-11および第2のDU105-c-12は、図1〜図8を参照しながら説明したDU105-cの態様の例であってよく、CU105-b-6は、図1〜図8を参照しながら説明したCU105-bの態様の一例であってよい。第1のDU105-c-11および第2のDU105-c-12の各々は、共通ゾーンまたは重複ゾーンの中で動作し得、CU105-b-6に関連付けられ得る。UE115-hが、リソースの専用セットを使用してパイロット信号を送信することに関連する無線リソース構成(たとえば、RRC専用状態)で動作して、かつ第1のDU105-c-11が、UE115-h用のサービングDU(または、サービングセル)として動作して、通信フロー900が開始し得る。
【０１３０】
UE115-hが、リソースの専用セットを使用してパイロット信号を送信することに関連する無線リソース構成で動作しているので、監視セット(たとえば、ネットワークアクセスデバイスまたはDUのセルの監視セット)のメンバーとしてネットワーク960(たとえば、CU105-b-6)が識別しているDUだけが、UE115-hによって送信されるパイロット信号を求めて監視し得、監視セットのメンバーであるDUは、UE115-hによって送信されるパイロット信号を求めてリソースの専用セットを監視し得る。第1のDU105-c-11および第2のDU105-c-12がUE115-h用のDUの監視セットのメンバーであって、通信フロー900が開始し得る。いくつかの例では、UE115-h用のDUの監視セットのDUは、UE115-hによって送信された少なくとも1つのパイロット信号の測定値、もしくはUE115-h用の識別されたサービングDU(または、セル)のロケーション、またはそれらの組合せに少なくとも部分的に基づいて識別され得る。
【０１３１】
905において、UE115-hは、第1のDU105-c-11および第2のDU105-c-12のカバレージエリア内にある間、リソースの専用セットを使用してパイロット信号を送信し得る。いくつかの例では、パイロット信号は、RRC_DEDICATEDパイロット信号構成に従って構成され得る。いくつかの例では、UE115-hは、ユニキャストメッセージ(たとえば、MAC制御要素によるオンデマンドシステム情報、RRCメッセージ、PHYメッセージ、PDCCHコマンドなど)の中で、もしくはユニキャストメッセージのタイミングにおいて、またはそれらの組合せで、リソースの専用セットの割振り(たとえば、RRC_DEDICATEDパイロット信号構成を含む)を受信し得る。いくつかの例では、パイロット信号は、(たとえば、パイロット信号がUE115-hの識別子を含むので明示的に、またはパイロット信号がUE115-hに専用のリソースのセット上で送信されるので暗黙的に)UE115-hを識別し得る。
【０１３２】
905においてUE115-hによって送信されたパイロット信号は、第1のDU105-c-11と第2のDU105-c-12の両方によって受信および測定され得る。いくつかの例では、第1のDU105-c-11および第2のDU105-c-12の各々は、パイロット信号の信号強度または信号品質を測定し得る。いくつかの例では、第1のDU105-c-11または第2のDU105-c-12は、追加として、パイロット信号の信号強度または信号品質がしきい値信号強度またはしきい値信号品質を満たすかどうかを決定し得る。第1のDU105-c-11は、910において、パイロット信号の1つまたは複数の測定値を含む測定値報告(たとえば、信号強度、信号品質、信号強度がしきい値信号強度を満たすかどうかという表示、または信号品質がしきい値信号品質を満たすかどうかという表示を含む測定値報告)をCU105-b-6に転送し得、第2のDU105-c-12は、915において、測定値報告をCU105-b-6に転送し得る。
【０１３３】
CU105-b-6は、920において、第1のDU105-c-11および第2のDU105-c-12から受信された測定値報告に基づいて、第2のDU105-c-12がUE115-hにとって好適なサービングDU(または、サービングセル)であることになると決定し得、サービングセル変更プロシージャ(たとえば、第1のDU105-c-11から第2のDU105-c-12へのUE115-hのハンドオーバ)を開始し得る。
【０１３４】
925において、CU105-b-6は、第2のDU105-c-12がUE115-h用のサービングDUとして動作するための要求を第2のDU105-c-12(たとえば、ターゲットサービングセル)へ送信し得、そのUE115-hはRRC専用状態において動作している。930において、第2のDU105-c-12は、925において送信された要求に確認応答し得る。
【０１３５】
935において、CU105-b-6は、UE115-hのための再構成メッセージを第1のDU105-c-11(たとえば、ソースサービングセル)へ送信し得る。RRC再構成メッセージは、第2のDU105-c-12へのUE115-hのハンドオーバの後にUE115-hによって使用されるべきリソースの専用セットを識別し得る。様々な例では、再構成メッセージは、RRCメッセージ、MAC CE、PHYメッセージ、PDCCHコマンド、またはそれらの組合せを含み得る。第1のDU105-c-11は、RRC再構成メッセージを(たとえば、ハンドオーバコマンドの中で)UE115-hに転送し得、それによって、UE115-hにおけるハンドオーバプロシージャをトリガし得る。UE115-hは、次いで、ハンドオーバコマンドおよび/またはRRC再構成メッセージに従ってハンドオーバプロシージャを実行し得る。
【０１３６】
ハンドオーバプロシージャを完了すると、UE115-hは、940において、再構成完了メッセージを第2のDU105-c-12へ送信し得、第2のDU105-c-12は、945において、再構成完了メッセージをCU105-b-6に転送し得る。
【０１３７】
950において、CU105-b-6は、第1のDU105-c-11がUE115-hに対して割り振られている任意のサービングDUリソースを解放するための要求を第1のDU105-c-11へ送信し得る。955において、第1のDU105-c-11は、950において送信された要求の受信に確認応答し得る。
【０１３８】
通信フロー900において、第1のDU105-c-11から第2のDU105-c-12へのUE115-hのハンドオーバは、UE115-hにとって透過的でない。すなわち、ネットワーク側(たとえば、CU105-b-6、第1のDU105-c-11、および/または第2のDU105-c-12)は、UE115-hの関与を伴ってハンドオーバを開始および完了し得る。しかしながら、LTE/LTE-AネットワークにおけるUEのハンドオーバと比較すると、たとえば、第1のDU105-c-11から第2のDU105-c-12へのUE115-hのハンドオーバは、UE115-hがそのサービングセルまたは隣接セルから受信された信号に基づいて測定値報告を送信する必要がなく、UE115-hがLTE/LTE-Aハンドオーバメッセージ1、2、または3を送信する必要がない。
【０１３９】
図9に示さないが、UE115-h用のサービングDUは、たとえば、図8を参照しながら説明したように、UE115-hによって送信されたパイロット信号に、キープアライブ信号を用いて応答し得る。
【０１４０】
通信フロー900の変形形態では、CU105-b-6は、再構成メッセージを第2のDU105-c-12(たとえば、ターゲットサービングセル)へ送信し得、第2のDU105-c-12は、再構成メッセージを(たとえば、ハンドオーバコマンドの中で)UE115-hに転送し得る。
【０１４１】
図10は、本開示の様々な態様による、アップリンクベースモビリティをサポートする装置1015のブロック図1000を示す。装置1015は、図1〜図9を参照しながら説明したUE115のうちの1つまたは複数の態様の一例であってよい。装置1015はまた、プロセッサであってよく、またはプロセッサを含んでよい。装置1015は、受信機1010、UEワイヤレス通信マネージャ1020-a、および送信機1030を含み得る。これらの構成要素の各々は、互いに通信していてよい。
【０１４２】
装置1015の構成要素は、適用可能な機能の一部または全部をハードウェアで実行するように適合された1つまたは複数の特定用途向け集積回路(ASIC)を使用して、個別にまたは集合的に実装され得る。代替として、機能は、1つまたは複数の集積回路上の1つまたは複数の他の処理ユニット(または、コア)によって実行され得る。いくつかの他の例では、当技術分野で知られている任意の方法でプログラムされ得る他のタイプの集積回路(たとえば、構造化/プラットフォームASIC、フィールドプログラマブルゲートアレイ(FPGA)、システムオンチップ(SoC)、および/または他のタイプのセミカスタムIC)が使用され得る。各構成要素の機能はまた、メモリの中で具現化されるとともに1つまたは複数の汎用プロセッサまたは特定用途向けプロセッサによって実行されるようにフォーマットされた命令を用いて、全体的にまたは部分的に実施され得る。
【０１４３】
いくつかの例では、受信機1010は、1つまたは複数の無線周波数スペクトル帯域を介して送信を受信するように動作可能な少なくとも1つのRF受信機などの、少なくとも1つの無線周波数(RF)受信機を含み得る。いくつかの例では、受信機1010はアンテナのアレイを含み得る。いくつかの例では、1つまたは複数の無線周波数スペクトル帯域が、たとえば、図1〜図9を参照しながら説明したように、LTE/LTE-A通信または5G通信のために使用され得る。受信機1010は、図1、図3、または図4を参照しながら説明したワイヤレス通信システム100、300、または400の1つまたは複数の通信リンク(または、チャネル)などの、ワイヤレス通信システムの1つまたは複数の通信リンク(または、チャネル)を介して様々なタイプのデータまたは制御信号(たとえば、送信)を受信するために使用され得る。いくつかの例では、受信機1010は、同じくまたは代替的に、1つまたは複数の有線受信機を含み得る。
【０１４４】
いくつかの例では、送信機1030は、1つまたは複数の無線周波数スペクトル帯域を介して送信するように動作可能な少なくとも1つのRF送信機などの、少なくとも1つのRF送信機を含み得る。いくつかの例では、送信機1030はアンテナのアレイを含み得る。いくつかの例では、1つまたは複数の無線周波数スペクトル帯域が、たとえば、図1〜図9を参照しながら説明したように、LTE/LTE-A通信または5G通信のために使用され得る。送信機1030は、図1、図3、または図4を参照しながら説明したワイヤレス通信システム100、300、または400の1つまたは複数の通信リンク(または、チャネル)などの、ワイヤレス通信システムの1つまたは複数の通信リンク(または、チャネル)を介して様々なタイプのデータまたは制御信号(たとえば、送信)を送信するために使用され得る。いくつかの例では、送信機1030は、同じくまたは代替的に、1つまたは複数の有線送信機を含み得る。
【０１４５】
いくつかの例では、UEワイヤレス通信マネージャ1020-aは、装置1015のためのワイヤレス通信の1つまたは複数の態様を管理するために使用され得る。いくつかの例では、UEワイヤレス通信マネージャ1020-aの一部は、受信機1010もしくは送信機1030に組み込まれてよく、またはそれらと共有されてよい。いくつかの例では、UEワイヤレス通信マネージャ1020-aは、図1を参照しながら説明したUEワイヤレス通信マネージャ1020の態様の一例であってよい。UEワイヤレス通信マネージャ1020-aは、無線リソース構成識別器1035、リソース選択器1040、またはパイロット信号送信マネージャ1045を含み得る。
【０１４６】
いくつかの例では、無線リソース構成識別器1035は、装置1015を含むUEがネットワークとの接続モードにある間に、UEの無線リソース構成を識別するために使用され得る。いくつかの例では、無線リソース構成識別器1035は、UEがRRC専用状態またはRRC共通状態において動作しているかどうかを識別し得る。
【０１４７】
いくつかの例では、リソース選択器1040は、識別された無線リソース構成に少なくとも部分的に基づいて、UE用のリソースの専用セットまたはリソースの共通セットを選択するために使用され得る。いくつかの例では、リソースの専用セットは、リソースの共通セットよりも粒度の細かい周期性に関連し得る。
【０１４８】
いくつかの例では、パイロット信号送信マネージャ1045は、リソースの選択されたセットを使用してパイロット信号をネットワークへ(たとえば、送信機1030と協働して)送信するために使用され得る。いくつかの例では、パイロット信号は、UEのDTX構成またはDRX構成に少なくとも部分的に基づいて周期的に送信され得る。
【０１４９】
図11は、本開示の様々な態様による、アップリンクベースモビリティをサポートするUEワイヤレス通信マネージャ1020-bのブロック図1100を示す。UEワイヤレス通信マネージャ1020-bは、図1または図10を参照しながら説明したUEワイヤレス通信マネージャ1020の態様の一例であってよい。
【０１５０】
UEワイヤレス通信マネージャ1020-bの構成要素は、適用可能な機能の一部または全部をハードウェアで実行するように適合された1つまたは複数のASICを使用して、個別にまたは集合的に実装され得る。代替として、機能は、1つまたは複数の集積回路上の1つまたは複数の他の処理ユニット(または、コア)によって実行され得る。いくつかの他の例では、当技術分野で知られている任意の方法でプログラムされ得る他のタイプの集積回路(たとえば、構造化/プラットフォームASIC、FPGA、SoC、および/または他のタイプのセミカスタムIC)が使用され得る。各構成要素の機能はまた、メモリの中で具現化されるとともに1つまたは複数の汎用プロセッサまたは特定用途向けプロセッサによって実行されるようにフォーマットされた命令を用いて、全体的にまたは部分的に実施され得る。
【０１５１】
いくつかの例では、UEワイヤレス通信マネージャ1020-bは、図1〜図9を参照しながら説明したUE115または図10を参照しながら説明した装置1015のうちの1つなどの、UEまたは装置のためのワイヤレス通信の1つまたは複数の態様を管理するために使用され得る。いくつかの例では、UEワイヤレス通信マネージャ1020-bの一部は、受信機もしくは送信機(たとえば、図10を参照しながら説明した受信機1010または送信機1030)に組み込まれてよく、またはそれらと共有されてよい。いくつかの例では、UEワイヤレス通信マネージャ1020-bは、共通リソースマネージャ1105、専用リソースマネージャ1110、無線リソース構成識別器1035-a、リソース選択器1040-a、ゾーン識別器1115、パイロット信号送信マネージャ1045-a、パイロット信号構成器1120、キープアライブ信号プロセッサ1125、またはサービングセル識別器1130を含み得る。
【０１５２】
いくつかの例では、共通リソースマネージャ1105は、リソースの共通セットの割振りを(たとえば、受信機と協働して)受信するために使用され得る。いくつかの例では、リソースの共通セットの割振りは、同期信号、システム情報(たとえば、SIB)、ユニキャストメッセージ(たとえば、MAC制御要素によるオンデマンドシステム情報、RRCメッセージ、PHYメッセージ、PDCCHコマンドなど)、またはそれらの組合せのうちの少なくとも1つの中で受信され得る。いくつかの例では、リソースの共通セットの割振りは、UEワイヤレス通信マネージャ1020-bが含まれるUEのタイプに少なくとも部分的に基づいて識別され得る。
【０１５３】
いくつかの例では、専用リソースマネージャ1110は、ユニキャストメッセージ(たとえば、MAC制御要素によるオンデマンドシステム情報、RRCメッセージ、PHYメッセージ、PDCCHコマンドなど)の中で、ユニキャストメッセージのタイミングにおいて、またはそれらの組合せのうちの少なくとも1つで、リソースの専用セットの割振りを(たとえば、受信機と協働して)受信するために使用され得る。
【０１５４】
いくつかの例では、無線リソース構成識別器1035-aは、UEがネットワークとの接続モードにある間に、UEの無線リソース構成を識別するために使用され得る。いくつかの例では、無線リソース構成識別器1035-aは、UEがRRC専用状態またはRRC共通状態において動作しているかどうかを識別し得る。
【０１５５】
いくつかの例では、リソース選択器1040-aは、識別された状態に少なくとも部分的に基づいて、UE用のリソースの専用セットまたは複数のUE用のリソースの共通セットを選択するために使用され得る。いくつかの例では、リソースの専用セットは、リソースの共通セットよりも粒度の細かい周期性に関連し得る。
【０１５６】
いくつかの例では、ゾーン識別器1115は、UEが位置するゾーンを識別するために使用され得る。
【０１５７】
いくつかの例では、パイロット信号送信マネージャ1045-aは、リソースの選択されたセットを使用してパイロット信号をネットワークへ(たとえば、送信機と協働して)送信するために使用され得る。いくつかの例では、パイロット信号は、UEのDTX構成またはDRX構成に少なくとも部分的に基づいて周期的に送信され得る。いくつかの例では、パイロット信号送信マネージャ1045-aは、パイロット信号構成器1120を含み得る。パイロット信号構成器1120は、識別されたゾーンに少なくとも部分的に基づいてパイロット信号を構成するために使用され得る。
【０１５８】
キープアライブ信号プロセッサ1125は、リソースの選択されたセットを使用してキープアライブ信号を(たとえば、受信機と協働して)受信するために使用され得る。キープアライブ信号は、UE用のサービングセルから受信され得、パイロット信号に少なくとも部分的に基づき得る(たとえば、ネットワークアクセスデバイスは、パイロット信号の1つまたは複数の測定値に少なくとも部分的に基づいて、UE用のサービングセルとしてそれ自体または別のネットワークアクセスデバイスを識別し得る)。
【０１５９】
サービングセル識別器1130は、キープアライブ信号に少なくとも部分的に基づいて、UE用のサービングセルを識別するために使用され得る。
【０１６０】
図12は、本開示の様々な態様による、アップリンクベースモビリティをサポートする装置1205のブロック図1200を示す。装置1205は、図1〜図9を参照しながら説明したネットワークアクセスデバイス105(たとえば、AN105-a、DU105-cなど)のうちの1つまたは複数の態様の一例であってよい。装置1205はまた、プロセッサであってよく、またはプロセッサを含んでよい。装置1205は、受信機1210、送信/受信通信マネージャ1220-a、または送信機1230を含み得る。これらの構成要素の各々は、互いに通信していてよい。
【０１６１】
装置1205の構成要素は、適用可能な機能の一部または全部をハードウェアで実行するように適合された1つまたは複数のASICを使用して、個別にまたは集合的に実装され得る。代替として、機能は、1つまたは複数の集積回路上の1つまたは複数の他の処理ユニット(または、コア)によって実行され得る。いくつかの他の例では、当技術分野で知られている任意の方法でプログラムされ得る他のタイプの集積回路(たとえば、構造化/プラットフォームASIC、FPGA、SoC、および/または他のタイプのセミカスタムIC)が使用され得る。各構成要素の機能はまた、メモリの中で具現化されるとともに1つまたは複数の汎用プロセッサまたは特定用途向けプロセッサによって実行されるようにフォーマットされた命令を用いて、全体的にまたは部分的に実施され得る。
【０１６２】
いくつかの例では、受信機1210は、1つまたは複数の無線周波数スペクトル帯域を介して送信を受信するように動作可能な少なくとも1つのRF受信機などの、少なくとも1つのRF受信機を含み得る。いくつかの例では、受信機1210はアンテナのアレイを含み得る。いくつかの例では、1つまたは複数の無線周波数スペクトル帯域が、たとえば、図1〜図9を参照しながら説明したように、LTE/LTE-A通信または5G通信のために使用され得る。受信機1210は、図1、図3、または図4を参照しながら説明したワイヤレス通信システム100、300、または400の1つまたは複数の通信リンク(または、チャネル)などの、ワイヤレス通信システムの1つまたは複数の通信リンク(または、チャネル)を介して様々なタイプのデータまたは制御信号(たとえば、送信)を受信するために使用され得る。いくつかの例では、受信機1210は、同じくまたは代替的に、1つまたは複数の有線受信機を含み得る。
【０１６３】
いくつかの例では、送信機1230は、1つまたは複数の無線周波数スペクトル帯域を介して送信するように動作可能な少なくとも1つのRF送信機などの、少なくとも1つのRF送信機を含み得る。いくつかの例では、送信機1230はアンテナのアレイを含み得る。いくつかの例では、1つまたは複数の無線周波数スペクトル帯域が、たとえば、図1〜図9を参照しながら説明したように、LTE/LTE-A通信または5G通信のために使用され得る。送信機1230は、図1、図3、または図4を参照しながら説明したワイヤレス通信システム100、300、または400の1つまたは複数の通信リンク(または、チャネル)などの、ワイヤレス通信システムの1つまたは複数の通信リンク(または、チャネル)を介して様々なタイプのデータまたは制御信号(たとえば、送信)を送信するために使用され得る。いくつかの例では、送信機1230は、同じくまたは代替的に、1つまたは複数の有線送信機を含み得る。
【０１６４】
いくつかの例では、送信/受信通信マネージャ1220-aは、装置1205のためのワイヤレス通信の1つまたは複数の態様を管理するために使用され得る。いくつかの例では、送信/受信通信マネージャ1220-aの一部は、受信機1210もしくは送信機1230に組み込まれてよく、またはそれらと共有されてよい。いくつかの例では、送信/受信通信マネージャ1220-aは、図1を参照しながら説明した送信/受信通信マネージャ1220の態様の一例であってよい。
【０１６５】
装置1205は、UEのセットの中の各UE用のネットワークアクセスデバイスの監視セットのメンバーであるネットワークアクセスデバイス105の中に含まれ得る。UEがネットワーク内で移動するとき、送信/受信通信マネージャ1220-aは、UEのセットに対する更新を受信し得る。いくつかの例では、更新は、アクセスノードコントローラから受信され得る。いくつかの例では、送信/受信通信マネージャ1220-aは、リソース識別器1235、パイロット信号測定器1240、またはサービングセル識別器1245を含み得る。
【０１６６】
リソース識別器1235は、装置1205と通信しているUE用のリソースの共通セットまたはリソースの専用セットを識別するために使用され得る。
【０１６７】
パイロット信号測定器1240は、リソースの少なくとも1つの専用セット上でUEから受信されたパイロット信号、およびリソースの共通セットを使用してUEから受信されたパイロット信号を測定するために使用され得る。
【０１６８】
サービングセル識別器1245は、パイロット信号測定値に少なくとも部分的に基づいて、ネットワークアクセスデバイスがそのためのサービングセルとして動作するUEのセットを識別するために使用され得る。様々な例では、UEのセットは、リソースの専用セットを使用してパイロット信号を送信するように構成されたUE、リソースの共通セットを使用してパイロット信号を送信するように構成されたUE、またはそれらの組合せを含み得る。
【０１６９】
図13は、本開示の様々な態様による、アップリンクベースモビリティをサポートする送信/受信通信マネージャ1220-bのブロック図1300を示す。送信/受信通信マネージャ1220-bは、図1または図12を参照しながら説明した送信/受信通信マネージャ1220の態様の一例であってよい。
【０１７０】
送信/受信通信マネージャ1220-bの構成要素は、適用可能な機能の一部または全部をハードウェアで実行するように適合された1つまたは複数のASICを使用して、個別にまたは集合的に実装され得る。代替として、機能は、1つまたは複数の集積回路上の1つまたは複数の他の処理ユニット(または、コア)によって実行され得る。いくつかの他の例では、当技術分野で知られている任意の方法でプログラムされ得る他のタイプの集積回路(たとえば、構造化/プラットフォームASIC、FPGA、SoC、および/または他のタイプのセミカスタムIC)が使用され得る。各構成要素の機能はまた、メモリの中で具現化されるとともに1つまたは複数の汎用プロセッサまたは特定用途向けプロセッサによって実行されるようにフォーマットされた命令を用いて、全体的にまたは部分的に実施され得る。
【０１７１】
いくつかの例では、送信/受信通信マネージャ1220-bは、図1〜図9を参照しながら説明したネットワークアクセスデバイス105または図12を参照しながら説明した装置1205のうちの1つなどの、ネットワークアクセスデバイスまたは装置のためのワイヤレス通信の1つまたは複数の態様を管理するために使用され得る。いくつかの例では、送信/受信通信マネージャ1220-bの一部は、受信機もしくは送信機(たとえば、図12を参照しながら説明した受信機1210または送信機1230)に組み込まれてよく、またはそれらと共有されてよい。
【０１７２】
送信/受信通信マネージャ1220-bは、UEのセットの中の各UE用のネットワークアクセスデバイスの監視セットのメンバーであるネットワークアクセスデバイス105(たとえば、AN105-a、DU105-cなど)の中に含まれ得る。UEがネットワーク内で移動するとき、送信/受信通信マネージャ1220-bは、UEのセットに対する更新を受信し得る。いくつかの例では、更新は、CU105-bから受信され得る。いくつかの例では、送信/受信通信マネージャ1220-bは、リソース識別器1235-a、パイロット信号測定器1240-a、測定値報告マネージャ1315、サービングセル識別器1245-a、キープアライブ信号マネージャ1305、またはUE再構成マネージャ1310を含み得る。
【０１７３】
リソース識別器1235-aは、送信/受信通信マネージャ1220-bと通信しているUE用のリソースの共通セットまたはリソースの専用セットを識別するために使用され得る。
【０１７４】
パイロット信号測定器1240-aは、リソースの少なくとも1つの専用セット上でUEから受信されたパイロット信号、およびリソースの共通セットを使用してUEから受信されたパイロット信号を測定するために使用され得る。
【０１７５】
測定値報告マネージャ1315は、パイロット信号の測定値をCUへ(たとえば、送信機と協働して)送信するために使用され得る。いくつかの例では、測定値は、周期的測定値報告基準またはイベント駆動型測定値報告基準に少なくとも部分的に基づいて選択され得る。
【０１７６】
サービングセル識別器1245-aは、パイロット信号測定値に少なくとも部分的に基づいて、ネットワークアクセスデバイスがそのためのサービングセルとして動作するUEのセットを識別するために使用され得る。様々な例では、UEのセットは、リソースの専用セットを使用してパイロット信号を送信するように構成されたUE、リソースの共通セットを使用してパイロット信号を送信するように構成されたUE、またはそれらの組合せを含み得る。いくつかの例では、サービングセル識別器1245-aは、少なくとも1つの他のネットワークアクセスデバイスからのパイロット信号の追加の測定値を受信し得る(たとえば、送信/受信通信マネージャ1220-bがDUの中に含まれるとき、サービングセル識別器1245-aは他のDUから測定値を受信し得る)。追加の測定値がサービングセル識別器1245-aによって受信されると、サービングセル識別器1245-aは、パイロット信号測定器1240-aによって作成された測定値、および追加の測定値に少なくとも部分的に基づいて、UEのセットを識別し得る。いくつかの例では、サービングセル識別器1245-aは、UEのセットに対する更新をCUから受信し得る。したがって、サービングセル識別器1245-aは、送信/受信通信マネージャ1220-bにおいて、UEのセットの中に含まれるUEをローカルに識別するように構成され得、かつ/またはサービングセル識別器1245-aは、UEの第3のセットの中に含まれるべきUEのリモート識別を受信するように構成され得る。
【０１７７】
キープアライブ信号マネージャ1305は、専用キープアライブ信号をUEの第1のセットとUEの第3のセットの両方のメンバーである各UEへ(たとえば、送信機と協働して)送信するために使用され得る。キープアライブ信号マネージャ1305は、同じくまたは代替的に、共通キープアライブ信号をUEの第2のセットとUEの第3のセットの両方のメンバーである各UEへ送信するために使用され得る。
【０１７８】
いくつかの例では、UE再構成マネージャ1310は、UEのための再構成メッセージを別のネットワークアクセスデバイス(たとえば、CU105-b)から(たとえば、受信機と協働して)受信するために使用され得る。これらの例では、再構成メッセージは、ネットワークアクセスデバイスから異なるネットワークアクセスデバイスへのUEのハンドオーバの後にUEによって使用されるべきリソースの再構成された専用セットを識別し得る。UE再構成マネージャ1310はまた、ネットワークアクセスデバイスにハンドオーバされつつあるUEのための再構成メッセージをアクセスノードコントローラから受信するために使用され得る。これらの例では、再構成メッセージは、ネットワークアクセスデバイスへのUEのハンドオーバの後にUEによって使用されるべきリソースの再構成された専用セットを識別し得、UE再構成マネージャ1310は、リソースの専用セットを使用してパイロット信号を送信するように構成されたUEのセット、または送信/受信通信マネージャ1220-bを含むネットワークアクセスデバイスがそのためのサービングネットワークアクセスデバイスであるUEのセットに、UEを追加し得る。UE再構成マネージャ1310はまた、再構成メッセージをUEに転送するために使用され得る。
【０１７９】
いくつかの例では、UE再構成マネージャ1310は、送信/受信通信マネージャ1220-bを含むネットワークアクセスデバイスにハンドオーバされているUEから再構成完了メッセージを(たとえば、受信機と協働して)受信するために使用され得る。UE再構成マネージャ1310はまた、送信/受信通信マネージャ1220-bを含むネットワークアクセスデバイスがそのためのサービングネットワークアクセスデバイスであるUEのセットにUEを追加し、かつ/または再構成完了メッセージをアクセスノードコントローラに転送するために使用され得る。
【０１８０】
図14は、本開示の様々な態様による、アップリンクベースモビリティをサポートする装置1405のブロック図1400を示す。装置1405は、図1〜図9を参照しながら説明したネットワークアクセスデバイス105(たとえば、AN105-a、CU105-bなど)のうちの1つまたは複数の態様の一例であってよい。装置1405はまた、プロセッサであってよく、またはプロセッサを含んでよい。装置1405は、受信機1410、アクセスノード通信マネージャ1420-a、または送信機1430を含み得る。これらの構成要素の各々は、互いに通信していてよい。
【０１８１】
装置1405の構成要素は、適用可能な機能の一部または全部をハードウェアで実行するように適合された1つまたは複数のASICを使用して、個別にまたは集合的に実装され得る。代替として、機能は、1つまたは複数の集積回路上の1つまたは複数の他の処理ユニット(または、コア)によって実行され得る。いくつかの他の例では、当技術分野で知られている任意の方法でプログラムされ得る他のタイプの集積回路(たとえば、構造化/プラットフォームASIC、FPGA、SoC、および/または他のタイプのセミカスタムIC)が使用され得る。各構成要素の機能はまた、メモリの中で具現化されるとともに1つまたは複数の汎用プロセッサまたは特定用途向けプロセッサによって実行されるようにフォーマットされた命令を用いて、全体的にまたは部分的に実施され得る。
【０１８２】
いくつかの例では、受信機1410は、1つまたは複数の無線周波数スペクトル帯域を介して送信を受信するように動作可能な少なくとも1つのRF受信機などの、少なくとも1つのRF受信機を含み得る。いくつかの例では、受信機1410はアンテナのアレイを含み得る。いくつかの例では、1つまたは複数の無線周波数スペクトル帯域が、たとえば、図1〜図9を参照しながら説明したように、LTE/LTE-A通信または5G通信のために使用され得る。受信機1410は、図1、図3、または図4を参照しながら説明したワイヤレス通信システム100、300、または400の1つまたは複数の通信リンク(または、チャネル)などの、ワイヤレス通信システムの1つまたは複数の通信リンク(または、チャネル)を介して様々なタイプのデータまたは制御信号(すなわち、送信)を受信するために使用され得る。いくつかの例では、受信機1410は、同じくまたは代替的に、1つまたは複数の有線受信機を含み得る。
【０１８３】
いくつかの例では、送信機1430は、1つまたは複数の無線周波数スペクトル帯域を介して送信するように動作可能な少なくとも1つのRF送信機などの、少なくとも1つのRF送信機を含み得る。いくつかの例では、送信機1430はアンテナのアレイを含み得る。いくつかの例では、1つまたは複数の無線周波数スペクトル帯域が、たとえば、図1〜図9を参照しながら説明したように、LTE/LTE-A通信または5G通信のために使用され得る。送信機1430は、図1、図3、または図4を参照しながら説明したワイヤレス通信システム100、300、または400の1つまたは複数の通信リンク(または、チャネル)などの、ワイヤレス通信システムの1つまたは複数の通信リンク(または、チャネル)を介して様々なタイプのデータまたは制御信号(すなわち、送信)を送信するために使用され得る。いくつかの例では、送信機1430は、同じくまたは代替的に、1つまたは複数の有線送信機を含み得る。
【０１８４】
いくつかの例では、アクセスノード通信マネージャ1420-aは、装置1405のためのワイヤレス通信の1つまたは複数の態様を管理するために使用され得る。いくつかの例では、アクセスノード通信マネージャ1420-aの一部は、受信機1410もしくは送信機1430に組み込まれてよく、またはそれらと共有されてよい。いくつかの例では、アクセスノード通信マネージャ1420-aは、図1を参照しながら説明したアクセスノード通信マネージャ1420の態様の一例であってよい。いくつかの例では、アクセスノード通信マネージャ1420-aは、測定マネージャ1435、サービングセル識別器1440、監視セット識別器1445、またはセルメンバーシップマネージャ1450を含み得る。
【０１８５】
測定マネージャ1435は、複数のセルのうちの各セルから測定値を受信するために使用され得る。測定値は、ネットワークに接続されている間にリソースの専用セットを使用してパイロット信号を送信することに関連する無線リソース構成で動作中のUEの第1のセットによって送信されたパイロット信号の第1のセットの測定値、およびネットワークに接続されている間にリソースの共通セットを使用してパイロット信号を送信することに関連する無線リソース構成で動作中のUEの第2のセットによって送信されたパイロット信号の第2のセットの測定値を含み得る。
【０１８６】
サービングセル識別器1440は、UEの第1のセットの中の各UEおよびUEの第2のセットの中の各UEに対して、測定値に少なくとも部分的に基づいてUE用のサービングセルを識別するために使用され得る。
【０１８７】
監視セット識別器1445は、UEによって送信されるパイロット信号を求めて監視すべきセルの監視セットを識別するために使用され得る。いくつかの例では、UEによって送信されるパイロット信号を求めて監視すべきセルの監視セットは、UEによって送信された少なくとも1つのパイロット信号の測定値、もしくはUE用の識別されたサービングセルのロケーション、またはそれらの組合せに少なくとも部分的に基づいて識別され得る。
【０１８８】
セルメンバーシップマネージャ1450は、セルがそのためのサービングセルであるUEのセット、およびセルがそのためのセルの監視セットのメンバーであるUEのセットを、各セルに示すために使用され得る。
【０１８９】
図15は、本開示の様々な態様による、ワイヤレス通信における使用のためのアクセスノード通信マネージャ1420-bのブロック図1500を示す。アクセスノード通信マネージャ1420-bは、図1または図14を参照しながら説明したアクセスノード通信マネージャ1420の態様の一例であってよい。
【０１９０】
アクセスノード通信マネージャ1420-bの構成要素は、適用可能な機能の一部または全部をハードウェアで実行するように適合された1つまたは複数のASICを使用して、個別にまたは集合的に実装され得る。代替として、機能は、1つまたは複数の集積回路上の1つまたは複数の他の処理ユニット(または、コア)によって実行され得る。いくつかの他の例では、当技術分野で知られている任意の方法でプログラムされ得る他のタイプの集積回路(たとえば、構造化/プラットフォームASIC、FPGA、SoC、および/または他のタイプのセミカスタムIC)が使用され得る。各構成要素の機能はまた、メモリの中で具現化されるとともに1つまたは複数の汎用プロセッサまたは特定用途向けプロセッサによって実行されるようにフォーマットされた命令を用いて、全体的にまたは部分的に実施され得る。
【０１９１】
いくつかの例では、アクセスノード通信マネージャ1420-bは、図1〜図9を参照しながら説明したネットワークアクセスデバイス105または図14を参照しながら説明した装置1405のうちの1つなどの、ネットワークアクセスデバイスまたは装置のためのワイヤレス通信の1つまたは複数の態様を管理するために使用され得る。いくつかの例では、アクセスノード通信マネージャ1420-bの一部は、受信機もしくは送信機(たとえば、図14を参照しながら説明した受信機1410または送信機1430)に組み込まれてよく、またはそれらと共有されてよい。いくつかの例では、アクセスノード通信マネージャ1420-bは、測定マネージャ1435-a、サービングセル識別器1440-a、監視セット識別器1445-a、またはセルメンバーシップマネージャ1450-aを含み得る。
【０１９２】
測定マネージャ1435-aは、複数のセルのうちの各セルから測定値を受信するために使用され得る。測定値は、ネットワークに接続されている間にリソースの専用セットを使用してパイロット信号を送信することに関連する無線リソース構成で動作中のUEの第1のセットによって送信されたパイロット信号の第1のセットの測定値、およびネットワークに接続されている間にリソースの共通セットを使用してパイロット信号を送信することに関連する無線リソース構成で動作中のUEの第2のセットによって送信されたパイロット信号の第2のセットの測定値を含み得る。
【０１９３】
サービングセル識別器1440-aは、UEの第1のセットの中の各UEおよびUEの第2のセットの中の各UEに対して、測定値に少なくとも部分的に基づいてUE用のサービングセルを識別するために使用され得る。いくつかの例では、サービングセル識別器1440-aは、サービングセル変更マネージャ1505を含み得る。サービングセル変更マネージャ1505は、UEの第1のセットの中のUE用のサービングセルの変更を識別し、サービングセルの変更を識別するとUEのためのサービングセル変更プロシージャを開始するために使用され得る。いくつかの例では、サービングセル変更プロシージャを開始することは、UEのための再構成メッセージをUE用のソースサービングセルを通じてUEへ送信することを含み得る。いくつかの例では、サービングセル変更プロシージャを開始することは、UEのための再構成メッセージをUE用のターゲットサービングセルを通じてUEへ送信することを含み得る。RRC再構成メッセージは、ターゲットサービングセルへのUEのハンドオーバの後にUEによって使用されるべきリソースの専用セットを識別し得る。
【０１９４】
監視セット識別器1445-aは、UEによって送信されるパイロット信号を求めて監視すべきセルの監視セットを識別するために使用され得る。いくつかの例では、UEによって送信されるパイロット信号を求めて監視すべきセルの監視セットは、UEによって送信された少なくとも1つのパイロット信号の測定値、もしくはUE用の識別されたサービングセルのロケーション、またはそれらの組合せに少なくとも部分的に基づいて識別され得る。
【０１９５】
セルメンバーシップマネージャ1450-aは、セルがそのためのサービングセルであるUEのセット、およびセルがそのためのセルの監視セットのメンバーであるUEのセットを、各セルに示すために使用され得る。
【０１９６】
図16は、本開示の様々な態様による、アップリンクベースモビリティをサポートするUE115-iのブロック図1600を示す。UE115-iは、パーソナルコンピュータ(たとえば、ラップトップコンピュータ、ネットブックコンピュータ、タブレットコンピュータなど)、セルラー電話、PDA、DVR、インターネットアプライアンス、ゲーミングコンソール、電子リーダー、車両、家庭用電気器具、照明もしくは警報制御システムなどが含まれてよく、またはそれらの一部であってよい。UE115-iは、いくつかの例では、モバイル動作を容易にするために、小型バッテリーなどの内部電源(図示せず)を有し得る。いくつかの例では、UE115-iは、図1〜図9を参照しながら説明したUE115または図10を参照しながら説明した装置1015のうちの1つまたは複数の態様の一例であってよい。UE115-iは、図1〜図11を参照しながら説明したUEまたは装置の技法および機能のうちの少なくともいくつかを実施するように構成され得る。
【０１９７】
UE115-iは、プロセッサ1610、メモリ1620、少なくとも1つのトランシーバ(トランシーバ1630によって表す)、少なくとも1つのアンテナ(アンテナ1640によって表す)、またはUEワイヤレス通信マネージャ1020-cを含み得る。これらの構成要素の各々は、1つまたは複数のバス1635を介して直接的または間接的に、互いに通信していてよい。
【０１９８】
メモリ1620は、ランダムアクセスメモリ(RAM)または読取り専用メモリ(ROM)を含み得る。メモリ1620は、実行されたとき、たとえば、図1〜図11を参照しながら説明したUEの技法および機能のうちの少なくともいくつかを含む、ワイヤレス通信に関係し本明細書で説明する様々な機能をプロセッサ1610に実行させるように構成される命令を含む、コンピュータ可読コンピュータ実行可能コード1625を記憶し得る。代替として、コンピュータ実行可能コード1625は、プロセッサ1610によって直接実行可能でなくてよいが、(たとえば、コンパイルおよび実行されたとき)本明細書で説明する機能のいくつかをUE115-iに実行させるように構成されてよい。
【０１９９】
プロセッサ1610は、インテリジェントハードウェアデバイス(たとえば、中央処理装置(CPU)、マイクロコントローラ、ASICなど)を含み得る。プロセッサ1610は、トランシーバ1630を通じて受信された情報、またはアンテナ1640を通じた送信のためにトランシーバ1630へ送られるべき情報を処理し得る。プロセッサ1610は、単独で、またはUEワイヤレス通信マネージャ1020-cとともに、1つまたは複数の無線周波数スペクトル帯域を介して通信すること(または、それを介した通信を管理すること)の様々な態様を処理し得る。
【０２００】
トランシーバ1630は、送信のためにパケットを変調するとともに被変調パケットをアンテナ1640に提供し、アンテナ1640から受信されたパケットを復調するように構成された、モデムを含み得る。トランシーバ1630は、いくつかの例では、1つまたは複数の送信機および1つまたは複数の別個の受信機として実装され得る。トランシーバ1630は、1つまたは複数の無線周波数スペクトル帯域の中の通信をサポートし得る。トランシーバ1630は、図1〜図9を参照しながら説明したネットワークアクセスデバイス105(たとえば、1つまたは複数のAN105-a、1つまたは複数のDU105-cなど)のうちの1つもしくは複数、または図12もしくは図14を参照しながら説明した装置1205もしくは1405のうちの1つもしくは複数と、アンテナ1640を介して双方向に通信するように構成され得る。UE115-iは単一のアンテナを含んでよいが、UE115-iが複数のアンテナ1640を含んでよい例があり得る。
【０２０１】
UEワイヤレス通信マネージャ1020-cは、1つまたは複数の無線周波数スペクトル帯域を介したワイヤレス通信に関係する、図1〜図11を参照しながら説明したUEまたは装置の技法または機能の一部または全部を実行または制御するように構成され得る。UEワイヤレス通信マネージャ1020-cもしくはそれの部分はプロセッサを含んでよく、またはUEワイヤレス通信マネージャ1020-cの機能の一部もしくは全部は、プロセッサ1610によって、もしくはプロセッサ1610とともに実行されてよい。いくつかの例では、UEワイヤレス通信マネージャ1020-cは、図1、図10、または図11を参照しながら説明したUEワイヤレス通信マネージャ1020の一例であってよい。
【０２０２】
図17は、本開示の様々な態様による、アップリンクベースモビリティをサポートするネットワークアクセスデバイス105-eのブロック図1700を示す。いくつかの例では、ネットワークアクセスデバイス105-eは、図1〜図9を参照しながら説明したAN105-aもしくはDU105-c、または図12を参照しながら説明した装置1205のうちの1つまたは複数の態様の一例であってよい。ネットワークアクセスデバイス105-eは、図1〜図9、図12、または図13を参照しながら説明したネットワークアクセスデバイス、DU、または装置の技法および機能のうちの少なくともいくつかを実施するように構成され得る。
【０２０３】
ネットワークアクセスデバイス105-eは、プロセッサ1710、メモリ1720、少なくとも1つのトランシーバ(トランシーバ1730によって表す)、少なくとも1つのアンテナ(アンテナ1740によって表す)、または送信/受信通信マネージャ1220-cを含み得る。これらの構成要素の各々は、1つまたは複数のバス1735を介して直接的または間接的に、互いに通信していてよい。
【０２０４】
メモリ1720はRAMまたはROMを含み得る。メモリ1720は、実行されたとき、たとえば、図1〜図13を参照しながら説明したネットワークアクセスデバイス、DU、または装置の技法および機能のうちの少なくともいくつかを含む、ワイヤレス通信に関係し本明細書で説明する様々な機能をプロセッサ1710に実行させるように構成される命令を含む、コンピュータ可読コンピュータ実行可能コード1725を記憶し得る。代替として、コンピュータ実行可能コード1725は、プロセッサ1710によって直接実行可能でなくてよいが、(たとえば、コンパイルおよび実行されたとき)本明細書で説明する機能のいくつかをネットワークアクセスデバイス105-eに実行させるように構成されてよい。
【０２０５】
プロセッサ1710は、インテリジェントハードウェアデバイス(たとえば、CPU、マイクロコントローラ、ASICなど)を含み得る。プロセッサ1710は、トランシーバ1730を通じて受信された情報、またはアンテナ1740を通じた送信のためにトランシーバ1730へ送られるべき情報を処理し得る。プロセッサ1710は、単独で、または送信/受信通信マネージャ1220-cとともに、1つまたは複数の無線周波数スペクトル帯域を介して通信すること(または、それを介した通信を管理すること)の様々な態様を処理し得る。
【０２０６】
トランシーバ1730は、送信のためにパケットを変調するとともに被変調パケットをアンテナ1740に提供し、アンテナ1740から受信されたパケットを復調するように構成された、モデムを含み得る。トランシーバ1730は、いくつかの例では、1つまたは複数の送信機および1つまたは複数の別個の受信機として実装され得る。トランシーバ1730は、1つまたは複数の無線周波数スペクトル帯域の中の通信をサポートし得る。トランシーバ1730は、図1〜図9を参照しながら説明したUE115または図10を参照しながら説明した装置1015のうちの1つまたは複数と、アンテナ1740を介して双方向に通信するように構成され得る。ネットワークアクセスデバイス105-eは単一のアンテナを含んでよいが、ネットワークアクセスデバイス105-eが複数のアンテナ1740を含んでよい例があり得る。
【０２０７】
送信/受信通信マネージャ1220-cは、1つまたは複数の無線周波数スペクトル帯域を介したワイヤレス通信に関係する、図1〜図9、図12、または図13を参照しながら説明したネットワークアクセスデバイス、DU、または装置の技法または機能の一部または全部を実行または制御するように構成され得る。送信/受信通信マネージャ1220-cはまた、ネットワークアクセスデバイス105-eに関連付けられたCUとの通信を管理するために使用され得る。CUとの通信は、たとえば、実装形態に応じて、有線通信リンクまたはワイヤレス通信リンクを介してよい。送信/受信通信マネージャ1220-cもしくはそれの部分はプロセッサを含んでよく、または送信/受信通信マネージャ1220-cの機能の一部もしくは全部は、プロセッサ1710によって、もしくはプロセッサ1710とともに実行されてよい。いくつかの例では、送信/受信通信マネージャ1220-cは、図1、図12、または図13を参照しながら説明した送信/受信通信マネージャ1220の一例であってよい。
【０２０８】
図18は、本開示の様々な態様による、アップリンクベースモビリティをサポートするネットワークアクセスデバイス105-fのブロック図1800を示す。いくつかの例では、ネットワークアクセスデバイス105-fは、図1〜図9を参照しながら説明したAN105-aもしくはCU105-b、または図14を参照しながら説明した装置1405のうちの1つまたは複数の態様の一例であってよい。ネットワークアクセスデバイス105-fは、図1〜図9、図14、または図15を参照しながら説明したネットワークアクセスデバイス、CU、または装置の技法および機能のうちの少なくともいくつかを実施または容易にするように構成され得る。
【０２０９】
CU105-fは、プロセッサ1810、メモリ1820、またはアクセスノード通信マネージャ1420-cを含み得る。これらの構成要素の各々は、1つまたは複数のバス1835を介して直接的または間接的に、互いに通信していてよい。
【０２１０】
メモリ1820はRAMまたはROMを含み得る。メモリ1820は、実行されたとき、たとえば、図1〜図9、図14、または図15を参照しながら説明したネットワークアクセスデバイス、CU、または装置の技法および機能のうちの少なくともいくつかを含む、ワイヤレス通信に関係し本明細書で説明する様々な機能をプロセッサ1810に実行させるように構成される命令を含む、コンピュータ可読コンピュータ実行可能コード1825を記憶し得る。代替として、コンピュータ実行可能コード1825は、プロセッサ1810によって直接実行可能でなくてよいが、(たとえば、コンパイルおよび実行されたとき)本明細書で説明する機能のいくつかをネットワークアクセスデバイス105-fに実行させるように構成されてよい。
【０２１１】
プロセッサ1810は、インテリジェントハードウェアデバイス(たとえば、CPU、マイクロコントローラ、ASICなど)を含み得る。プロセッサ1810は、コアネットワーク130-bから、または1つもしくは複数の他のネットワークアクセスデバイス105から(たとえば、DU105-c-13もしくはDU105-c-14などの1つもしくは複数のDUから、または1つもしくは複数の他のCU105-bから)、アクセスノード通信マネージャ1420-cを通じて受信された情報を処理し得る。プロセッサ1810はまた、コアネットワーク130-bまたは1つもしくは複数の他のネットワークアクセスデバイス105への(たとえば、DU105-c-13もしくはDU105-c-14などの1つもしくは複数のDUへの、または1つもしくは複数の他のCU105-bへの)送信のために、アクセスノード通信マネージャ1420-cへ送られるべき情報を処理し得る。プロセッサ1810は、単独で、またはアクセスノード通信マネージャ1420-cとともに、1つまたは複数の無線周波数スペクトル帯域を介して通信すること(または、それを介した通信を管理すること)の様々な態様を処理し得る。
【０２１２】
アクセスノード通信マネージャ1420-cは、1つまたは複数の無線周波数スペクトル帯域を介したワイヤレス通信に関係する、図1〜図9、図14、または図15を参照しながら説明した技法または機能の一部または全部を実行または制御するように構成され得る。アクセスノード通信マネージャ1420-cはまた、ネットワーク(たとえば、コアネットワーク130-b)、1つもしくは複数のDU(たとえば、DU105-c-13またはDU105-c-14)、または1つもしくは複数の他のCU105-bとの通信を管理するために使用され得る。ネットワーク、DU、または他のCUとの通信は、たとえば、実装形態に応じて、有線通信リンクまたはワイヤレス通信リンクを介してよい。アクセスノード通信マネージャ1420-cもしくはそれの部分はプロセッサを含んでよく、またはアクセスノード通信マネージャ1420-cの機能の一部もしくは全部は、プロセッサ1810によって、もしくはプロセッサ1810とともに実行されてよい。いくつかの例では、アクセスノード通信マネージャ1420-cは、図1、図14、または図15を参照しながら説明したアクセスノード通信マネージャ1420の一例であってよい。
【０２１３】
図19は、本開示の様々な態様による、アップリンクベースモビリティをサポートするMIMO通信システム1900のブロック図である。MIMO通信システム1900は、ネットワークアクセスデバイス105-gおよびUE115-jを含み得る。MIMO通信システム1900は、図1、図3、または図4に示すワイヤレス通信システム100、300、または400の態様を示し得る。いくつかの例では、ネットワークアクセスデバイス105-gは、図1〜図9を参照しながら説明したネットワークアクセスデバイス105または図12もしくは図14を参照しながら説明した装置1205もしくは1405のうちの1つなどの、ネットワークアクセスデバイス(たとえば、AN105-a、CU105-b、DU105-c、または基地局)の1つまたは複数の態様の一例であってよい。ネットワークアクセスデバイス105-gは、アンテナ1934-a〜1934-xが装備され得、UE115-jは、アンテナ1952-a〜1952-nが装備され得る。MIMO通信システム1900において、ネットワークアクセスデバイス105-gは、複数の通信リンクを介してデータを同時に送ることができる場合がある。各通信リンクは「レイヤ」と呼ばれることがあり、通信リンクの「ランク」は、通信のために使用されるレイヤの数を示すことがある。たとえば、ネットワークアクセスデバイス105-gが2つの「レイヤ」を送信する2×2MIMO通信システムでは、ネットワークアクセスデバイス105-gとUE115-jとの間の通信リンクのランクは2である。
【０２１４】
ネットワークアクセスデバイス105-gにおいて、送信プロセッサ1920は、データソースからデータを受信し得る。送信プロセッサ1920は、データを処理し得る。送信プロセッサ1920はまた、制御シンボルおよび/または基準シンボルを生成し得る。送信(Tx)MIMOプロセッサ1930は、適用可能な場合、データシンボル、制御シンボル、および/または基準シンボルに対して空間処理(たとえば、プリコーディング)を実行し得、送信変調器/復調器(Mod/Demod)1932-a〜1932-xに出力シンボルストリームを提供し得る。各変調器/復調器1932は、それぞれの出力シンボルストリームを(たとえば、OFDM用などに)処理して出力サンプルストリームを取得し得る。各変調器/復調器1932は、出力サンプルストリームをさらに処理(たとえば、アナログ変換、増幅、フィルタ処理、およびアップコンバート)してDL信号を取得し得る。一例では、変調器/復調器1932-a〜1932-xからのDL信号は、それぞれ、アンテナ1934-a〜1934-xを介して送信され得る。
【０２１５】
UE115-jにおいて、アンテナ1952-a〜1952-nは、ネットワークアクセスデバイス105-gからDL信号を受信し得、それぞれ、変調器/復調器1954-a〜1954-nに受信信号を提供し得る。各変調器/復調器1954は、それぞれの受信信号を調整(たとえば、フィルタ処理、増幅、ダウンコンバート、およびデジタル化)して入力サンプルを取得し得る。各変調器/復調器1954は、入力サンプルを(たとえば、OFDM用などに)さらに処理して受信シンボルを取得し得る。MIMO検出器1956は、すべての変調器/復調器1954-a〜1954-nから受信シンボルを取得し得、適用可能な場合、受信シンボルに対してMIMO検出を実行し得、検出されたシンボルを提供し得る。受信プロセッサ1958は、検出されたシンボルを処理(たとえば、復調、デインターリーブ、および復号)してUE115-j用の復号データをデータ出力部に提供し得、復号された制御情報をプロセッサ1980またはメモリ1982に提供し得る。
【０２１６】
プロセッサ1980は、場合によっては、UEワイヤレス通信マネージャ1020-dをインスタンス化するための記憶された命令を実行し得る。いくつかの例では、UEワイヤレス通信マネージャ1020-dは、図1、図10、図11、もしくは図16を参照しながら説明したUEワイヤレス通信マネージャ1020の構成要素を含み得、またはそうしたUEワイヤレス通信マネージャ1020の機能を実行するために使用され得る。
【０２１７】
アップリンク(UL)上では、UE115-jにおいて、送信プロセッサ1964が、データソースからのデータを受信および処理し得る。送信プロセッサ1964はまた、基準信号用の基準シンボルを生成し得る。送信プロセッサ1964からのシンボルは、適用可能な場合、送信MIMOプロセッサ1966によってプリコードされ得、変調器/復調器1954-a〜1954-nによって(たとえば、SC-FDMA用などに)さらに処理され得、ネットワークアクセスデバイス105-gから受信された送信パラメータに従ってネットワークアクセスデバイス105-gへ送信され得る。ネットワークアクセスデバイス105-gにおいて、UE115-jからのUL信号は、アンテナ1934によって受信され得、変調器/復調器1932によって処理され得、適用可能な場合、MIMO検出器1936によって検出され得、受信プロセッサ1938によってさらに処理され得る。受信プロセッサ1938は、データ出力部ならびにプロセッサ1940および/またはメモリ1942に復号データを提供し得る。いくつかの例では、プロセッサ1940は、送信/受信通信マネージャ1220-dをインスタンス化するための記憶された命令を実行し得る。送信/受信通信マネージャ1220-dは、図1、図12、図13、もしくは図17を参照しながら説明した送信/受信通信マネージャ1220の構成要素を含み得、またはそうした送信/受信通信マネージャ1220の機能を実行するために使用され得る。いくつかの例では、プロセッサ1940は、アクセスノード通信マネージャ1420-dをインスタンス化するための記憶された命令を実行し得る。アクセスノード通信マネージャ1420-dは、図1、図14、図15、もしくは図18を参照しながら説明したアクセスノード通信マネージャ1420の構成要素を含み得、またはそうしたアクセスノード通信マネージャ1420の機能を実行するために使用され得る。
【０２１８】
UE115-jの構成要素は、適用可能な機能の一部または全部をハードウェアで実行するように適合された1つまたは複数のASICを用いて、個別にまたは集合的に実装され得る。言及したモジュールの各々は、MIMO通信システム1900の動作に関係する1つまたは複数の機能を実行するための手段であり得る。同様に、ネットワークアクセスデバイス105-gの構成要素は、適用可能な機能の一部または全部をハードウェアで実行するように適合された1つまたは複数のASICを用いて、個別にまたは集合的に実装され得る。言及した構成要素の各々は、MIMO通信システム1900の動作に関係する1つまたは複数の機能を実行するための手段であり得る。
【０２１９】
図20は、本開示の様々な態様による、UE115においてアップリンクベースモビリティをサポートする方法2000の一例を示すフローチャートを示す。明快のために、方法2000は、図1〜図9、図16、もしくは図19を参照しながら説明したUE115、または図10を参照しながら説明した装置1015、または図1、図10、図11、図16、もしくは図19を参照しながら説明したUEワイヤレス通信マネージャ1020のうちの1つまたは複数の態様を参照しながら以下で説明される。いくつかの例では、UEは、以下で説明する機能を実行するようにUEの機能要素を制御するためのコードの、1つまたは複数のセットを実行し得る。追加または代替として、UEは、以下で説明する機能のうちの1つまたは複数を、専用ハードウェアを使用して実行してもよい。
【０２２０】
ブロック2005において、方法2000は、UEがネットワークとの接続モードにある間に、UEの無線リソース構成を識別することを含み得る。ブロック2005における動作は、図1、図10、図11、図16、もしくは図19を参照しながら説明したUEワイヤレス通信マネージャ1020、または図10もしくは図11を参照しながら説明した無線リソース構成識別器1035を使用して実行され得る。
【０２２１】
ブロック2010において、方法2000は、識別された無線リソース構成に少なくとも部分的に基づいて、UE用のリソースの専用セットまたは複数のUE用のリソースの共通セットを選択することを含み得る。いくつかの例では、リソースの専用セットは、リソースの共通セットよりも粒度の細かい周期性に関連し得る。ブロック2010における動作は、図1、図10、図11、図16、もしくは図19を参照しながら説明したUEワイヤレス通信マネージャ1020、または図10もしくは図11を参照しながら説明したリソース選択器1040を使用して実行され得る。
【０２２２】
ブロック2015において、方法2000は、リソースの選択されたセットを使用してパイロット信号をネットワークへ送信することを含み得る。いくつかの例では、パイロット信号は、UEのDTX構成またはDRX構成に少なくとも部分的に基づいて周期的に送信され得る。ブロック2015における動作は、図1、図10、図11、図16、もしくは図19を参照しながら説明したUEワイヤレス通信マネージャ1020、または図10もしくは図11を参照しながら説明したパイロット信号送信マネージャ1045を使用して実行され得る。
【０２２３】
したがって、方法2000はワイヤレス通信を提供し得る。方法2000が、一実装形態にすぎないこと、および方法2000の動作が、他の実装形態が可能であるように並べ替えられてよく、または別の方法で修正されてよいことに留意されたい。
【０２２４】
図21は、本開示の様々な態様による、UE115においてアップリンクベースモビリティをサポートする方法2100の一例を示すフローチャートを示す。明快のために、方法2100は、図1〜図9、図16、もしくは図19を参照しながら説明したUE115、または図10を参照しながら説明した装置1015、または図1、図10、図11、図16、もしくは図19を参照しながら説明したUEワイヤレス通信マネージャ1020のうちの1つまたは複数の態様を参照しながら以下で説明される。いくつかの例では、UEは、以下で説明する機能を実行するようにUEの機能要素を制御するためのコードの、1つまたは複数のセットを実行し得る。追加または代替として、UEは、以下で説明する機能のうちの1つまたは複数を、専用ハードウェアを使用して実行してもよい。
【０２２５】
ブロック2105において、方法2100は、リソースの共通セットの割振りを受信することを随意に含み得る。いくつかの例では、リソースの共通セットの割振りは、同期信号、システム情報(たとえば、SIB)、ユニキャストメッセージ(たとえば、MAC制御要素によるオンデマンドシステム情報、RRCメッセージ、PHYメッセージ、PDCCHコマンドなど)、またはそれらの組合せのうちの少なくとも1つの中で受信され得る。いくつかの例では、リソースの共通セットの割振りは、UEのタイプに少なくとも部分的に基づいて識別され得る。ブロック2105における動作は、図1、図10、図11、図16、もしくは図19を参照しながら説明したUEワイヤレス通信マネージャ1020、または図11を参照しながら説明した共通リソースマネージャ1105を使用して実行され得る。
【０２２６】
ブロック2110において、方法2100は、ユニキャストメッセージの中で、ユニキャストメッセージのタイミングにおいて、またはそれらの組合せのうちの少なくとも1つで、リソースの専用セットの割振りを受信することを随意に含み得る。ブロック2110における動作は、図1、図10、図11、図16、もしくは図19を参照しながら説明したUEワイヤレス通信マネージャ1020、または図11を参照しながら説明した専用リソースマネージャ1110を使用して実行され得る。
【０２２７】
ブロック2115において、方法2100は、UEがネットワークとの接続モードにある間に、UEの無線リソース構成を識別することを含み得る。ブロック2115における動作は、図1、図10、図11、図16、もしくは図19を参照しながら説明したUEワイヤレス通信マネージャ1020、または図10もしくは図11を参照しながら説明した無線リソース構成識別器1035を使用して実行され得る。
【０２２８】
ブロック2120において、方法2100は、識別された無線リソース構成に少なくとも部分的に基づいて、UE用のリソースの専用セットまたは複数のUE用のリソースの共通セットを選択することを含み得る。いくつかの例では、リソースの専用セットは、リソースの共通セットよりも粒度の細かい周期性に関連し得る。ブロック2120における動作は、図1、図10、図11、図16、もしくは図19を参照しながら説明したUEワイヤレス通信マネージャ1020、または図10もしくは図11を参照しながら説明したリソース選択器1040を使用して実行され得る。
【０２２９】
ブロック2125において、方法2100は、UEが位置するゾーンを識別することを随意に含み得る。ブロック2125における動作は、図1、図10、図11、図16、もしくは図19を参照しながら説明したUEワイヤレス通信マネージャ1020、または図11を参照しながら説明したゾーン識別器1115を使用して実行され得る。
【０２３０】
ブロック2130において、方法2100は、識別されたゾーンに少なくとも部分的に基づいてパイロット信号を構成することを随意に含み得る。ブロック2130における動作は、図1、図10、図11、図16、もしくは図19を参照しながら説明したUEワイヤレス通信マネージャ1020、図10もしくは図11を参照しながら説明したパイロット信号送信マネージャ1045、または図11を参照しながら説明したパイロット信号構成器1120を使用して実行され得る。
【０２３１】
ブロック2135において、方法2100は、リソースの選択されたセットを使用してパイロット信号をネットワークへ送信することを含み得る。いくつかの例では、パイロット信号は、UEのDTX構成またはDRX構成に少なくとも部分的に基づいて周期的に送信され得る。ブロック2135における動作は、図1、図10、図11、図16、もしくは図19を参照しながら説明したUEワイヤレス通信マネージャ1020、または図10もしくは図11を参照しながら説明したパイロット信号送信マネージャ1045を使用して実行され得る。
【０２３２】
ブロック2140において、方法2100は、リソースの選択されたセットを使用してキープアライブ信号を受信することを随意に含み得る。キープアライブ信号は、UE用のサービングセルから受信され得、パイロット信号に少なくとも部分的に基づき得る(たとえば、ネットワークアクセスデバイスは、パイロット信号の1つまたは複数の測定値に少なくとも部分的に基づいて、UE用のサービングセルとしてそれ自体または別のネットワークアクセスデバイスを識別し得る)。ブロック2140における動作は、図1、図10、図11、図16、もしくは図19を参照しながら説明したUEワイヤレス通信マネージャ1020、または図11を参照しながら説明したキープアライブ信号プロセッサ1125を使用して実行され得る。
【０２３３】
ブロック2145において、方法2100は、キープアライブ信号に少なくとも部分的に基づいて、UE用のサービングセルを識別することを随意に含み得る。ブロック2145における動作は、図1、図10、図11、図16、もしくは図19を参照しながら説明したUEワイヤレス通信マネージャ1020、または図11を参照しながら説明したサービングセル識別器1130を使用して実行され得る。
【０２３４】
したがって、方法2100はワイヤレス通信を提供し得る。方法2100が、一実装形態にすぎないこと、および方法2100の動作が、他の実装形態が可能であるように並べ替えられてよく、または別の方法で修正されてよいことに留意されたい。いくつかの例では、図20および図21を参照しながら説明した方法2000および2100の態様が組み合わせられてよい。
【０２３５】
図22は、本開示の様々な態様による、ネットワークアクセスデバイス105においてアップリンクベースモビリティをサポートする方法2200の一例を示すフローチャートを示す。明快のために、方法2200は、図1〜図9、図17、図18、もしくは図19を参照しながら説明したネットワークアクセスデバイス105(たとえば、AN105-a、DU105-cなど)、または図12を参照しながら説明した装置1205、または図1、図12、図13、図17、図18、もしくは図19を参照しながら説明した送信/受信通信マネージャ1220のうちの1つまたは複数の態様を参照しながら以下で説明される。いくつかの例では、方法2200はDUによって実行され得る。いくつかの例では、ネットワークアクセスデバイス105は、以下で説明する機能を実行するようにネットワークアクセスデバイス105の機能要素を制御するためのコードの、1つまたは複数のセットを実行し得る。追加または代替として、ネットワークアクセスデバイス105は、以下で説明する機能のうちの1つまたは複数を、専用ハードウェアを使用して実行してもよい。
【０２３６】
ブロック2205において、方法2200は、UEの第1のセットの中の少なくとも1つのUE用のリソースの少なくとも1つの専用セットを識別することを含み得る。ネットワークアクセスデバイスは、UEの第1のセットの中の各UE用のネットワークアクセスデバイスの監視セットのメンバーであり得る。UEがネットワーク内で移動するとき、ネットワークアクセスデバイスは、UEの第1のセットに対する更新を受信し得る。いくつかの例では、更新は、CU105-bから受信され得る。ブロック2205における動作は、図1、図12、図13、図17、もしくは図19を参照しながら説明した送信/受信通信マネージャ1220、または図12もしくは図13を参照しながら説明したリソース識別器1235を使用して実行され得る。
【０２３７】
ブロック2210において、方法2200は、リソースの少なくとも1つの専用セット上でUEの第1のセットから受信されたパイロット信号の第1のセット、およびリソースの共通セットを使用してUEの第2のセットから受信されたパイロット信号の第2のセットを測定することを含み得る。ブロック2210における動作は、図1、図12、図13、図17、もしくは図19を参照しながら説明した送信/受信通信マネージャ1220、または図12もしくは図13を参照しながら説明したパイロット信号測定器1240を使用して実行され得る。
【０２３８】
ブロック2215において、方法2200は、パイロット信号の第1のセットおよびパイロット信号の第2のセットの測定値に少なくとも部分的に基づいて、ネットワークアクセスデバイスがそのためのサービングセルとして動作するUEの第3のセットを識別することを含み得る。いくつかの例では、UEの第3のセットは、UEの第1のセットの中の少なくとも1つのUE、もしくはUEの第2のセットの中の少なくとも1つのUE、またはそれらの組合せを含み得る。ブロック2215における動作は、図1、図12、図13、図17、もしくは図19を参照しながら説明した送信/受信通信マネージャ1220、または図12もしくは図13を参照しながら説明したサービングセル識別器1245を使用して実行され得る。
【０２３９】
したがって、方法2200はワイヤレス通信を提供し得る。方法2200が、一実装形態にすぎないこと、および方法2200の動作が、他の実装形態が可能であるように並べ替えられてよく、または別の方法で修正されてよいことに留意されたい。
【０２４０】
図23は、本開示の様々な態様による、ネットワークアクセスデバイス105においてアップリンクベースモビリティをサポートする方法2300の一例を示すフローチャートを示す。明快のために、方法2300は、図1〜図9、図17、図18、もしくは図19を参照しながら説明したネットワークアクセスデバイス105(たとえば、AN105-a、DU105-cなど)、または図12を参照しながら説明した装置1205、または図1、図12、図13、図17、もしくは図19を参照しながら説明した送信/受信通信マネージャ1220のうちの1つまたは複数の態様を参照しながら以下で説明される。いくつかの例では、方法2300はDU105-cによって実行され得る。いくつかの例では、ネットワークアクセスデバイス105は、以下で説明する機能を実行するようにネットワークアクセスデバイス105の機能要素を制御するためのコードの、1つまたは複数のセットを実行し得る。追加または代替として、ネットワークアクセスデバイス105は、以下で説明する機能のうちの1つまたは複数を、専用ハードウェアを使用して実行してもよい。
【０２４１】
ブロック2305において、方法2300は、UEの第1のセットの中の少なくとも1つのUE用のリソースの少なくとも1つの専用セットを識別することを含み得る。ネットワークアクセスデバイスは、UEの第1のセットの中の各UE用のネットワークアクセスデバイスの監視セットのメンバーであり得る。UEがネットワーク内で移動するとき、ネットワークアクセスデバイスは、UEの第1のセットに対する更新を受信し得る。いくつかの例では、更新は、別のネットワークアクセスデバイス(たとえば、CU105-b)から受信され得る。ブロック2305における動作は、図1、図12、図13、図17、もしくは図19を参照しながら説明した送信/受信通信マネージャ1220、または図12もしくは図13を参照しながら説明したリソース識別器1235を使用して実行され得る。
【０２４２】
ブロック2310において、方法2300は、リソースの少なくとも1つの専用セット上でUEの第1のセットから受信されたパイロット信号の第1のセット、およびリソースの共通セットを使用してUEの第2のセットから受信されたパイロット信号の第2のセットを測定することを含み得る。ブロック2310における動作は、図1、図12、図13、図17、もしくは図19を参照しながら説明した送信/受信通信マネージャ1220、または図12もしくは図13を参照しながら説明したパイロット信号測定器1240を使用して実行され得る。
【０２４３】
ブロック2315において、方法2300は、パイロット信号の第1のセットおよびパイロット信号の第2のセットの測定値に少なくとも部分的に基づいて、ネットワークアクセスデバイスがそのためのサービングセルとして動作するUEの第3のセットを識別することを含み得る。いくつかの例では、UEの第3のセットは、UEの第1のセットの中の少なくとも1つのUE、もしくはUEの第2のセットの中の少なくとも1つのUE、またはそれらの組合せを含み得る。ブロック2315における動作は、図1、図12、図13、図17、もしくは図19を参照しながら説明した送信/受信通信マネージャ1220、または図12もしくは図13を参照しながら説明したサービングセル識別器1245を使用して実行され得る。
【０２４４】
ブロック2320において、方法2300は、パイロット信号の第1のセットまたはパイロット信号の第2のセットの追加の測定値を少なくとも1つの他のネットワークアクセスデバイスから受信することを随意に含み得る。ブロック2320において追加の測定値が受信されると、UEの第3のセットは、ブロック2315において、ブロック2320において受信された追加の測定値に少なくとも部分的に基づいてさらに識別され得る。ブロック2320における動作は、図1、図12、図13、図17、もしくは図19を参照しながら説明した送信/受信通信マネージャ1220、または図12もしくは図13を参照しながら説明したサービングセル識別器1245を使用して実行され得る。
【０２４５】
ブロック2325において、方法2300は、専用キープアライブ信号をUEの第1のセットとUEの第3のセットの両方のメンバーである各UEへ送信すること、もしくは共通キープアライブ信号をUEの第2のセットとUEの第3のセットの両方のメンバーである各UEへ送信すること、またはそれらの組合せを随意に含み得る。ブロック2325における動作は、図1、図12、図13、図17、もしくは図19を参照しながら説明した送信/受信通信マネージャ1220、または図13を参照しながら説明したキープアライブ信号マネージャ1305を使用して実行され得る。
【０２４６】
ブロック2330において、方法2300は、UEの第1のセットとUEの第3のセットの両方のメンバーであるUEのための再構成メッセージを別のネットワークアクセスデバイス(たとえば、CU105-b)から受信することを随意に含み得る。再構成メッセージは、ネットワークアクセスデバイスから別のネットワークアクセスデバイスへのUEのハンドオーバの後にUEによって使用されるべきリソースの再構成された専用セットを識別し得る。代替として、ブロック2330において、方法2300は、ネットワークアクセスデバイスにハンドオーバされつつあるUEのための再構成メッセージを別のネットワークアクセスデバイス(たとえば、CU105-b)から受信することを随意に含み得る。この代替例では、再構成メッセージは、ネットワークアクセスデバイスへのUEのハンドオーバの後にUEによって使用されるべきリソースの再構成された専用セットを識別し得、UEは、UEの第1のセットおよびUEの第3のセットに追加され得る。ブロック2335において、方法2300は、再構成メッセージをUEに転送することを随意に含み得る。ブロック2330または2335における動作は、図1、図12、図13、図17、もしくは図19を参照しながら説明した送信/受信通信マネージャ1220、または図13を参照しながら説明したUE再構成マネージャ1310を使用して実行され得る。
【０２４７】
ブロック2340において、方法2300は、ネットワークアクセスデバイスにハンドオーバされているUEから再構成完了メッセージを受信することを随意に含み得る。ブロック2345において、方法2300は、再構成完了メッセージを別のネットワークアクセスデバイス(たとえば、CU105-b)に転送することを随意に含み得る。ブロック2340または2345における動作は、図1、図12、図13、図17、もしくは図19を参照しながら説明した送信/受信通信マネージャ1220、または図13を参照しながら説明したUE再構成マネージャ1310を使用して実行され得る。
【０２４８】
したがって、方法2300はワイヤレス通信を提供し得る。方法2300が、一実装形態にすぎないこと、および方法2300の動作が、他の実装形態が可能であるように並べ替えられてよく、または別の方法で修正されてよいことに留意されたい。
【０２４９】
図24は、本開示の様々な態様による、ネットワークアクセスデバイス105においてアップリンクベースモビリティをサポートする方法2400の一例を示すフローチャートを示す。明快のために、方法2400は、図1〜図9、図17、図18、もしくは図19を参照しながら説明したネットワークアクセスデバイス105(たとえば、AN105-a、DU105-cなど)、または図12を参照しながら説明した装置1205、または図1、図12、図13、図17、もしくは図19を参照しながら説明した送信/受信通信マネージャ1220のうちの1つまたは複数の態様を参照しながら以下で説明される。いくつかの例では、方法2400はDU105-cによって実行され得る。いくつかの例では、ネットワークアクセスデバイス105は、以下で説明する機能を実行するようにネットワークアクセスデバイス105の機能要素を制御するためのコードの、1つまたは複数のセットを実行し得る。追加または代替として、ネットワークアクセスデバイス105は、以下で説明する機能のうちの1つまたは複数を、専用ハードウェアを使用して実行してもよい。
【０２５０】
ブロック2405において、方法2400は、UEの第1のセットの中の少なくとも1つのUE用のリソースの少なくとも1つの専用セットを識別することを含み得る。ネットワークアクセスデバイスは、UEの第1のセットの中の各UE用のネットワークアクセスデバイスの監視セットのメンバーであり得る。UEがネットワーク内で移動するとき、ネットワークアクセスデバイスは、UEの第1のセットに対する更新を受信し得る。いくつかの例では、更新は、別のネットワークアクセスデバイス(たとえば、CU105-b)から受信され得る。ブロック2405における動作は、図1、図12、図13、図17、もしくは図19を参照しながら説明した送信/受信通信マネージャ1220、または図12もしくは図13を参照しながら説明したリソース識別器1235を使用して実行され得る。
【０２５１】
ブロック2410において、方法2400は、リソースの少なくとも1つの専用セット上でUEの第1のセットから受信されたパイロット信号の第1のセット、およびリソースの共通セットを使用してUEの第2のセットから受信されたパイロット信号の第2のセットを測定することを含み得る。ブロック2410における動作は、図1、図12、図13、図17、もしくは図19を参照しながら説明した送信/受信通信マネージャ1220、または図12もしくは図13を参照しながら説明したパイロット信号測定器1240を使用して実行され得る。
【０２５２】
ブロック2415において、方法2400は、パイロット信号の第1のセットの測定値のうちの少なくとも1つ、またはパイロット信号の第2のセットの測定値のうちの少なくとも1つを、別のネットワークアクセスデバイス(たとえば、CU105-b)へ送信することを含み得る。いくつかの例では、パイロット信号の第1のセットの測定値のうちの少なくとも1つ、またはパイロット信号の第2のセットの測定値のうちの少なくとも1つは、周期的測定値報告基準またはイベント駆動型測定値報告基準に少なくとも部分的に基づいて選択され得る。ブロック2415における動作は、図1、図12、図13、図17、もしくは図19を参照しながら説明した送信/受信通信マネージャ1220、または図13を参照しながら説明した測定値報告マネージャ1315を使用して実行され得る。
【０２５３】
ブロック2420において、方法2400は、UEの第3のセットに対する更新を他のネットワークアクセスデバイス(たとえば、CU105-b)から受信することを含み得る。ブロック2425において、方法2400は、パイロット信号の第1のセットおよびパイロット信号の第2のセットの測定値に少なくとも部分的に基づいて、ネットワークアクセスデバイスがそのためのサービングセルとして動作するUEの第3のセットを識別することを含み得る。いくつかの例では、UEの第3のセットは、UEの第1のセットの中の少なくとも1つのUE、UEの第2のセットの中の少なくとも1つのUE、またはそれらの組合せのうちの少なくとも1つを含み得る。いくつかの例では、ブロック2425における動作は、UEの第3のセットに対する更新をアクセスノードコントローラから受信することを含み得る。したがって、いくつかの例では、UEの第3のセットの一部または全部はリモートで識別され得、ブロック2425における動作は、これらのリモート識別を受信することを含み得る。ブロック2425における動作は、図1、図12、図13、図17、もしくは図19を参照しながら説明した送信/受信通信マネージャ1220、または図12もしくは図13を参照しながら説明したサービングセル識別器1245を使用して実行され得る。
【０２５４】
したがって、方法2400はワイヤレス通信を提供し得る。方法2400が、一実装形態にすぎないこと、および方法2400の動作が、他の実装形態が可能であるように並べ替えられてよく、または別の方法で修正されてよいことに留意されたい。いくつかの例では、図23および図24を参照しながら説明した方法2300および2400の態様が組み合わせられてよい。
【０２５５】
図25は、本開示の様々な態様による、ネットワークアクセスデバイス105においてアップリンクベースモビリティをサポートする方法2500の一例を示すフローチャートを示す。明快のために、方法2500は、図1〜図9、図17、図18、もしくは図19を参照しながら説明したネットワークアクセスデバイス105(たとえば、AN105-a、CU105-bなど)、または図14を参照しながら説明した装置1405、または図1、図14、図15、図18、もしくは図19を参照しながら説明したアクセスノード通信マネージャ1420のうちの1つまたは複数の態様を参照しながら以下で説明される。いくつかの例では、方法2500はCU105-bによって実行され得る。いくつかの例では、ネットワークアクセスデバイス105は、以下で説明する機能を実行するようにネットワークアクセスデバイス105の機能要素を制御するためのコードの、1つまたは複数のセットを実行し得る。追加または代替として、ネットワークアクセスデバイス105は、以下で説明する機能のうちの1つまたは複数を、専用ハードウェアを使用して実行してもよい。
【０２５６】
ブロック2505において、方法2500は、複数のセルのうちの各セルから測定値を受信することを含み得る。測定値は、ネットワークに接続されている間に第1の無線リソース構成で動作中のUEの第1のセットによって送信されたパイロット信号の第1のセットの測定値、およびネットワークに接続されている間に第2の無線リソース構成で動作中のUEの第2のセットによって送信されたパイロット信号の第2のセットの測定値を含み得る。ブロック2505における動作は、図1、図14、図15、図18、もしくは図19を参照しながら説明したアクセスノード通信マネージャ1420、または図14もしくは図15を参照しながら説明した測定マネージャ1435を使用して実行され得る。
【０２５７】
ブロック2510において、方法2500は、UEの第1のセットの中の各UEおよびUEの第2のセットの中の各UEに対して、測定値に少なくとも部分的に基づいてそれぞれのUE用のサービングセルを識別することを含み得る。ブロック2510における動作は、図1、図14、図15、図18、もしくは図19を参照しながら説明したアクセスノード通信マネージャ1420、または図14もしくは図15を参照しながら説明したサービングセル識別器1440を使用して実行され得る。
【０２５８】
ブロック2515において、方法2500は、UEの第1のセットの中の各UEに対して、それぞれのUEによって送信されるパイロット信号を求めて監視すべきセルの監視セットを識別することを含み得る。いくつかの例では、UEによって送信されるパイロット信号を求めて監視すべきセルの監視セットは、UEによって送信された少なくとも1つのパイロット信号の測定値、もしくはUE用の識別されたサービングセルのロケーション、またはそれらの組合せに少なくとも部分的に基づいて識別され得る。ブロック2515における動作は、図1、図14、図15、図18、もしくは図19を参照しながら説明したアクセスノード通信マネージャ1420、または図14もしくは図15を参照しながら説明した監視セット識別器1445を使用して実行され得る。
【０２５９】
ブロック2520において、方法2500は、それぞれのセルがそのためのサービングセルであるUEの第1のセット、およびそれぞれのセルがそのためのセルの監視セットのメンバーであるUEの第2のセットを、各セルに示すことを含み得る。ブロック2520における動作は、図1、図14、図15、図18、もしくは図19を参照しながら説明したアクセスノード通信マネージャ1420、または図14もしくは図15を参照しながら説明したセルメンバーシップマネージャ1450を使用して実行され得る。
【０２６０】
したがって、方法2500はワイヤレス通信を提供し得る。方法2500が、一実装形態にすぎないこと、および方法2500の動作が、他の実装形態が可能であるように並べ替えられてよく、または別の方法で修正されてよいことに留意されたい。
【０２６１】
図26は、本開示の様々な態様による、ネットワークアクセスデバイス105においてアップリンクベースモビリティをサポートする方法2600の一例を示すフローチャートを示す。明快のために、方法2600は、図1〜図9、図17、図18、もしくは図19を参照しながら説明したネットワークアクセスデバイス105(たとえば、AN105-a、CU105-bなど)、または図14を参照しながら説明した装置1405、または図1、図14、図15、図18、もしくは図19を参照しながら説明したアクセスノード通信マネージャ1420のうちの1つまたは複数の態様を参照しながら以下で説明される。いくつかの例では、方法2600はCU105-bによって実行され得る。いくつかの例では、ネットワークアクセスデバイス105は、以下で説明する機能を実行するようにネットワークアクセスデバイス105の機能要素を制御するためのコードの、1つまたは複数のセットを実行し得る。追加または代替として、ネットワークアクセスデバイス105は、以下で説明する機能のうちの1つまたは複数を、専用ハードウェアを使用して実行してもよい。
【０２６２】
ブロック2605において、方法2600は、複数のセルのうちの各セルから測定値を受信することを含み得る。測定値は、ネットワークに接続されている間に第1の無線リソース構成で動作中のUEの第1のセットによって送信されたパイロット信号の第1のセットの測定値、およびネットワークに接続されている間に第2の無線リソース構成で動作中のUEの第2のセットによって送信されたパイロット信号の第2のセットの測定値を含み得る。ブロック2605における動作は、図1、図14、図15、図18、もしくは図19を参照しながら説明したアクセスノード通信マネージャ1420、または図14もしくは図15を参照しながら説明した測定マネージャ1435を使用して実行され得る。
【０２６３】
ブロック2610において、方法2600は、UEの第1のセットの中の各UEおよびUEの第2のセットの中の各UEに対して、測定値に少なくとも部分的に基づいてそれぞれのUE用のサービングセルを識別することを含み得る。ブロック2610における動作は、図1、図14、図15、図18、もしくは図19を参照しながら説明したアクセスノード通信マネージャ1420、または図14もしくは図15を参照しながら説明したサービングセル識別器1440を使用して実行され得る。
【０２６４】
ブロック2615において、方法2600は、UEの第1のセットの中の各UEに対して、それぞれのUEによって送信されるパイロット信号を求めて監視すべきセルの監視セットを識別することを含み得る。いくつかの例では、UEによって送信されるパイロット信号を求めて監視すべきセルの監視セットは、UEによって送信された少なくとも1つのパイロット信号の測定値、もしくはUE用の識別されたサービングセルのロケーション、またはそれらの組合せに少なくとも部分的に基づいて識別され得る。ブロック2615における動作は、図1、図14、図15、図18、もしくは図19を参照しながら説明したアクセスノード通信マネージャ1420、または図14もしくは図15を参照しながら説明した監視セット識別器1445を使用して実行され得る。
【０２６５】
ブロック2620において、方法2600は、それぞれのセルがそのためのサービングセルであるUEの第1のセット、およびそれぞれのセルがそのためのセルの監視セットのメンバーであるUEの第2のセットを、各セルに示すことを含み得る。ブロック2620における動作は、図1、図14、図15、図18、もしくは図19を参照しながら説明したアクセスノード通信マネージャ1420、または図14もしくは図15を参照しながら説明したセルメンバーシップマネージャ1450を使用して実行され得る。
【０２６６】
ブロック2625において、方法2600は、UEの第1のセットの中のUE用のサービングセルの変更を識別することを含み得る。ブロック2630において、方法2600は、サービングセルの変更を識別するとUEのためのサービングセル変更プロシージャを開始することを含み得る。いくつかの例では、サービングセル変更プロシージャを開始することは、UEのための再構成メッセージをUE用のソースサービングセルを通じてUEへ送信することを含み得る。いくつかの例では、サービングセル変更プロシージャを開始することは、UEのための再構成メッセージをUE用のターゲットサービングセルを通じてUEへ送信することを含み得る。RRC再構成メッセージは、ターゲットサービングセルへのUEのハンドオーバの後にUEによって使用されるべきリソースの専用セットを識別し得る。ブロック2625または2630における動作は、図1、図14、図15、図18、もしくは図19を参照しながら説明したアクセスノード通信マネージャ1420、図14もしくは図15を参照しながら説明したサービングセル識別器1440、または図15を参照しながら説明したサービングセル変更マネージャ1505を使用して実行され得る。
【０２６７】
したがって、方法2600はワイヤレス通信を提供し得る。方法2600が、一実装形態にすぎないこと、および方法2600の動作が、他の実装形態が可能であるように並べ替えられてよく、または別の方法で修正されてよいことに留意されたい。いくつかの例では、図25および図26を参照しながら説明した方法2500および2600の態様が組み合わせられてよい。
【０２６８】
本明細書で説明した技法は、CDMA、TDMA、FDMA、OFDMA、SC-FDMA、および他のシステムなどの、様々なワイヤレス通信システムのために使用され得る。「システム」および「ネットワーク」という用語は、しばしば、互換的に使用される。CDMAシステムは、CDMA2000、ユニバーサル地上波無線アクセス(UTRA)などの無線技術を実装し得る。CDMA2000は、IS-2000規格、IS-95規格、およびIS-856規格をカバーする。IS-2000リリース0およびAは、CDMA2000 1X、1Xなどと呼ばれることがある。IS-856(TIA-856)は、CDMA2000 1xEV-DO、高速パケットデータ(HRPD)などと呼ばれることがある。UTRAは、ワイドバンドCDMA(WCDMA(登録商標))、およびCDMAの他の変形を含む。TDMAシステムは、モバイル通信用グローバルシステム(GSM(登録商標))などの無線技術を実装し得る。OFDMAシステムは、ウルトラモバイルブロードバンド(UMB)、発展型UTRA(E-UTRA)、米国電気電子技術者協会(IEEE)802.11(Wi-Fi)、IEEE802.16(WiMAX)、IEEE802.20、Flash-OFDM(商標)などの無線技術を実装し得る。UTRAおよびE-UTRAは、ユニバーサル移動体電気通信システム(UMTS)の一部である。3GPP LTEおよびLTE-Aは、E-UTRAを使用するUMTSの新たなリリースである。UTRA、E-UTRA、UMTS、LTE、LTE-A、およびGSM(登録商標)は、3GPPと称する団体からの文書に記載されている。CDMA2000およびUMBは、「第3世代パートナーシッププロジェクト2」(3GPP2)と称する団体からの文書に記載されている。本明細書で説明した技法は、無認可帯域幅または共有帯域幅を介したセルラー(たとえば、LTE)通信を含む、上述のシステムおよび無線技術、ならびに他のシステムおよび無線技術のために使用され得る。しかしながら、上の説明は、例としてLTE/LTE-Aシステムを説明し、上の説明の大部分においてLTE用語が使用されるが、技法はLTE/LTE-A適用例以外に適用可能である。
【０２６９】
添付の図面に関して上記に記載された発明を実施するための形態は例を説明し、実装され得る例、または特許請求の範囲内にある例のすべてを表すとは限らない。この説明で使用される「例」および「例示的」という用語は、「例、事例、または例示として機能すること」を意味し、「好ましい」または「他の例よりも有利である」ことを意味しない。発明を実施するための形態は、説明した技法の理解を与える目的で、具体的な詳細を含む。しかしながら、これらの技法は、これらの具体的な詳細なしに実践され得る。いくつかの事例では、説明した例の概念を不明瞭にすることを回避するために、よく知られている構造および装置がブロック図の形態で示される。
【０２７０】
本明細書で使用する「に基づいて」という句は、条件の閉集合を指すものと解釈されるものではない。たとえば、「条件Aに基づいて」と記載される例示的なステップは、本開示の範囲から逸脱することなく、条件Aと条件Bの両方に基づいてよい。言い換えれば、本明細書で使用する「に基づいて」という句は、「に少なくとも部分的に基づいて」という句と同様に解釈されるものとする。
【０２７１】
情報および信号は、様々な異なる技術および技法のいずれかを使用して表されてよい。たとえば、上記の説明全体にわたって参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表されてよい。
【０２７２】
本明細書の開示に関して説明した様々な例示的なブロックおよび構成要素は、汎用プロセッサ、デジタル信号プロセッサ(DSP)、ASIC、FPGAもしくは他のプログラマブル論理デバイス、個別ゲートもしくトランジスタ論理、個別ハードウェア構成要素、または本明細書で説明した機能を実行するように設計されたそれらの任意の組合せを用いて実装または実行されてよい。汎用プロセッサはマイクロプロセッサであってよいが、代替として、プロセッサは、任意の従来のプロセッサ、コントローラ、マイクロコントローラ、またはステートマシンであってよい。プロセッサはまた、コンピューティングデバイスの組合せ、たとえば、DSPとマイクロプロセッサとの組合せ、複数のマイクロプロセッサ、DSPコアと連携する1つもしくは複数のマイクロプロセッサ、または他の任意のそのような構成として実装されてよい。
【０２７３】
本明細書で説明した機能は、ハードウェア、プロセッサによって実行されるソフトウェア、ファームウェア、またはそれらの任意の組合せで実装されてよい。プロセッサによって実行されるソフトウェアで実装される場合、機能は、1つまたは複数の命令またはコードとして、コンピュータ可読媒体上に記憶されてよく、またはコンピュータ可読媒体を介して送信されてよい。他の例および実装形態が、本開示および添付の特許請求の範囲および趣旨内にある。たとえば、ソフトウェアの性質に起因して、上記で説明した機能は、プロセッサによって実行されるソフトウェア、ハードウェア、ファームウェア、ハードワイヤリング、またはこれらのいずれかの組合せを使用して実装され得る。機能を実施する構成要素はまた、異なる物理的ロケーションに機能の部分が実装されるように分散されることを含めて、様々な位置に物理的に配置されてよい。特許請求の範囲を含む本明細書で使用されるとき、「または」という用語は、2つ以上の項目の列挙において使用されるとき、列挙される項目のうちのいずれか1つが単独で使用され得ること、または列挙される項目のうちの2つ以上の任意の組合せが採用され得ることを意味する。たとえば、構成が、構成要素A、B、またはCを含むものとして説明される場合、その構成は、Aのみ、Bのみ、Cのみ、AおよびBの組合せ、AおよびCの組合せ、BおよびCの組合せ、またはA、B、およびCの組合せを含むことができる。また、特許請求の範囲内を含む本明細書で使用されるとき、項目の列挙(たとえば、「のうちの少なくとも1つ」または「のうちの1つまたは複数」などの句が後置された項目の列挙)において使用される「または」は、たとえば、「A、B、またはCのうちの少なくとも1つ」という列挙がAまたはBまたはCまたはABまたはACまたはBCまたはABC(すなわち、AおよびBおよびC)を意味するような、選言的列挙を示す。
【０２７４】
コンピュータ可読媒体は、コンピュータ記憶媒体と、ある場所から別の場所へのコンピュータプログラムの伝達を容易にする任意の媒体を含む通信媒体の両方を含む。記憶媒体は、汎用コンピュータまたは専用コンピュータによってアクセスされ得る任意の利用可能な媒体であってよい。限定ではなく例として、コンピュータ可読媒体は、RAM、ROM、EEPROM、フラッシュメモリ、CD-ROMまたは他の光ディスクストレージ、磁気ディスクストレージまたは他の磁気記憶デバイス、あるいは命令またはデータ構造の形態で所望のプログラムコード手段を担持または記憶するために使用され得るとともに、汎用コンピュータもしくは専用コンピュータまたは汎用プロセッサもしくは専用プロセッサによってアクセスされ得る任意の他の媒体を備えることができる。また、任意の接続が、コンピュータ可読媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用するディスク(disk)およびディスク(disc)は、コンパクトディスク(disc)(CD)、レーザーディスク(登録商標)(disc)、光ディスク(disc)、デジタル多用途ディスク(disc)(DVD)、フロッピーディスク(disk)、およびBlu-ray(登録商標)ディスク(disc)を含み、ディスク(disk)は通常、データを磁気的に再生し、ディスク(disc)は、レーザーを用いてデータを光学的に再生する。上記のものの組合せも、コンピュータ可読媒体の範囲内に含まれる。
【０２７５】
本開示の以上の説明は、当業者が本開示を作成または使用できるように与えられる。本開示の様々な変更は当業者には容易に明らかとなり、本明細書で定義される一般原理は、本開示の範囲から逸脱することなく他の変形形態に適用され得る。したがって、本開示は、本明細書で説明した例および設計に限定されるものでなく、本明細書で開示する原理および新規の技法と一致する最も広い範囲が与えられるべきである。
【符号の説明】
【０２７６】
100  ワイヤレス通信システム
105  ネットワークアクセスデバイス
110  地理的カバレージエリア
115  ユーザ機器
125  通信リンク
130  コアネットワーク
132  バックホールリンク
134  バックホールリンク
200  タイムライン
205  同期信号
210  パイロット信号
215  リスニングウィンドウ
220  データ到達
225  ユニキャストページング信号
230  無線リソース制御(RRC)接続要求
235  接続セットアップ情報
240  キープアライブ信号
305  ゾーン
1010  受信機
1020  UEワイヤレス通信マネージャ
1030  送信機
1035  無線リソース構成識別器
1040  リソース選択器
1045  パイロット信号送信マネージャ
1105  共通リソースマネージャ
1110  専用リソースマネージャ
1115  ゾーン識別器
1120  パイロット信号構成器
1125  キープアライブ信号プロセッサ
1130  サービングセル識別器
1220  送信/受信通信マネージャ
1235  リソース識別器
1240  パイロット信号測定器
1245  サービングセル識別器
1305  キープアライブ信号マネージャ
1310  UE再構成マネージャ
1315  測定値報告マネージャ
1420  アクセスノード通信マネージャ
1435  測定マネージャ
1440  サービングセル識別器
1445  監視セット識別器
1450  セルメンバーシップマネージャ
1505  サービングセル変更マネージャ
1610  プロセッサ
1620  メモリ
1625  コンピュータ可読コンピュータ実行可能コード
1630  トランシーバ
1635  バス
1640  アンテナ
【図１】
2019508937.tif 000005
【図２】
2019508937.tif 000006
【図３】
2019508937.tif 000007
【図４】
2019508937.tif 000008
【図５】
2019508937.tif 000009
【図６】
2019508937.tif 000010
【図７】
2019508937.tif 000011
【図８】
2019508937.tif 000012
【図９】
2019508937.tif 000013
【図１０】
2019508937.tif 000014
【図１１】
2019508937.tif 000015
【図１２】
2019508937.tif 000016
【図１３】
2019508937.tif 000017
【図１４】
2019508937.tif 000018
【図１５】
2019508937.tif 000019
【図１６】
2019508937.tif 000020
【図１７】
2019508937.tif 000021
【図１８】
2019508937.tif 000022
【図１９】
2019508937.tif 000023
【図２０】
2019508937.tif 000024
【図２１】
2019508937.tif 000025
【図２２】
2019508937.tif 000026
【図２３】
2019508937.tif 000027
【図２４】
2019508937.tif 000028
【図２５】
2019508937.tif 000029
【図２６】
2019508937.tif 000030
【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
ユーザ機器(UE)におけるワイヤレス通信のための方法であって、
前記UEがネットワークとの接続モードにある間に、前記UEの無線リソース構成を識別するステップと、
前記識別された無線リソース構成に少なくとも部分的に基づいて、前記UE用のリソースの専用セットまたは複数のUE用のリソースの共通セットを選択するステップと、
リソースの前記選択されたセットを使用してパイロット信号を前記ネットワークへ送信するステップと、
前記UE用のサービングセルから受信されたキープアライブ信号に少なくとも部分的に基づいて、前記UE用の前記サービングセルを識別するステップとを備え、前記キープアライブ信号が、前記パイロット信号に少なくとも部分的に基づく、
方法。
【請求項２】
前記UEの前記識別された無線リソース構成が、無線リソース制御(RRC)構成を備える、請求項1に記載の方法。
【請求項３】
前記UEの前記識別された無線リソース構成が、RRC専用状態またはRRC共通状態を備える、請求項1に記載の方法。
【請求項４】
リソースの前記選択されたセットを使用して前記キープアライブ信号を受信するステップ
をさらに備える、請求項1に記載の方法。
【請求項５】
同期信号、もしくはシステム情報、もしくはユニキャストメッセージ、またはそれらの組合せのうちの少なくとも1つの中で、リソースの前記共通セットの割振りを受信するステップ
をさらに備える、請求項1に記載の方法。
【請求項６】
前記UEのタイプに少なくとも部分的に基づいて、リソースの前記共通セットの割振りを識別するステップ
をさらに備える、請求項1に記載の方法。
【請求項７】
ユニキャストメッセージの中で、もしくは前記ユニキャストメッセージのタイミングにおいて、またはそれらの組合せのうちの少なくとも1つで、リソースの前記専用セットの割振りを受信するステップ
をさらに備える、請求項1に記載の方法。
【請求項８】
前記パイロット信号が、前記UEの間欠受信(DRX)構成または前記UEの間欠送信(DTX)構成に少なくとも部分的に基づいて周期的に送信される、請求項1に記載の方法。
【請求項９】
前記UEが位置するゾーンを識別するステップと、
前記識別されたゾーンに少なくとも部分的に基づいて前記パイロット信号を構成するステップと
をさらに備える、請求項1に記載の方法。
【請求項１０】
リソースの前記専用セットが、リソースの前記共通セットよりも粒度の細かい周期性に関連する、請求項1に記載の方法。
【請求項１１】
ユーザ機器(UE)におけるワイヤレス通信のための装置であって、
前記UEがネットワークとの接続モードにある間に、前記UEの無線リソース構成を識別するための手段と、
前記識別された無線リソース構成に少なくとも部分的に基づいて、前記UE用のリソースの専用セットまたは複数のUE用のリソースの共通セットを選択するための手段と、
リソースの前記選択されたセットを使用してパイロット信号を前記ネットワークへ送信するための手段と、
前記UE用のサービングセルから受信されたキープアライブ信号に少なくとも部分的に基づいて、前記UE用の前記サービングセルを識別するための手段とを備え、前記キープアライブ信号が、前記パイロット信号に少なくとも部分的に基づく、
装置。
【請求項１２】
前記UEの前記識別された無線リソース構成が、無線リソース制御(RRC)構成を備える、請求項11に記載の装置。
【請求項１３】
前記UEの前記識別された無線リソース構成が、RRC専用状態またはRRC共通状態を備える、請求項11に記載の装置。
【請求項１４】
リソースの前記選択されたセットを使用して前記キープアライブ信号を受信するための手段
をさらに備える、請求項11に記載の装置。
【請求項１５】
同期信号、もしくはシステム情報、もしくはユニキャストメッセージ、またはそれらの組合せのうちの少なくとも1つの中で、リソースの前記共通セットの割振りを受信するための手段
をさらに備える、請求項11に記載の装置。
【請求項１６】
前記UEのタイプに少なくとも部分的に基づいて、リソースの前記共通セットの割振りを識別するための手段
をさらに備える、請求項11に記載の装置。
【請求項１７】
ユニキャストメッセージの中で、もしくは前記ユニキャストメッセージのタイミングにおいて、またはそれらの組合せのうちの少なくとも1つで、リソースの前記専用セットの割振りを受信するための手段
をさらに備える、請求項11に記載の装置。
【請求項１８】
前記パイロット信号が、前記UEの間欠受信(DRX)構成または前記UEの間欠送信(DTX)構成に少なくとも部分的に基づいて周期的に送信される、請求項11に記載の装置。
【請求項１９】
前記UEが位置するゾーンを識別するための手段と、
前記識別されたゾーンに少なくとも部分的に基づいて前記パイロット信号を構成するための手段と
をさらに備える、請求項11に記載の装置。
【請求項２０】
リソースの前記専用セットが、リソースの前記共通セットよりも粒度の細かい周期性に関連する、請求項11に記載の装置。
【請求項２１】
ユーザ機器(UE)におけるワイヤレス通信のための装置であって、
プロセッサと、
前記プロセッサと電子通信しているメモリとを備え、
前記プロセッサおよび前記メモリが、
前記UEがネットワークとの接続モードにある間に、前記UEの無線リソース構成を識別し、
前記識別された無線リソース構成に少なくとも部分的に基づいて、前記UE用のリソースの専用セットまたは複数のUE用のリソースの共通セットを選択し、
リソースの前記選択されたセットを使用してパイロット信号を前記ネットワークへ送信し、
前記UE用のサービングセルから受信されたキープアライブ信号に少なくとも部分的に基づいて、前記UE用の前記サービングセルを識別するように構成され、前記キープアライブ信号が、前記パイロット信号に少なくとも部分的に基づく、
装置。
【請求項２２】
ユーザ機器(UE)におけるワイヤレス通信のためのコンピュータ実行可能コードを記憶する非一時的コンピュータ可読媒体であって、前記コードが、プロセッサによって、
前記UEがネットワークとの接続モードにある間に、前記UEの無線リソース構成を識別し、
前記識別された無線リソース構成に少なくとも部分的に基づいて、前記UE用のリソースの専用セットまたは複数のUE用のリソースの共通セットを選択し、
リソースの前記選択されたセットを使用してパイロット信号を前記ネットワークへ送信し、
前記UE用のサービングセルから受信されたキープアライブ信号に少なくとも部分的に基づいて、前記UE用の前記サービングセルを識別するように実行可能であり、前記キープアライブ信号が、前記パイロット信号に少なくとも部分的に基づく、
非一時的コンピュータ可読媒体。
【請求項２３】
ネットワークアクセスデバイスにおけるワイヤレス通信のための方法であって、
ユーザ機器(UE)の第1のセットの中の少なくとも1つのUE用のリソースの少なくとも1つの専用セットを識別するステップであって、前記ネットワークアクセスデバイスが、UEの前記第1のセットの中の各UE用のネットワークアクセスデバイスの監視セットのメンバーである、ステップと、
リソースの前記少なくとも1つの専用セット上でUEの前記第1のセットから受信されたパイロット信号の第1のセット、およびリソースの共通セットを使用してUEの第2のセットから受信されたパイロット信号の第2のセットを、測定するステップと、
パイロット信号の前記第1のセットおよびパイロット信号の前記第2のセットの測定値に少なくとも部分的に基づいて、前記ネットワークアクセスデバイスがそのためのサービングセルとして動作するUEの第3のセットを識別するステップと
を備える方法。
【請求項２４】
UEの前記第3のセットが、UEの前記第1のセットの中の少なくとも1つのUE、もしくはUEの前記第2のセットの中の少なくとも1つのUE、またはそれらの組合せを備える、請求項23に記載の方法。
【請求項２５】
専用キープアライブ信号をUEの前記第1のセットとUEの前記第3のセットの両方のメンバーである各UEへ送信するステップ、もしくは共通キープアライブ信号をUEの前記第2のセットとUEの前記第3のセットの両方のメンバーである各UEへ送信するステップ、またはそれらの組合せ
をさらに備える、請求項24に記載の方法。
【請求項２６】
リソースの前記共通セット上でUEから受信されたパイロット信号が少なくとも1つのしきい値を満たすかどうかを決定するステップと、
前記パイロット信号が前記少なくとも1つのしきい値を満たすと決定すると、リソースの前記共通セットを使用してキープアライブ信号を前記UEへ送信するステップと
をさらに備える、請求項23に記載の方法。
【請求項２７】
UEの前記第1のセットとUEの前記第3のセットの両方のメンバーであるUEのための再構成メッセージを別のネットワークアクセスデバイスから受信するステップであって、前記再構成メッセージが、前記ネットワークアクセスデバイスから異なるネットワークアクセスデバイスへの前記UEのハンドオーバの後に前記UEによって使用されるべきリソースの再構成された専用セットを識別する、ステップと、
前記再構成メッセージを前記UEに転送するステップと
をさらに備える、請求項23に記載の方法。
【請求項２８】
前記ネットワークアクセスデバイスにハンドオーバされつつあるUEのための再構成メッセージを別のネットワークアクセスデバイスから受信するステップであって、前記再構成メッセージが、前記ネットワークアクセスデバイスへの前記UEのハンドオーバの後に前記UEによって使用されるべきリソースの再構成された専用セットを識別する、ステップと、
前記再構成メッセージを前記UEに転送するステップと、
UEの前記第1のセットおよびUEの前記第3のセットに前記UEを追加するステップと
をさらに備える、請求項23に記載の方法。
【請求項２９】
前記ネットワークアクセスデバイスにハンドオーバされているUEから再構成完了メッセージを受信するステップと、
前記再構成完了メッセージを別のネットワークアクセスデバイスに転送するステップと
をさらに備える、請求項23に記載の方法。
【請求項３０】
パイロット信号の前記第1のセットの前記測定値のうちの少なくとも1つ、またはパイロット信号の前記第2のセットの前記測定値のうちの少なくとも1つを、別のネットワークアクセスデバイスへ送信するステップと、
UEの前記第3のセットに対する更新を前記他のネットワークアクセスデバイスから受信するステップと
をさらに備える、請求項23に記載の方法。
【請求項３１】
周期的測定値報告基準またはイベント駆動型測定値報告基準に少なくとも部分的に基づいて、パイロット信号の前記第1のセットの前記測定値のうちの前記少なくとも1つ、またはパイロット信号の前記第2のセットの前記測定値のうちの前記少なくとも1つを選択するステップ
をさらに備える、請求項30に記載の方法。
【請求項３２】
パイロット信号の前記第1のセットまたはパイロット信号の前記第2のセットの追加の測定値を少なくとも1つの他のネットワークアクセスデバイスから受信するステップをさらに備え、UEの前記第3のセットを識別する前記ステップが、前記追加の測定値に少なくとも部分的に基づく、
請求項23に記載の方法。
【請求項３３】
UEの前記第1のセットに対する更新を別のネットワークアクセスデバイスから受信するステップ
をさらに備える、請求項23に記載の方法。
【請求項３４】
前記ネットワークアクセスデバイスが分散ユニットを備える、請求項23に記載の方法。
【請求項３５】
ネットワークアクセスデバイスにおけるワイヤレス通信のための装置であって、
ユーザ機器(UE)の第1のセットの中の少なくとも1つのUE用のリソースの少なくとも1つの専用セットを識別するための手段であって、前記ネットワークアクセスデバイスが、UEの前記第1のセットの中の各UE用のネットワークアクセスデバイスの監視セットのメンバーである、手段と、
リソースの前記少なくとも1つの専用セット上でUEの前記第1のセットから受信されたパイロット信号の第1のセット、およびリソースの共通セットを使用してUEの第2のセットから受信されたパイロット信号の第2のセットを、測定するための手段と、
パイロット信号の前記第1のセットおよびパイロット信号の前記第2のセットの測定値に少なくとも部分的に基づいて、前記ネットワークアクセスデバイスがそのためのサービングセルとして動作するUEの第3のセットを識別するための手段と
を備える装置。
【請求項３６】
UEの前記第3のセットが、UEの前記第1のセットの中の少なくとも1つのUE、もしくはUEの前記第2のセットの中の少なくとも1つのUE、またはそれらの組合せを備える、請求項35に記載の装置。
【請求項３７】
専用キープアライブ信号をUEの前記第1のセットとUEの前記第3のセットの両方のメンバーである各UEへ送信すること、もしくは共通キープアライブ信号をUEの前記第2のセットとUEの前記第3のセットの両方のメンバーである各UEへ送信すること、またはそれらの組合せを行うための手段
をさらに備える、請求項36に記載の装置。
【請求項３８】
リソースの前記共通セット上でUEから受信されたパイロット信号が少なくとも1つのしきい値を満たすかどうかを決定するための手段と、
前記パイロット信号が前記少なくとも1つのしきい値を満たすと決定すると、リソースの前記共通セットを使用してキープアライブ信号を前記UEへ送信するための手段と
をさらに備える、請求項35に記載の装置。
【請求項３９】
UEの前記第1のセットとUEの前記第3のセットの両方のメンバーであるUEのための再構成メッセージを別のネットワークアクセスデバイスから受信するための手段であって、前記再構成メッセージが、前記ネットワークアクセスデバイスから異なるネットワークアクセスデバイスへの前記UEのハンドオーバの後に前記UEによって使用されるべきリソースの再構成された専用セットを識別する、手段と、
前記再構成メッセージを前記UEに転送するための手段と
をさらに備える、請求項35に記載の装置。
【請求項４０】
前記ネットワークアクセスデバイスにハンドオーバされつつあるUEのための再構成メッセージを別のネットワークアクセスデバイスから受信するための手段であって、前記再構成メッセージが、前記ネットワークアクセスデバイスへの前記UEのハンドオーバの後に前記UEによって使用されるべきリソースの再構成された専用セットを識別する、手段と、
前記再構成メッセージを前記UEに転送するための手段と、
UEの前記第1のセットおよびUEの前記第3のセットに前記UEを追加するための手段と
をさらに備える、請求項35に記載の装置。
【請求項４１】
前記ネットワークアクセスデバイスにハンドオーバされているUEから再構成完了メッセージを受信するための手段と、
前記再構成完了メッセージを別のネットワークアクセスデバイスに転送するための手段と
をさらに備える、請求項35に記載の装置。
【請求項４２】
パイロット信号の前記第1のセットの前記測定値のうちの少なくとも1つ、またはパイロット信号の前記第2のセットの前記測定値のうちの少なくとも1つを、別のネットワークアクセスデバイスへ送信するための手段と、
UEの前記第3のセットに対する更新を前記他のネットワークアクセスデバイスから受信するための手段と
をさらに備える、請求項35に記載の装置。
【請求項４３】
周期的測定値報告基準またはイベント駆動型測定値報告基準に少なくとも部分的に基づいて、パイロット信号の前記第1のセットの前記測定値のうちの前記少なくとも1つ、またはパイロット信号の前記第2のセットの前記測定値のうちの前記少なくとも1つを選択するための手段
をさらに備える、請求項42に記載の装置。
【請求項４４】
パイロット信号の前記第1のセットまたはパイロット信号の前記第2のセットの追加の測定値を少なくとも1つの他のネットワークアクセスデバイスから受信するための手段をさらに備え、前記プロセッサおよびメモリが、前記追加の測定値に少なくとも部分的に基づいてUEの前記第3のセットを識別するように構成される、
請求項35に記載の装置。
【請求項４５】
UEの前記第1のセットに対する更新を別のネットワークアクセスデバイスから受信するための手段
をさらに備える、請求項35に記載の装置。
【請求項４６】
前記ネットワークアクセスデバイスが分散ユニットを備える、請求項35に記載の装置。
【請求項４７】
ネットワークアクセスデバイスにおけるワイヤレス通信のための装置であって、
プロセッサと、
前記プロセッサと電子通信しているメモリとを備え、
前記プロセッサおよび前記メモリが、
ユーザ機器(UE)の第1のセットの中の少なくとも1つのUE用のリソースの少なくとも1つの専用セットを識別することであって、前記ネットワークアクセスデバイスが、UEの前記第1のセットの中の各UE用のネットワークアクセスデバイスの監視セットのメンバーであることと、
リソースの前記少なくとも1つの専用セット上でUEの前記第1のセットから受信されたパイロット信号の第1のセット、およびリソースの共通セットを使用してUEの第2のセットから受信されたパイロット信号の第2のセットを、測定することと、
パイロット信号の前記第1のセットおよびパイロット信号の前記第2のセットの測定値に少なくとも部分的に基づいて、前記ネットワークアクセスデバイスがそのためのサービングセルとして動作するUEの第3のセットを識別することとを行うように構成される、
装置。
【請求項４８】
ネットワークアクセスデバイスにおけるワイヤレス通信のためのコンピュータ実行可能コードを記憶する非一時的コンピュータ可読媒体であって、前記コードが、プロセッサによって、
ユーザ機器(UE)の第1のセットの中の少なくとも1つのUE用のリソースの少なくとも1つの専用セットを識別することであって、前記ネットワークアクセスデバイスが、UEの前記第1のセットの中の各UE用のネットワークアクセスデバイスの監視セットのメンバーであることと、
リソースの前記少なくとも1つの専用セット上でUEの前記第1のセットから受信されたパイロット信号の第1のセット、およびリソースの共通セットを使用してUEの第2のセットから受信されたパイロット信号の第2のセットを、測定することと、
パイロット信号の前記第1のセットおよびパイロット信号の前記第2のセットの測定値に少なくとも部分的に基づいて、前記ネットワークアクセスデバイスがそのためのサービングセルとして動作するUEの第3のセットを識別することとを行うように実行可能である、
非一時的コンピュータ可読媒体。
【請求項４９】
ワイヤレス通信のための方法であって、
ネットワークに接続されている間に第1の無線リソース構成で動作中のユーザ機器(UE)の第1のセットによって送信されたパイロット信号の第1のセットの測定値、および前記ネットワークに接続されている間に第2の無線リソース構成で動作中のUEの第2のセットによって送信されたパイロット信号の第2のセットの測定値を、複数のセルのうちの各セルから受信するステップと、
UEの前記第1のセットの中の各UEおよびUEの前記第2のセットの中の各UEに対して、前記測定値に少なくとも部分的に基づいて前記それぞれのUE用のサービングセルを識別するステップと、
UEの前記第1のセットの中の各UEに対して、前記それぞれのUEによって送信されるパイロット信号を求めて監視すべきセルの監視セットを識別するステップと、
前記それぞれのセルがそのためのサービングセルであるUEの第1のセット、および前記それぞれのセルがそのためのセルの監視セットのメンバーであるUEの第2のセットを、各セルに示すステップと
を備える方法。
【請求項５０】
前記第1の無線リソース構成が、リソースの専用セットを使用してパイロット信号を送信することに関連し、前記第2の無線リソース構成が、リソースの共通セットを使用してパイロット信号を送信することに関連する、請求項49に記載の方法。
【請求項５１】
前記第1の無線リソース構成、もしくは前記第2の無線リソース構成、またはその両方が、無線リソース制御(RRC)構成を備える、請求項49に記載の方法。
【請求項５２】
UEの前記第1のセットの中のUE用のサービングセルの変更を識別するステップと、
前記サービングセルの前記変更を識別すると、前記UEのためのサービングセル変更プロシージャを開始するステップと
をさらに備える、請求項49に記載の方法。
【請求項５３】
前記サービングセル変更プロシージャを開始するステップが、
前記UEのための再構成メッセージを前記UE用のソースサービングセルを通じて前記UEへ送信するステップを備え、前記再構成メッセージが、ターゲットサービングセルへの前記UEのハンドオーバの後に前記UEによって使用されるべきリソースの専用セットを識別する、
請求項52に記載の方法。
【請求項５４】
前記サービングセル変更プロシージャを開始するステップが、
前記UEのための再構成メッセージを前記UE用のターゲットサービングセルを通じて前記UEへ送信するステップを備え、前記再構成メッセージが、前記ターゲットサービングセルへの前記UEのハンドオーバの後に前記UEによって使用されるべきリソースの専用セットを識別する、
請求項52に記載の方法。
【請求項５５】
UEによって送信されるパイロット信号を求めて監視すべきセルの監視セットを識別するステップが、前記UEによって送信された少なくとも1つのパイロット信号の測定値、もしくは前記UE用の前記識別されたサービングセルのロケーション、またはそれらの組合せに少なくとも部分的に基づく、請求項49に記載の方法。
【請求項５６】
ワイヤレス通信のための装置であって、
ネットワークに接続されている間に第1の無線リソース構成で動作中のユーザ機器(UE)の第1のセットによって送信されたパイロット信号の第1のセットの測定値、および前記ネットワークに接続されている間に第2の無線リソース構成で動作中のUEの第2のセットによって送信されたパイロット信号の第2のセットの測定値を、複数のセルのうちの各セルから受信するための手段と、
UEの前記第1のセットの中の各UEおよびUEの前記第2のセットの中の各UEに対して、前記測定値に少なくとも部分的に基づいて前記それぞれのUE用のサービングセルを識別するための手段と、
UEの前記第1のセットの中の各UEに対して、前記それぞれのUEによって送信されるパイロット信号を求めて監視すべきセルの監視セットを識別するための手段と、
前記それぞれのセルがそのためのサービングセルであるUEの第1のセット、および前記それぞれのセルがそのためのセルの監視セットのメンバーであるUEの第2のセットを、各セルに示すための手段と
を備える装置。
【請求項５７】
前記第1の無線リソース構成が、リソースの専用セットを使用してパイロット信号を送信することに関連し、前記第2の無線リソース構成が、リソースの共通セットを使用してパイロット信号を送信することに関連する、請求項56に記載の装置。
【請求項５８】
前記第1の無線リソース構成、もしくは前記第2の無線リソース構成、またはその両方が、無線リソース制御(RRC)構成を備える、請求項56に記載の装置。
【請求項５９】
UEの前記第1のセットの中のUE用のサービングセルの変更を識別するための手段と、
前記サービングセルの前記変更を識別すると、前記UEのためのサービングセル変更プロシージャを開始するための手段と
をさらに備える、請求項56に記載の装置。
【請求項６０】
前記サービングセル変更プロシージャを開始するための前記手段が、
前記UEのための再構成メッセージを前記UE用のソースサービングセルを通じて前記UEへ送信するための手段を備え、前記再構成メッセージが、ターゲットサービングセルへの前記UEのハンドオーバの後に前記UEによって使用されるべきリソースの専用セットを識別する、
請求項59に記載の装置。
【請求項６１】
前記サービングセル変更プロシージャを開始するための前記手段が、
前記UEのための再構成メッセージを前記UE用のターゲットサービングセルを通じて前記UEへ送信するための手段を備え、前記再構成メッセージが、前記ターゲットサービングセルへの前記UEのハンドオーバの後に前記UEによって使用されるべきリソースの専用セットを識別する、
請求項59に記載の装置。
【請求項６２】
UEによって送信されるパイロット信号を求めて監視すべきセルの前記監視セットを識別することが、前記UEによって送信された少なくとも1つのパイロット信号の測定値、もしくは前記UE用の前記識別されたサービングセルのロケーション、またはそれらの組合せに少なくとも部分的に基づく、請求項56に記載の装置。
【請求項６３】
ワイヤレス通信のための装置であって、
プロセッサと、
前記プロセッサと電子通信しているメモリとを備え、
前記プロセッサおよび前記メモリが、
ネットワークに接続されている間に第1の無線リソース構成で動作中のユーザ機器(UE)の第1のセットによって送信されたパイロット信号の第1のセットの測定値、および前記ネットワークに接続されている間に第2の無線リソース構成で動作中のUEの第2のセットによって送信されたパイロット信号の第2のセットの測定値を、複数のセルのうちの各セルから受信し、
UEの前記第1のセットの中の各UEおよびUEの前記第2のセットの中の各UEに対して、前記測定値に少なくとも部分的に基づいて前記それぞれのUE用のサービングセルを識別し、
UEの前記第1のセットの中の各UEに対して、前記それぞれのUEによって送信されるパイロット信号を求めて監視すべきセルの監視セットを識別し、
前記それぞれのセルがそのためのサービングセルであるUEの第1のセット、および前記それぞれのセルがそのためのセルの監視セットのメンバーであるUEの第2のセットを、各セルに示すように構成される、
装置。
【請求項６４】
ワイヤレス通信のためのコンピュータ実行可能コードを記憶する非一時的コンピュータ可読媒体であって、前記コードが、プロセッサによって、
ネットワークに接続されている間に第1の無線リソース構成で動作中のユーザ機器(UE)の第1のセットによって送信されたパイロット信号の第1のセットの測定値、および前記ネットワークに接続されている間に第2の無線リソース構成で動作中のUEの第2のセットによって送信されたパイロット信号の第2のセットの測定値を、複数のセルのうちの各セルから受信し、
UEの前記第1のセットの中の各UEおよびUEの前記第2のセットの中の各UEに対して、前記測定値に少なくとも部分的に基づいて前記それぞれのUE用のサービングセルを識別し、
UEの前記第1のセットの中の各UEに対して、前記それぞれのUEによって送信されるパイロット信号を求めて監視すべきセルの監視セットを識別し、
前記それぞれのセルがそのためのサービングセルであるUEの第1のセット、および前記それぞれのセルがそのためのセルの監視セットのメンバーであるUEの第2のセットを、各セルに示すように実行可能である、
非一時的コンピュータ可読媒体。
【国際調査報告】
2019508937.tif 000031
2019508937.tif 000032
2019508937.tif 000033
2019508937.tif 000034
2019508937.tif 000035